(57)【特許請求の範囲】
【請求項１】
近接場通信（ＮＦＣ）無線充電サービスを有効にするための方法であって、
第１の電子装置により、充電装置が前記第１の電子装置であるか第２の電子装置であるかを充電基準情報に従って判定するステップと、
前記充電装置が前記第１の電子装置であると判定された場合、前記第１の電子装置の近接場通信（ＮＦＣ）無線充電サービスを有効にして前記第２の電子装置の充電に備えるか、または、前記充電装置が前記第２の電子装置である場合には、近接場通信（ＮＦＣ）無線充電サービスを有効にして前記第１の電子装置の充電に備えるように前記第２の電子装置に指示するステップと、
を含み、
前記充電基準情報は、前記第１の電子装置の出力電力情報と前記第１の電子装置の残余電気量情報であり、
前記第１の電子装置により、充電装置が前記第１の電子装置であるか第２の電子装置であるかを充電基準情報に従って判定するステップは、
前記第１の電子装置の出力電力情報に従って、前記第１の電子装置の出力電力値が事前設定電力閾値以上であるか、または、前記第１の電子装置の出力電力レベルが事前設定電力レベル以上であると判定され、前記第１の電子装置の残余電気量情報に従って前記第１の電子装置の残余電気量値が第１の電気量閾値以上であると判定された場合、前記第１の電子装置が前記充電装置であると判定するステップ
を含み、
前記第１の電気量閾値は、両方の電子装置の残余電気量情報と、前記第１の電子装置の最小電気量値、または、前記第１の電子装置が前記第２の電子装置を充電した後の前記第２の電子装置の推定通常使用時間とに従って前記第１の電子装置により設定された電気量閾値である、
方法。
【請求項２】
前記第１の電子装置により、充電装置が前記第１の電子装置であるか第２の電子装置であるかを充電基準情報に従って判定するステップの前に、前記方法は、前記第１の電子装置および前記第２の電子装置が近接場通信（ＮＦＣ）の有効距離内に保たれ、両方の電子装置の間で近接場通信（ＮＦＣ）が発生していない時間が事前設定時間閾値を超えると判定するステップを含む、請求項１に記載の方法。
【請求項３】
前記充電基準情報は前記第１の電子装置の充電ステータス情報と前記第２の電子装置の充電ステータス情報を含み、
前記第１の電子装置により、充電装置が前記第１の電子装置であるか第２の電子装置であるかを充電基準情報に従って判定するステップは、
前記第１の電子装置の前記充電ステータス情報に従って、前記第１の電子装置が電力受信状態にないと判定され、かつ、前記第２の電子装置の充電ステータス情報に従って、前記第２の電子装置が前記電力受信状態にあると判定された場合、前記第２の電子装置が前記充電装置であると判定するステップ、または、
前記第１の電子装置の前記充電ステータス情報に従って前記第１の電子装置が電力受信状態にあると判定され、前記第２の電子装置の充電ステータス情報に従って前記第２の電子装置が前記電力受信状態にないと判定された場合、前記第１の電子装置が前記充電装置であると判定するステップ
を含む、請求項１または２に記載の方法。
【請求項４】
前記充電基準情報は、前記第１の電子装置の出力電力情報、前記第１の電子装置の充電ステータス情報、および前記第２の電子装置の充電ステータス情報を含み、
前記第１の電子装置により、充電装置が前記第１の電子装置であるか第２の電子装置であるかを充電基準情報に従って判定するステップは、
前記第１の電子装置の出力電力情報に従って、前記第１の電子装置の出力電力値が事前設定電力閾値以上であるか、または、前記第１の電子装置の出力電力レベルが事前設定電力レベル以上であると判定され、前記第１の電子装置の前記充電ステータス情報に従って前記第１の電子装置が電力受信状態にあると判定され、前記第２の電子装置の充電ステータス情報に従って前記第２の電子装置が前記電力受信状態にないと判定された場合、前記第１の電子装置が前記充電装置であると判定するステップ
を含む、請求項１または２に記載の方法。
【請求項５】
前記充電基準情報は前記第１の電子装置の出力電力情報、前記第２の電子装置の出力電力情報、前記第１の電子装置の充電ステータス情報および前記第２の電子装置の充電ステータス情報を含み、
前記第１の電子装置により、充電装置が前記第１の電子装置であるか第２の電子装置であるかを充電基準情報に従って判定するステップは、
両方の電子装置の前記出力電力情報に従って前記第１の電子装置が出力電力の大きい電子装置であると判定され、前記第２の電子装置の充電ステータス情報に従って前記第２の電子装置が電力受信状態にないと判定された場合、前記第１の電子装置が前記充電装置であると判定するステップ、または、
前記両方の電子装置の前記出力電力情報に従って前記第２の電子装置が出力電力の大きい電子装置であると判定され、前記第１の電子装置の前記充電ステータス情報に従って前記第１の電子装置が電力受信状態にないと判定された場合、前記第２の電子装置が前記充電装置であると判定するステップ
を含む、請求項１または２に記載の方法。
【請求項６】
前記充電基準情報は前記第１の電子装置の出力電力情報、前記第２の電子装置の出力電力情報、前記第１の電子装置の残余電気量情報および前記第２の電子装置の残余電気量情報を含み、
前記第１の電子装置により、充電装置が前記第１の電子装置であるか第２の電子装置であるかを充電基準情報に従って判定するステップは、
両方の電子装置の前記出力電力情報に従って前記第１の電子装置が出力電力の大きい電子装置であると判定され、前記第１の電子装置の残余電気量情報に従って前記第１の電子装置の残余電気量値が第１の電気量閾値以上であると判定された場合、前記第１の電子装置が前記充電装置であると判定するステップ、または、
前記両方の電子装置の前記出力電力情報に従って前記第２の電子装置が出力電力の大きい電子装置であると判定され、前記第２の電子装置の残余電気量情報に従って前記第２の電子装置の残余電気量値が第２の電気量閾値以上であると判定された場合、前記第２の電子装置が前記充電装置であると判定するステップ、
を含み、
前記第１の電気量閾値は、事前設定電気量閾値、または前記両方の電子装置の残余電気量情報に従って前記第１の電子装置により設定された電気量閾値であり、
前記第２の電気量閾値は、事前設定電気量閾値、または前記両方の電子装置の残余電気量情報に従って前記第１の電子装置により設定された電気量閾値である、
請求項１または２に記載の方法。
【請求項７】
前記充電基準情報は、前記第１の電子装置の充電ステータス情報、前記第２の電子装置の充電ステータス情報、前記第１の電子装置の出力電力情報、前記第２の電子装置の出力電力情報、ならびに前記第１の電子装置および／または前記第２の電子装置の残余電気量情報を含み、
前記第１の電子装置により、充電装置が前記第１の電子装置であるか第２の電子装置であるかを充電基準情報に従って判定するステップは、
両方の電子装置の前記充電ステータス情報に従って前記両方の電子装置の何れもが電力受信状態にないと判定され、前記両方の電子装置の前記出力電力情報に従って前記第１の電子装置が出力電力の大きい電子装置であると判定され、前記第１の電子装置の残余電気量情報に従って前記第１の電子装置の残余電気量値が第１の電気量閾値以上であると判定された場合、前記第１の電子装置が前記充電装置であると判定するステップと、
前記両方の電子装置の前記充電ステータス情報に従って前記第１の電子装置のみが電力受信状態にあると判定され、前記両方の電子装置の前記出力電力情報に従って前記第１の電子装置が出力電力の大きい電子装置であると判定された場合、前記第１の電子装置が前記充電装置であると判定するステップと、
前記両方の電子装置の前記充電ステータス情報に従って前記両方の電子装置の何れもが電力受信状態にないと判定され、前記両方の電子装置の前記出力電力情報に従って前記第２の電子装置が出力電力の大きい電子装置であると判定され、前記第２の電子装置の残余電気量情報に従って前記第２の電子装置の残余電気量値が第２の電気量閾値以上であると判定された場合、前記第２の電子装置が前記充電装置であると判定するステップ、または、
前記両方の電子装置の前記充電ステータス情報に従って前記第２の電子装置のみが電力受信状態にあると判定され、前記両方の電子装置の前記出力電力情報に従って前記第２の電子装置が出力電力の大きい電子装置であると判定された場合、前記第２の電子装置が前記充電装置であると判定するステップ、
を含み、
前記第１の電気量閾値は、事前設定電気量閾値、または前記両方の電子装置の残余電気量情報に従って前記第１の電子装置により設定された電気量閾値であり、
前記第２の電気量閾値は、事前設定電気量閾値、または前記両方の電子装置の残余電気量情報に従って前記第１の電子装置により設定された電気量閾値である、
請求項１または２に記載の方法。
【請求項８】
出力電力が大きい前記電子装置は、出力電力レベルが高い電子装置、および／または前記両方の電子装置の出力電力値の差分の絶対値が事前設定電力差分閾値以上であるとき出力電力値がより大きい電子装置を含む、請求項５乃至７の何れか１項に記載の方法。
【請求項９】
近接場通信（ＮＦＣ）無線充電サービスを有効にするための方法であって、
第２の電子装置により、前記第２の電子装置が充電装置であると第１の電子装置が判定したとき、前記第１の電子装置により送信された通知を受信し、前記第２の電子装置の近接場通信（ＮＦＣ）無線充電サービスを前記通知に従って有効にして前記第１の電子装置の充電に備えるステップ、または、
前記第１の電子装置が前記充電装置の役割を果たすと前記第１の電子装置が判定したとき、前記第２の電子装置により、前記第１の電子装置により送信された充電制御メッセージを受信して、被充電装置として応答するように前記第２の電子装置に指示するステップ  を含み、
前記第１の電子装置により、充電装置が前記第１の電子装置であるか第２の電子装置であるかを充電基準情報に従って判定するステップは、
前記第１の電子装置の出力電力情報に従って、前記第１の電子装置の出力電力値が事前設定電力閾値以上であるか、または、前記第１の電子装置の出力電力レベルが事前設定電力レベル以上であると判定され、前記第１の電子装置の残余電気量情報に従って前記第１の電子装置の残余電気量値が第１の電気量閾値以上であると判定された場合、前記第１の電子装置が前記充電装置であると判定するステップ
を含み、
前記第１の電気量閾値は、両方の電子装置の残余電気量情報と、前記第１の電子装置の最小電気量値、または、前記第１の電子装置が前記第２の電子装置を充電した後の前記第２の電子装置の推定通常使用時間とに従って前記第１の電子装置により設定された電気量閾値である、
方法。
【請求項１０】
第２の電子装置により、前記第２の電子装置が充電装置であると前記第１の電子装置が判定したとき、第１の電子装置により送信された通知を受信するステップの前に、前記方法は、
前記第２の電子装置の充電ステータス情報、前記第２の電子装置の出力電力情報および前記第２の電子装置の残余電気量情報のうち少なくとも１つを前記第１の電子装置に送信するステップ、または、
前記第１の電子装置の要求メッセージを受信し、前記第１の電子装置の前記要求メッセージに従って、前記第２の電子装置の充電ステータス情報、前記第２の電子装置の出力電力情報および前記第２の電子装置の残余電気量情報のうち少なくとも１つを前記第１の電子装置に送信するステップ
をさらに含み、
前記第１の電子装置が前記充電装置の役割を果たすと前記第１の電子装置が判定したとき、前記第２の電子装置により、前記第１の電子装置により送信された充電制御メッセージを受信するステップの前に、前記方法は、
前記第２の電子装置の充電ステータス情報、前記第２の電子装置の出力電力情報および前記第２の電子装置の残余電気量情報のうち少なくとも１つを前記第１の電子装置に送信するステップ、または、
前記第１の電子装置の要求メッセージを受信し、前記第１の電子装置の前記要求メッセージに従って、前記第２の電子装置の充電ステータス情報、前記第２の電子装置の出力電力情報および前記第２の電子装置の残余電気量情報のうち少なくとも１つを前記第１の電子装置に送信するステップ
をさらに含む、請求項９に記載の方法。
【請求項１１】
前記第２の電子装置の充電ステータス情報、前記第２の電子装置の出力電力情報および前記第２の電子装置の残余電気量情報のうち少なくとも１つを前記第１の電子装置に送信するステップの前に、
前記第２の電子装置および前記第１の電子装置が近接場通信（ＮＦＣ）の有効距離内に保たれ、両方の電子装置の間で近接場通信（ＮＦＣ）が発生していない時間が事前設定時間閾値を超えると判定するステップ
をさらに含む、請求項１０に記載の方法。
【請求項１２】
電子装置であって、
前記電子装置が充電装置であるか第２の電子装置が充電装置であるかを充電基準情報に従って判定し、前記電子装置が前記充電装置であると判定された場合、ＮＦＣ無線充電サービスを有効にして前記第２の電子装置の充電に備えるようにＮＦＣ無線充電コントローラを制御するか、または、前記第２の電子装置が前記充電装置であると判定された場合、通知を前記第２の電子装置に送信するように送受信器を制御するように構成されたプロセッサと、
前記プロセッサの制御に従って前記ＮＦＣ無線充電サービスを有効にして前記第２の電子装置の充電に備えるように構成された前記ＮＦＣ無線充電コントローラと、
前記第２の電子装置が前記第２の電子装置のＮＦＣ無線充電サービスを前記通知に従って有効にして前記電子装置の充電に備えるように、前記プロセッサの制御に従って前記通知を前記第２の電子装置に送信するように構成された前記送受信器と、
を備え、
前記充電基準情報は、前記電子装置の出力電力情報および前記電子装置の残余電気量情報を含み、前記プロセッサは特に、
前記電子装置の出力電力情報に従って、前記電子装置の出力電力値が事前設定電力閾値以上であるか、または、前記電子装置の出力電力レベルが事前設定電力レベル以上であると判定され、前記電子装置の残余電気量情報に従って前記電子装置の残余電気量値が第１の電気量閾値以上であると判定された場合、前記電子装置が前記充電装置であると判定するように構成され、
前記第１の電気量閾値は、事前設定電気量閾値、または両方の電子装置の残余電気量情報に従って前記電子装置により設定された電気量閾値である、
電子装置。
【請求項１３】
前記プロセッサはさらに、前記電子装置が前記充電装置であるか前記第２の電子装置が前記充電装置であるかが前記充電基準情報に従って判定される前に、前記電子装置と前記第２の電子装置が近接場通信（ＮＦＣ）の有効距離内に保たれ、両方の電子装置の間で近接場通信（ＮＦＣ）が発生していない時間が事前設定時間閾値を超えると判定するように構成される、請求項１２に記載の電子装置。
【請求項１４】
前記充電基準情報は、前記電子装置の充電ステータス情報と前記第２の電子装置の充電ステータス情報を含み、前記プロセッサは特に、
前記電子装置の前記充電ステータス情報に従って前記電子装置が電力受信状態にないと判定され、前記第２の電子装置の充電ステータス情報に従って前記第２の電子装置が前記電力受信状態にあると判定された場合、前記第２の電子装置が前記充電装置であると判定するか、または、
前記電子装置の前記充電ステータス情報に従って前記電子装置が電力受信状態にあると判定され、前記第２の電子装置の充電ステータス情報に従って前記第２の電子装置が前記電力受信状態にないと判定された場合、前記電子装置が前記充電装置であると判定する
ように構成される、請求項１２または１３に記載の電子装置。
【請求項１５】
前記充電基準情報は、前記電子装置の出力電力情報、前記電子装置の充電ステータス情報、および前記第２の電子装置の充電ステータス情報を含み、前記プロセッサは特に、
前記電子装置の出力電力情報に従って、前記電子装置の出力電力値が事前設定電力閾値以上であるか、または、前記電子装置の出力電力レベルが事前設定電力レベル以上であると判定され、前記電子装置の前記充電ステータス情報に従って前記電子装置が電力受信状態にあると判定され、前記第２の電子装置の充電ステータス情報に従って前記第２の電子装置が前記電力受信状態にないと判定された場合、前記電子装置が前記充電装置であると判定する、
ように構成される、請求項１２または１３に記載の電子装置。
【請求項１６】
前記充電基準情報は、前記電子装置の出力電力情報、前記第２の電子装置の出力電力情報、前記電子装置の充電ステータス情報および前記第２の電子装置の充電ステータス情報を含み、前記プロセッサは特に、
両方の電子装置の前記出力電力情報に従って前記電子装置が出力電力の大きい電子装置であると判定され、前記第２の電子装置の充電ステータス情報に従って前記第２の電子装置が電力受信状態にないと判定された場合、前記電子装置が前記充電装置であると判定するか、または、
前記両方の電子装置の前記出力電力情報に従って前記第２の電子装置が出力電力の大きい電子装置であると判定され、前記電子装置の前記充電ステータス情報に従って前記電子装置が電力受信状態にないと判定された場合、前記第２の電子装置が前記充電装置であると判定する、
ように構成される、請求項１２または１３に記載の電子装置。
【請求項１７】
前記充電基準情報は、前記電子装置の出力電力情報、前記第２の電子装置の出力電力情報、前記電子装置の残余電気量情報および前記第２の電子装置の残余電気量情報を含み、前記プロセッサは特に、
両方の電子装置の前記出力電力情報に従って前記電子装置が出力電力の大きい電子装置であると判定され、前記電子装置の残余電気量情報に従って前記電子装置の残余電気量値が第１の電気量閾値以上であると判定された場合、前記電子装置が前記充電装置であると判定するか、または、
前記両方の電子装置の前記出力電力情報に従って前記第２の電子装置が出力電力の大きい電子装置であると判定され、前記第２の電子装置の残余電気量情報に従って前記第２の電子装置の残余電気量値が第２の電気量閾値以上であると判定された場合、前記第２の電子装置が前記充電装置であると判定する、
ように構成され、
前記第１の電気量閾値は、事前設定電気量閾値、または前記両方の電子装置の残余電気量情報に従って前記第１の電子装置により設定された電気量閾値であり、
前記第２の電気量閾値は、事前設定電気量閾値、または前記両方の電子装置の残余電気量情報に従って前記第１の電子装置により設定された電気量閾値である、
請求項１２または１３に記載の電子装置。
【請求項１８】
前記充電基準情報は、前記電子装置の充電ステータス情報、前記第２の電子装置の充電ステータス情報、前記電子装置の出力電力情報、前記第２の電子装置の出力電力情報、ならびに前記電子装置および／または前記第２の電子装置の残余電気量情報を含み、前記プロセッサは特に、
両方の電子装置の前記充電ステータス情報に従って前記両方の電子装置の何れもが電力受信状態にないと判定され、前記両方の電子装置の前記出力電力情報に従って前記電子装置が出力電力の大きい電子装置であると判定され、前記電子装置の残余電気量情報に従って前記電子装置の残余電気量値が第１の電気量閾値以上であると判定された場合、前記電子装置が前記充電装置であると判定し、
前記両方の電子装置の前記充電ステータス情報に従って前記電子装置のみが電力受信状態にあると判定され、前記両方の電子装置の前記出力電力情報に従って前記電子装置が出力電力の大きい電子装置であると判定された場合、前記電子装置が前記充電装置であると判定し、
前記両方の電子装置の前記充電ステータス情報に従って前記両方の電子装置の何れもが電力受信状態にないと判定され、前記両方の電子装置の前記出力電力情報に従って前記第２の電子装置が出力電力の大きい電子装置であると判定され、前記第２の電子装置の残余電気量情報に従って前記第２の電子装置の残余電気量値が第２の電気量閾値以上であると判定された場合、前記第２の電子装置が前記充電装置であると判定するか、または、
前記両方の電子装置の前記充電ステータス情報に従って前記第２の電子装置のみが電力受信状態にあると判定され、前記両方の電子装置の前記出力電力情報に従って前記第２の電子装置が出力電力の大きい電子装置であると判定された場合、前記第２の電子装置が前記充電装置であると判定する、
ように構成され、
前記第１の電気量閾値は、事前設定電気量閾値、または前記両方の電子装置の残余電気量情報に従って前記第１の電子装置により設定された電気量閾値であり、
前記第２の電気量閾値は、事前設定電気量閾値、または前記両方の電子装置の残余電気量情報に従って前記第１の電子装置により設定された電気量閾値である、
請求項１２または１３に記載の電子装置。
【請求項１９】
出力電力が大きい前記電子装置は、出力電力レベルが高い電子装置、および／または前記両方の電子装置の出力電力値の差分の絶対値が事前設定電力差分閾値以上であるとき出力電力値がより大きい電子装置を含む、請求項１６乃至１８の何れか１項に記載の電子装置。
【請求項２０】
電子装置であって、
前記電子装置が充電装置であると第１の電子装置が判定したとき、第１の電子装置により送信された通知を受信するように構成された送受信器と、
前記送受信器により受信された前記通知に従って、前記電子装置のＮＦＣ無線充電サービスを有効にするようにＮＦＣ無線充電コントローラを制御するように構成されたプロセッサと、
前記プロセッサの制御に従って前記ＮＦＣ無線充電サービスを有効にして、前記第１の電子装置の充電に備えるように構成された前記ＮＦＣ無線充電コントローラ、または、
前記第１の電子装置が充電装置であると前記第１の電子装置が判定したとき、前記第１の電子装置により送信された充電制御メッセージを受信するように構成された前記送受信器と、
前記送受信器により受信された前記充電制御メッセージに従って、被充電装置として応答するように前記電子装置に指示するように構成された前記プロセッサと、
を備え、
前記第１の電子装置により、充電装置が前記第１の電子装置であるか第２の電子装置であるかを充電基準情報に従って判定するステップは、
前記第１の電子装置の出力電力情報に従って、前記第１の電子装置の出力電力値が事前設定電力閾値以上であるか、または、前記第１の電子装置の出力電力レベルが事前設定電力レベル以上であると判定され、前記第１の電子装置の残余電気量情報に従って前記第１の電子装置の残余電気量値が第１の電気量閾値以上であると判定された場合、前記第１の電子装置が前記充電装置であると判定するステップ
を含み、
前記第１の電気量閾値は、両方の電子装置の残余電気量情報と、第１の電子装置の最小電気量値、または、第１の電子装置が第２の電子装置を充電した後の第２の電子装置の推定通常使用時間とに従って前記第１の電子装置により設定された電気量閾値である、
電子装置。
【請求項２１】
前記送受信器はさらに、前記通知が受信される前に、
前記電子装置の充電ステータス情報、前記電子装置の出力電力情報および前記電子装置の残余電気量情報のうち少なくとも１つを前記第１の電子装置に送信するか、または、前記第１の電子装置の要求メッセージを受信し、前記第１の電子装置の前記要求メッセージに従って、前記電子装置の充電ステータス情報、前記電子装置の出力電力情報および前記電子装置の残余電気量情報のうち少なくとも１つを前記第１の電子装置に送信するように構成され、
前記送受信器はさらに、前記充電制御メッセージが受信される前に、
前記電子装置の充電ステータス情報、前記電子装置の出力電力情報および前記電子装置の残余電気量情報のうち少なくとも１つを前記第１の電子装置に送信するか、または、前記第１の電子装置の要求メッセージを受信し、前記第１の電子装置の前記要求メッセージに従って、前記電子装置の充電ステータス情報、前記電子装置の出力電力情報および前記電子装置の残余電気量情報のうち少なくとも１つを前記第１の電子装置に送信するように構成される、
請求項２０に記載の電子装置。
【請求項２２】
前記プロセッサはさらに、前記送受信器が前記電子装置の前記充電ステータス情報、前記電子装置の出力電力情報および前記電子装置の残余電気量情報のうち少なくとも１つを前記第１の電子装置に送信する前に、前記電子装置および前記第１の電子装置が近接場通信（ＮＦＣ）の有効距離内に保たれ、両方の電子装置の間で近接場通信（ＮＦＣ）が発生していない時間が事前設定時間閾値を超えると判定するように構成される、請求項２１に記載の電子装置。
【発明の詳細な説明】
【技術分野】
【０００１】
本発明は無線充電技術の分野に関し、特に、近接場通信ＮＦＣ無線充電サービスを有効にするための方法および装置に関する。
【背景技術】
【０００２】
電子装置の継続的な増加と多様化とともに、人々はますます多数の無秩序な充電ケーブルを取り除きたいと思っており、当該希望の勢いのもとで、無線充電技術がますます成熟している。
【０００３】
先行技術では、ＮＦＣ（Ｎｅａｒ  Ｆｉｅｌｄ  Ｃｏｍｍｕｎｉｃａｔｉｏｎ）無線充電を実施する前に、ユーザは充電サービスを提供する電子装置の無線充電機能を手動で有効にし、充電すべき電子装置をＮＦＣ通信の有効範囲内に置く必要があり、次いで当該充電サービスを提供する電子装置がＮＦＣ通信を用いた無線充電プロセスを開始する。
【０００４】
以上から、ＮＦＣ無線充電は、ユーザが非常に明確な充電目的を有し、充電サービスを提供する電子装置のＮＦＣ無線充電機能を手動で有効にするケースでのみ実施でき、したがってＮＦＣ無線充電が途中で停止した（例えば、充電すべき電子装置が無線充電の有効範囲を出た）とき、ユーザが充電を継続する必要がある場合、ユーザは充電サービスを提供する電子装置のＮＦＣ無線充電機能を再度手動で有効にすることができ、これはユーザの操作を煩わしくさせ、ユーザ・エクスペリエンスを悪化させることが分かる。
【発明の概要】
【課題を解決するための手段】
【０００５】
本発明では、ＮＦＣ無線充電を有効にするための方法および装置を提供する。当該方法および装置は、電力を提供する電子装置のＮＦＣ無線充電サービスを自動的に有効にすることができる。
【０００６】
本発明の第１の態様では、第１の電子装置により、充電装置が第１の電子装置であるか第２の電子装置であるかを充電基準情報に従って判定するステップと、充電装置が第１の電子装置であると判定された場合、第１の電子装置のＮＦＣ無線充電サービスを有効にして第２の電子装置の充電に備えるステップ、または充電装置が第２の電子装置である場合には、ＮＦＣ無線充電サービスを有効にして第１の電子装置の充電に備えるように第２の電子装置に指示するステップとを含む、ＮＦＣ無線充電サービスを有効にするための方法を提供する。
【０００７】
第１の態様の第１の可能な実装方式では、第１の電子装置により、充電装置が第１の電子装置であるか第２の電子装置であるかを充電基準情報に従って判定するステップの前に、当該方法は、第１の電子装置と第２の電子装置がＮＦＣ通信の有効距離内に保たれ、両方の電子装置の間でＮＦＣ通信が発生していない時間が事前設定時間閾値を超えると判定するステップを含む。
【０００８】
第１の態様または第１の可能な実装方式を参照して、第２の可能な実装方式では、当該充電基準情報は、第１の電子装置の充電ステータス情報と第２の電子装置の充電ステータス情報を含み、第１の電子装置により、充電装置が第１の電子装置であるか第２の電子装置であるかを充電基準情報に従って判定するステップは、第１の電子装置の充電ステータス情報に従って、第１の電子装置が電力受信状態にないと判定され、かつ、第２の電子装置の充電ステータス情報に従って、第２の電子装置が電力受信状態にあると判定された場合、第２の電子装置が充電装置であると判定するステップ、または、第１の電子装置の充電ステータス情報に従って第１の電子装置が電力受信状態にあると判定され、第２の電子装置の充電ステータス情報に従って第２の電子装置が電力受信状態にないと判定された場合、第１の電子装置が充電装置であると判定するステップを含む。
【０００９】
第１の態様または第１の可能な実装方式を参照して、第３の可能な実装方式では、当該充電基準情報は、第１の電子装置の出力電力情報、第１の電子装置の充電ステータス情報、および第２の電子装置の充電ステータス情報を含み、第１の電子装置により、充電装置が第１の電子装置であるか第２の電子装置であるかを充電基準情報に従って判定するステップは、第１の電子装置の出力電力情報に従って、第１の電子装置の出力電力値が事前設定電力閾値以上であるか、または、第１の電子装置の出力電力レベルが事前設定電力レベル以上であると判定され、第１の電子装置の充電ステータス情報に従って第１の電子装置が電力受信状態にあると判定され、第２の電子装置の充電ステータス情報に従って第２の電子装置が電力受信状態にないと判定された場合、第１の電子装置が充電装置であると判定するステップを含む。
【００１０】
第１の態様または第１の可能な実装方式を参照して、第４の可能な実装方式では、当該充電基準情報は、第１の電子装置の出力電力情報と第１の電子装置の残余電気量情報を含み、第１の電子装置により、充電装置が第１の電子装置であるか第２の電子装置であるかを充電基準情報に従って判定するステップは、第１の電子装置の出力電力情報に従って、第１の電子装置の出力電力値が事前設定電力閾値以上であるか、または、第１の電子装置の出力電力レベルが事前設定電力レベル以上であると判定され、第１の電子装置の残余電気量情報に従って第１の電子装置の残余電気量値が第１の電気量閾値以上であると判定された場合、第１の電子装置が充電装置であると判定するステップを含み、第１の電気量閾値は、事前設定電気量閾値、または両方の電子装置の残余電気量情報に従って第１の電子装置により設定された電気量閾値を含む。
【００１１】
第１の態様または第１の可能な実装方式を参照して、第５の可能な実装方式では、当該充電基準情報は、第１の電子装置の出力電力情報、第２の電子装置の出力電力情報、第１の電子装置の充電ステータス情報および第２の電子装置の充電ステータス情報を含み、第１の電子装置により、充電装置が第１の電子装置であるか第２の電子装置であるかを充電基準情報に従って判定するステップは、両方の電子装置の出力電力情報に従って第１の電子装置が出力電力の大きい電子装置であると判定され、第２の電子装置の充電ステータス情報に従って第２の電子装置が電力受信状態にないと判定された場合、第１の電子装置が充電装置であると判定するステップ、または、両方の電子装置の出力電力情報に従って第２の電子装置が出力電力の大きい電子装置であると判定され、第１の電子装置の充電ステータス情報に従って第１の電子装置が電力受信状態にないと判定された場合、第２の電子装置が充電装置であると判定するステップを含む。
【００１２】
第１の態様または第１の可能な実装方式を参照して、第６の可能な実装方式では、当該充電基準情報は、第１の電子装置の出力電力情報、第２の電子装置の出力電力情報、第１の電子装置の残余電気量情報および第２の電子装置の残余電気量情報を含み、第１の電子装置により、充電装置が第１の電子装置であるか第２の電子装置であるかを充電基準情報に従って判定するステップは、両方の電子装置の出力電力情報に従って第１の電子装置が出力電力の大きい電子装置であると判定され、第１の電子装置の残余電気量情報に従って第１の電子装置の残余電気量値が第１の電気量閾値以上であると判定された場合、第１の電子装置が充電装置であると判定するステップ、または、両方の電子装置の出力電力情報に従って第２の電子装置が出力電力の大きい電子装置であると判定され、第２の電子装置の残余電気量情報に従って第２の電子装置の残余電気量値が第２の電気量閾値以上であると判定された場合、第２の電子装置が充電装置であると判定するステップを含み、第１の電気量閾値は、事前設定電気量閾値、または両方の電子装置の残余電気量情報に従って第１の電子装置により設定された電気量閾値を含み、第２の電気量閾値は、事前設定電気量閾値、または両方の電子装置の残余電気量情報に従って第１の電子装置により設定された電気量閾値を含む。
【００１３】
第１の態様または第１の可能な実装方式を参照して、第７の可能な実装方式では、当該充電基準情報は、第１の電子装置の充電ステータス情報、第２の電子装置の充電ステータス情報、第１の電子装置の出力電力情報、第２の電子装置の出力電力情報、ならびに第１の電子装置および／または第２の電子装置の残余電気量情報を含み、第１の電子装置により、充電装置が第１の電子装置であるか第２の電子装置であるかを充電基準情報に従って判定するステップは、両方の電子装置の充電ステータス情報に従って両方の電子装置の何れもが電力受信状態にないと判定され、両方の電子装置の出力電力情報に従って第１の電子装置が出力電力の大きい電子装置であると判定され、第１の電子装置の残余電気量情報に従って第１の電子装置の残余電気量値が第１の電気量閾値以上であると判定された場合、第１の電子装置が充電装置であると判定するステップと、両方の電子装置の充電ステータス情報に従って第１の電子装置のみが電力受信状態にあると判定され、両方の電子装置の出力電力情報に従って第１の電子装置が出力電力の大きい電子装置であると判定された場合、第１の電子装置が充電装置であると判定するステップと、両方の電子装置の充電ステータス情報に従って両方の電子装置の何れもが電力受信状態にないと判定され、両方の電子装置の出力電力情報に従って第２の電子装置が出力電力の大きい電子装置であると判定され、第２の電子装置の充電ステータス情報に従って第２の電子装置の残余電気量値が第２の電気量閾値以上であると判定された場合、第２の電子装置が充電装置であると判定するステップ、または、両方の電子装置の充電ステータス情報に従って第２の電子装置のみが電力受信状態にあると判定され、両方の電子装置の出力電力情報に従って第２の電子装置が出力電力の大きい電子装置であると判定された場合、第２の電子装置が充電装置であると判定するステップを含み、第１の電気量閾値は、事前設定電気量閾値、または両方の電子装置の残余電気量情報に従って第１の電子装置により設定された電気量閾値を含み、第２の電気量閾値は、事前設定電気量閾値、または両方の電子装置の残余電気量情報に従って第１の電子装置により設定された電気量閾値を含む。
【００１４】
第５の可能な実装方式乃至第７の可能な実装方式の何れかの可能な実装方式を参照して、第８の可能な実装方式では、出力電力の大きい電子装置は、出力電力レベルが高い電子装置、および／または両方の電子装置の出力電力値の差分の絶対値が事前設定電力差分閾値以上であるとき出力電力値がより大きい電子装置を含む。
【００１５】
本発明の第２の態様では、近接場通信ＮＦＣ無線充電サービスを提供するための別の方法を提供する。当該方法は、第２の電子装置により、第２の電子装置が充電装置であると第１の電子装置が判定したとき、第１の電子装置により送信された通知を受信し、第２の電子装置のＮＦＣ無線充電サービスを当該通知に従って有効にして第１の電子装置の充電に備えるステップ、または、第１の電子装置が充電装置の役割を果たすと第１の電子装置が判定したとき、第２の電子装置により、第１の電子装置により送信された充電制御メッセージを受信して、被充電装置として応答するように第２の電子装置に指示するステップを含む。
【００１６】
第２の態様の第１の可能な実装方式では、第２の電子装置により、第２の電子装置が充電装置であると第１の電子装置が判定したとき、第１の電子装置により送信された通知を受信するステップの前に、当該方法は、第２の電子装置の充電ステータス情報、第２の電子装置の出力電力情報および第２の電子装置の残余電気量情報のうち少なくとも１つを第１の電子装置に送信するステップ、または、第１の電子装置の要求メッセージを受信し、第１の電子装置の当該要求メッセージに従って、第２の電子装置の充電ステータス情報、第２の電子装置の出力電力情報および第２の電子装置の残余電気量情報のうち少なくとも１つを第１の電子装置に送信するステップをさらに含み、第１の電子装置が充電装置の役割を果たすと第１の電子装置が判定したとき、第２の電子装置により、第１の電子装置により送信された充電制御メッセージを受信するステップの前に、当該方法は、第２の電子装置の充電ステータス情報、第２の電子装置の出力電力情報および第２の電子装置の残余電気量情報のうち少なくとも１つを第１の電子装置に送信するステップ、または、第１の電子装置の要求メッセージを受信し、第１の電子装置の当該要求メッセージに従って、第２の電子装置の充電ステータス情報、第２の電子装置の出力電力情報および第２の電子装置の残余電気量情報のうち少なくとも１つを第１の電子装置に送信するステップをさらに含む。
【００１７】
第１の可能な実装方式を参照して、第２の可能な実装方式では、第２の電子装置の充電ステータス情報、第２の電子装置の出力電力情報および第２の電子装置の残余電気量情報のうち少なくとも１つを第１の電子装置に送信するステップの前に、当該方法は、第２の電子装置および第１の電子装置がＮＦＣ通信の有効距離内に保たれ、両方の電子装置の間でＮＦＣ通信が発生していない時間が事前設定時間閾値を超えると判定するステップをさらに含む。
【００１８】
本発明の第３の態様では電子装置を提供する。当該電子装置は、当該電子装置が充電装置であるか第２の電子装置が充電装置であるかを充電基準情報に従って判定し、当該電子装置が充電装置であると判定された場合、ＮＦＣ無線充電サービスを有効にして第２の電子装置の充電に備えるようにＮＦＣ無線充電コントローラを制御するか、または、第２の電子装置が充電装置であると判定された場合、通知を第２の電子装置に送信するように送受信器を制御するように構成されたプロセッサと、当該プロセッサの制御に従って当該ＮＦＣ無線充電サービスを有効にして第２の電子装置の充電に備えるように構成された当該ＮＦＣ無線充電コントローラと、第２の電子装置が第２の電子装置のＮＦＣ無線充電サービスを当該通知に従って有効にして当該電子装置の充電に備えるように、当該プロセッサの制御に従って当該通知を第２の電子装置に送信するように構成された当該送受信器とを備える。
【００１９】
第３の態様の第１の可能な実装方式では、当該プロセッサはさらに、当該電子装置が充電装置であるか第２の電子装置が充電装置であるかが当該充電基準情報に従って判定される前に、当該電子装置と第２の電子装置がＮＦＣ通信の有効距離内に保たれ、両方の電子装置の間でＮＦＣ通信が発生していない時間が事前設定時間閾値を超えると判定するように構成される。
【００２０】
第３の態様または第１の可能な実装方式を参照して、第２の可能な実装方式では、当該充電基準情報は、当該電子装置の充電ステータス情報と第２の電子装置の充電ステータス情報を含み、当該プロセッサは特に、当該電子装置の充電ステータス情報に従って当該電子装置が電力受信状態にないと判定され、第２の電子装置の充電ステータス情報に従って第２の電子装置が電力受信状態にあると判定された場合、第２の電子装置が充電装置であると判定するか、または、当該電子装置の充電ステータス情報に従って当該電子装置が電力受信状態にあると判定され、第２の電子装置の充電ステータス情報に従って第２の電子装置が電力受信状態にないと判定された場合、当該電子装置が充電装置であると判定するように構成される。
【００２１】
第３の態様または第１の可能な実装方式を参照して、第３の可能な実装方式では、当該充電基準情報は、当該電子装置の出力電力情報、当該電子装置の充電ステータス情報、および第２の電子装置の充電ステータス情報を含み、当該プロセッサは特に、当該電子装置の出力電力情報に従って、当該電子装置の出力電力値が事前設定電力閾値以上であるか、または、当該電子装置の出力電力レベルが事前設定電力レベル以上であると判定され、当該電子装置の充電ステータス情報に従って当該電子装置が電力受信状態にあると判定され、第２の電子装置の充電ステータス情報に従って第２の電子装置が電力受信状態にないと判定された場合、当該電子装置が充電装置であると判定するように構成される。
【００２２】
第３の態様または第１の可能な実装方式を参照して、第４の可能な実装方式では、当該充電基準情報は、当該電子装置の出力電力情報および当該電子装置の残余電気量情報を含み、当該プロセッサは特に、当該電子装置の出力電力情報に従って、当該電子装置の出力電力値が事前設定電力閾値以上であるか、または、当該電子装置の出力電力レベルが事前設定電力レベル以上であると判定され、当該電子装置の残余電気量情報に従って当該電子装置の残余電気量値が第１の電気量閾値以上であると判定された場合、当該電子装置が充電装置であると判定するように構成され、第１の電気量閾値は、事前設定電気量閾値、または両方の電子装置の残余電気量情報に従って当該電子装置により設定された電気量閾値を含む。
【００２３】
第３の態様または第１の可能な実装方式を参照して、第５の可能な実装方式では、当該充電基準情報は、当該電子装置の出力電力情報、第２の電子装置の出力電力情報、当該電子装置の充電ステータス情報、および第２の電子装置の充電ステータス情報を含み、当該プロセッサは特に、両方の電子装置の出力電力情報に従って当該電子装置が出力電力の大きい電子装置であると判定され、第２の電子装置の充電ステータス情報に従って第２の電子装置が電力受信状態にないと判定された場合、当該電子装置が充電装置であると判定するか、または、両方の電子装置の出力電力情報に従って第２の電子装置が出力電力の大きい電子装置であると判定され、当該電子装置の充電ステータス情報に従って当該電子装置が電力受信状態にないと判定された場合、第２の電子装置が充電装置であると判定する
ように構成される。
【００２４】
第３の態様または第１の可能な実装方式を参照して、第６の可能な実装方式では、当該充電基準情報は、当該電子装置の出力電力情報、第２の電子装置の出力電力情報、当該電子装置の残余電気量情報および第２の電子装置の残余電気量情報を含み、当該プロセッサは特に、両方の電子装置の出力電力情報に従って当該電子装置が出力電力の大きい電子装置であると判定され、当該電子装置の残余電気量情報に従って当該電子装置の残余電気量値が第１の電気量閾値以上であると判定された場合、当該電子装置が充電装置であると判定するか、または、両方の電子装置の出力電力情報に従って第２の電子装置が出力電力の大きい電子装置であると判定され、第２の電子装置の残余電気量情報に従って第２の電子装置の残余電気量値が第２の電気量閾値以上であると判定された場合、第２の電子装置が充電装置であると判定するように構成され、第１の電気量閾値は、事前設定電気量閾値、または両方の電子装置の残余電気量情報に従って当該電子装置により設定された電気量閾値を含み、第２の電気量閾値は、事前設定電気量閾値、または両方の電子装置の残余電気量情報に従って当該電子装置により設定された電気量閾値を含む。
【００２５】
第３の態様または第１の可能な実装方式を参照して、第７の可能な実装方式では、当該充電基準情報は、当該電子装置の充電ステータス情報、第２の電子装置の充電ステータス情報、当該電子装置の出力電力情報、第２の電子装置の出力電力情報、ならびに当該電子装置および／または第２の電子装置の残余電気量情報を含み、当該プロセッサは特に、両方の電子装置の充電ステータス情報に従って両方の電子装置の何れもが電力受信状態にないと判定され、両方の電子装置の出力電力情報に従って当該電子装置が出力電力の大きい電子装置であると判定され、当該電子装置の残余電気量情報に従って当該電子装置の残余電気量値が第１の電気量閾値以上であると判定された場合、当該電子装置が充電装置であると判定し、両方の電子装置の充電ステータス情報に従って当該電子装置のみが電力受信状態にあると判定され、両方の電子装置の出力電力情報に従って当該電子装置が出力電力の大きい電子装置であると判定された場合、当該電子装置が充電装置であると判定し、両方の電子装置の充電ステータス情報に従って両方の電子装置の何れもが電力受信状態にないと判定され、両方の電子装置の出力電力情報に従って第２の電子装置が出力電力の大きい電子装置であると判定され、第２の電子装置の充電ステータス情報に従って第２の電子装置の残余電気量値が第２の電気量閾値以上であると判定された場合、第２の電子装置が充電装置であると判定するか、または、両方の電子装置の充電ステータス情報に従って第２の電子装置のみが電力受信状態にあると判定され、両方の電子装置の出力電力情報に従って第２の電子装置が出力電力の大きい電子装置であると判定された場合、第２の電子装置が充電装置であると判定するように構成され、第１の電気量閾値は、事前設定電気量閾値、または両方の電子装置の残余電気量情報に従って当該電子装置により設定された電気量閾値を含み、第２の電気量閾値は、事前設定電気量閾値、または両方の電子装置の残余電気量情報に従って当該電子装置により設定された電気量閾値を含む。
【００２６】
第５の可能な実装方式乃至第７の可能な実装方式の何れかの可能な実装方式を参照して、第８の可能な実装方式では、出力電力の大きい電子装置は、出力電力レベルが高い電子装置、および／または両方の電子装置の出力電力値の差分の絶対値が事前設定電力差分閾値以上であるとき出力電力値がより大きい電子装置を含む。
【００２７】
本発明の第４の態様では電子装置を提供する。当該電子装置は、当該電子装置が充電装置であると第１の電子装置が判定したとき、第１の電子装置により送信された通知を受信するように構成された送受信器と、当該送受信器により受信された当該通知に従って、当該電子装置のＮＦＣ無線充電サービスを有効にするようにＮＦＣ無線充電コントローラを制御するように構成されたプロセッサと、当該プロセッサの制御に従って当該ＮＦＣ無線充電サービスを有効にして第１の電子装置の充電に備えるように構成された当該ＮＦＣ無線充電コントローラ、または、第１の電子装置が充電装置であると第１の電子装置が判定したとき、第１の電子装置により送信された充電制御メッセージを受信するように構成された当該送受信器と、当該送受信器により受信された当該充電制御メッセージに従って、被充電装置として応答するように当該電子装置に指示するように構成された当該プロセッサとを備える。
【００２８】
第４の態様の第１の可能な実装方式では、当該送受信器はさらに、当該通知が受信される前に、当該電子装置の充電ステータス情報、当該電子装置の出力電力情報および当該電子装置の残余電気量情報のうち少なくとも１つを第１の電子装置に送信するか、または、第１の電子装置の要求メッセージを受信し、第１の電子装置の当該要求メッセージに従って、当該電子装置の充電ステータス情報、当該電子装置の出力電力情報および当該電子装置の残余電気量情報のうち少なくとも１つを第１の電子装置に送信するように構成され、当該送受信器はさらに、当該充電制御メッセージが受信される前に、当該電子装置の充電ステータス情報、当該電子装置の出力電力情報および当該電子装置の残余電気量情報のうち少なくとも１つを第１の電子装置に送信するか、または、第１の電子装置の要求メッセージを受信し、第１の電子装置の当該要求メッセージに従って、当該電子装置の充電ステータス情報、当該電子装置の出力電力情報および当該電子装置の残余電気量情報のうち少なくとも１つを第１の電子装置に送信するように構成される。
【００２９】
第１の可能な実装方式を参照して、第２の可能な実装方式では、当該プロセッサはさらに、当該送受信器が当該電子装置の充電ステータス情報、当該電子装置の出力電力情報および当該電子装置の残余電気量情報のうち少なくとも１つを第１の電子装置に送信する前に、当該電子装置および第１の電子装置がＮＦＣ通信の有効距離内に保たれ、両方の電子装置の間でＮＦＣ通信が発生していない時間が事前設定時間閾値を超えると判定するように構成される。
【００３０】
本発明の第５の態様では電子装置を提供する。当該電子装置は、充電装置が当該電子装置であるか第２の電子装置であるかを充電基準情報に従って判定し、充電装置が当該電子装置であると判定されたとき、当該電子装置のＮＦＣ無線充電サービスを有効にして第２の電子装置の充電に備えるように構成された処理ユニットと、充電装置が第２の電子装置であると当該処理ユニットが判定したとき、ＮＦＣ無線充電サービスを有効にして当該電子装置の充電に備えるように第２の電子装置に指示するように構成された送信ユニットとを備える。
【００３１】
第５の態様の第１の可能な実装方式では、当該処理ユニットはさらに、充電装置が当該電子装置であるか第２の電子装置であるかが当該充電基準情報に従って判定される前に、当該電子装置と第２の電子装置がＮＦＣ通信の有効距離内に保たれ、両方の電子装置の間でＮＦＣ通信が発生していない時間が事前設定時間閾値を超えると判定するように構成される。
【００３２】
第５の態様または第１の可能な実装方式を参照して、第２の可能な実装方式では、当該充電基準情報は、当該電子装置の充電ステータス情報と第２の電子装置の充電ステータス情報を含み、当該処理ユニットはさらに、当該電子装置の充電ステータス情報に従って当該電子装置が電力受信状態にないと判定され、第２の電子装置の充電ステータス情報に従って第２の電子装置が電力受信状態にあると判定された場合、第２の電子装置が充電装置であると判定するか、または、当該電子装置の充電ステータス情報に従って当該電子装置が電力受信状態にあると判定され、第２の電子装置の充電ステータス情報に従って第２の電子装置が電力受信状態にないと判定された場合、当該電子装置が充電装置であると判定するように構成される。
【００３３】
第５の態様または第１の可能な実装方式を参照して、第３の可能な実装方式では、当該充電基準情報は、当該電子装置の出力電力情報、当該電子装置の充電ステータス情報、および第２の電子装置の充電ステータス情報を含み、当該処理ユニットは特に、当該電子装置の出力電力情報に従って、当該電子装置の出力電力値が事前設定電力閾値以上であるか、または、当該電子装置の出力電力レベルが事前設定電力レベル以上であると判定され、当該電子装置の充電ステータス情報に従って当該電子装置が電力受信状態にあると判定され、第２の電子装置の充電ステータス情報に従って第２の電子装置が電力受信状態にないと判定された場合、当該電子装置が充電装置であると判定するように構成される。
【００３４】
第５の態様または第１の可能な実装方式を参照して、第４の可能な実装方式では、当該充電基準情報は、当該電子装置の出力電力情報および当該電子装置の残余電気量情報を含み、当該処理ユニットは特に、当該電子装置の出力電力情報に従って、当該電子装置の出力電力値が事前設定電力閾値以上であるか、または、当該電子装置の出力電力レベルが事前設定電力レベル以上であると判定され、当該電子装置の残余電気量情報に従って当該電子装置の残余電気量値が第１の電気量閾値以上であると判定された場合、当該電子装置が充電装置であると判定するように構成され、第１の電気量閾値は、事前設定電気量閾値、または両方の電子装置の残余電気量情報に従って当該電子装置により設定された電気量閾値を含む。
【００３５】
第５の態様または第１の可能な実装方式を参照して、第５の可能な実装方式では、当該充電基準情報は、当該電子装置の出力電力情報、第２の電子装置の出力電力情報、当該電子装置の充電ステータス情報、および第２の電子装置の充電ステータス情報を含み、当該処理ユニットは特に、両方の電子装置の出力電力情報に従って当該電子装置が出力電力の大きい電子装置であると判定され、第２の電子装置の充電ステータス情報に従って第２の電子装置が電力受信状態にないと判定された場合、当該電子装置が充電装置であると判定するか、または、両方の電子装置の出力電力情報に従って第２の電子装置が出力電力の大きい電子装置であると判定され、当該電子装置の充電ステータス情報に従って当該電子装置が電力受信状態にないと判定された場合、第２の電子装置が充電装置であると判定するように構成される。
【００３６】
第５の態様または第１の可能な実装方式を参照して、第６の可能な実装方式では、当該充電基準情報は、当該電子装置の出力電力情報、第２の電子装置の出力電力情報、当該電子装置の残余電気量情報および第２の電子装置の残余電気量情報を含み、当該処理ユニットは特に、両方の電子装置の出力電力情報に従って当該電子装置が出力電力の大きい電子装置であると判定され、当該電子装置の残余電気量情報に従って当該電子装置の残余電気量値が第１の電気量閾値以上であると判定された場合、当該電子装置が充電装置であると判定するか、または、両方の電子装置の出力電力情報に従って第２の電子装置が出力電力の大きい電子装置であると判定され、第２の電子装置の残余電気量情報に従って第２の電子装置の残余電気量値が第２の電気量閾値以上であると判定された場合、第２の電子装置が充電装置であると判定するように構成され、第１の電気量閾値は、事前設定電気量閾値、または両方の電子装置の残余電気量情報に従って当該電子装置により設定された電気量閾値を含み、第２の電気量閾値は、事前設定電気量閾値、または両方の電子装置の残余電気量情報に従って当該電子装置により設定された電気量閾値を含む。
【００３７】
第５の態様または第１の可能な実装方式を参照して、第７の可能な実装方式では、当該充電基準情報は、当該電子装置の充電ステータス情報、第２の電子装置の充電ステータス情報、当該電子装置の出力電力情報、第２の電子装置の出力電力情報、ならびに当該電子装置および／または第２の電子装置の残余電気量情報を含み、当該処理ユニットは特に、両方の電子装置の充電ステータス情報に従って両方の電子装置の何れもが電力受信状態にないと判定され、両方の電子装置の出力電力情報に従って当該電子装置が出力電力の大きい電子装置であると判定され、当該電子装置の残余電気量情報に従って当該電子装置の残余電気量値が第１の電気量閾値以上であると判定された場合、当該電子装置が充電装置であると判定し、両方の電子装置の充電ステータス情報に従って当該電子装置のみが電力受信状態にあると判定され、両方の電子装置の出力電力情報に従って当該電子装置が出力電力の大きい電子装置であると判定された場合、当該電子装置が充電装置であると判定し、両方の電子装置の充電ステータス情報に従って両方の電子装置の何れもが電力受信状態にないと判定され、両方の電子装置の出力電力情報に従って第２の電子装置が出力電力の大きい電子装置であると判定され、第２の電子装置の充電ステータス情報に従って第２の電子装置の残余電気量値が第２の電気量閾値以上であると判定された場合、第２の電子装置が充電装置であると判定するか、または、両方の電子装置の充電ステータス情報に従って第２の電子装置のみが電力受信状態にあると判定され、両方の電子装置の出力電力情報に従って第２の電子装置が出力電力の大きい電子装置であると判定された場合、第２の電子装置が充電装置であると判定するように構成され、第１の電気量閾値は、事前設定電気量閾値、または両方の電子装置の残余電気量情報に従って当該電子装置により設定された電気量閾値を含み、第２の電気量閾値は、事前設定電気量閾値、または両方の電子装置の残余電気量情報に従って当該電子装置により設定された電気量閾値を含む。
【００３８】
第５の可能な実装方式乃至第７の可能な実装方式の何れかの可能な実装方式を参照して、第８の可能な実装方式では、出力電力レベルが高い電子装置、および／または両方の電子装置の出力電力値の差分の絶対値が事前設定電力差分閾値以上であるとき出力電力値がより大きい電子装置である。
【００３９】
本発明の第６の態様では電子装置を提供する。当該電子装置は、当該電子装置が充電装置であると第１の電子装置が判定したとき、第１の電子装置により送信された通知を受信するように構成された受信ユニットと、当該電子装置のＮＦＣ無線充電サービスを当該受信ユニットにより受信された当該通知に従って有効にして、第１の電子装置の充電に備えるように構成された処理ユニット、または、第１の電子装置が充電装置であると第１の電子装置が判定したとき、第１の電子装置により送信された充電制御メッセージを受信するように構成された当該受信ユニットと、当該受信ユニットにより受信された当該充電制御メッセージに従って、被充電装置として応答するように当該電子装置に指示するように構成された当該処理ユニットとを備える。
【００４０】
第６の態様の第１の可能な実装方式では、当該電子装置は送信ユニットをさらに備え、当該送信ユニットは特に、当該受信ユニットが当該通知を受信する前に、当該電子装置の充電ステータス情報、当該電子装置の出力電力情報および当該電子装置の残余電気量情報のうち少なくとも１つを第１の電子装置に送信するか、または、第１の電子装置の要求メッセージを受信し、第１の電子装置の当該要求メッセージに従って、当該電子装置の充電ステータス情報、当該電子装置の出力電力情報および当該電子装置の残余電気量情報のうち少なくとも１つを第１の電子装置に送信するように構成され、当該送信ユニットはさらに、当該受信ユニットが当該充電制御メッセージを受信する前に、当該電子装置の充電ステータス情報、当該電子装置の出力電力情報および当該電子装置の残余電気量情報のうち少なくとも１つを第１の電子装置に送信するか、または、第１の電子装置の要求メッセージを受信し、第１の電子装置の当該要求メッセージに従って、当該電子装置の充電ステータス情報、当該電子装置の出力電力情報および当該電子装置の残余電気量情報のうち少なくとも１つを第１の電子装置に送信するように構成される。
【００４１】
第１の可能な実装方式を参照して、第２の可能な実装方式では、当該処理ユニットはさらに、当該送信ユニットが当該電子装置の充電ステータス情報、当該電子装置の出力電力情報および当該電子装置の残余電気量情報のうち少なくとも１つを第１の電子装置に送信する前に、当該電子装置および第１の電子装置がＮＦＣ通信の有効距離内に保たれ、両方の電子装置の間でＮＦＣ通信が発生していない時間が事前設定時間閾値を超えると判定するように構成される。
【００４２】
以上の解決策を用いることによって、第１の電子装置は、充電装置が第１の電子装置であるか第２の電子装置であるかを充電基準情報に従って判定し、充電装置が第１の電子装置であると判定されたとき、第１の電子装置が第１の電子装置のＮＦＣ無線充電サービスを有効にするか、または、充電装置が第２の電子装置であると判定されたとき、第１の電子装置はＮＦＣ無線充電サービスを有効にするように第２の電子装置に指示する。このように、第１の電子装置および第２の電子装置がＮＦＣ通信の有効範囲内に配置されるとき、両方の電子装置は充電装置を当該充電基準メッセージに従って決定し、充電装置のＮＦＣ無線充電サービスを自動的に有効にすることができ、より細分化された時間がピア電子装置を充電するために十分に利用され、ユーザのアクティブな操作に起因する時間消費および労力消費が回避され、ユーザ・エクスペリエンスが高まる。
【００４３】
本発明の諸実施形態の技術的解決策をより明確に説明するために、以下では当該諸実施形態を説明するのに必要な添付図面を簡単に説明する。明らかに、以下の説明における添付図面は本発明の幾つかの実施形態を示すにすぎず、当業者は依然として創造的努力なしにこれらの添付図面から他の図面を導出することができる。
【図面の簡単な説明】
【００４４】
【図１】本発明の１実施形態に従うＮＦＣ無線充電サービスを有効にするための方法の略流れ図である。
【図２】本発明の１実施形態に従うＮＦＣ無線充電サービスを有効にするための別の方法の略流れ図である。
【図３】本発明の１実施形態に従うＮＦＣ無線充電サービスを有効にするための別の方法の略流れ図である。
【図４】本発明の１実施形態に従うＮＦＣ無線充電サービスを有効にするための別の方法の略流れ図である。
【図５】本発明の１実施形態に従う電子装置の略構造図である。
【図６】本発明の１実施形態に従う別の電子装置の略構造図である。
【図７】本発明の１実施形態に従う別の電子装置の略構造図である。
【図８】本発明の１実施形態に従う別の電子装置の略構造図である。
【発明を実施するための形態】
【００４５】
以下では本発明の諸実施形態の添付図面を参照して本発明の諸実施形態における技術的解決策を明確かつ十分に説明する。明らかに、説明する実施形態は本発明の諸実施形態の一部にすぎず全部ではない。創造的努力なしに本発明の諸実施形態に基づいて当業者により取得された他の全ての実施形態は本発明の保護範囲に入るものとする。
【００４６】
本発明の１実施形態では、ＮＦＣ無線充電サービスを有効にするための方法を提供する。図１に示すように、当該方法は以下を含む。
【００４７】
Ｓ１０１：第１の電子装置が、充電装置が第１の電子装置であるか第２の電子装置であるかを充電基準情報に従って判定する。
【００４８】
第１の電子装置が携帯電話、タブレット・コンピュータ、ノートブック・コンピュータ等であってもよく、第２の電子装置がＢｌｕｅｔｏｏｔｈ（登録商標）ヘッドセット、歩数計、携帯電話等であってもよく、第１の電子装置および第２の電子装置の両方はＮＦＣ通信機能を有することに留意すべきである。
【００４９】
特に、第１の電子装置により、充電装置が第１の電子装置であるか第２の電子装置であるかを充電基準情報に従って判定するステップの前に、第１の電子装置が、第１の電子装置と第２の電子装置がＮＦＣ通信の有効距離内に保たれ、両方の電子装置の間でＮＦＣ通信が発生していない時間が事前設定時間閾値を超えると判定する。
【００５０】
さらに、当該充電基準情報は、第１の電子装置の要求メッセージに従って第２の電子装置により第１の電子装置にアクティブに送信された情報または第２の電子装置により第１の電子装置に送信された情報を含む。第１の電子装置は、複数回または１回当該要求メッセージを送信することによって当該充電基準情報を取得してもよく、本発明では限定されない。
【００５１】
当該充電基準情報に含まれる情報が異なる場合、ステップＳ１０１で実装された方式も異なり、特に以下を含む。
【００５２】
方式１：当該充電基準情報は、第１の電子装置の充電ステータス情報と第２の電子装置の充電ステータス情報を含む。
【００５３】
次いで、第１の電子装置は以下のように当該充電基準情報に従って判定を行う。
１）第１の電子装置が電力受信状態になく、第２の電子装置が電力受信状態にあるとき、第２の電子装置が充電装置であると判定され、
２）第１の電子装置が電力受信状態にあり、第２の電子装置が電力受信状態にないとき、第１の電子装置が充電装置であると判定され、
３）第１の電子装置が電力受信状態になく、第２の電子装置が電力受信状態にないとき、第１の電子装置または第２の電子装置が充電装置であるかどうかをランダムに判定してもよく、または、プロセス全体が終了してもよく、または、第１の電子装置および第２の電子装置の出力電力情報、残余電気量情報等を取得することによって第１の電子装置または第２の電子装置が充電装置としての役割を果たすかどうかを判定してもよく（詳細については、以下の関連する実装方式を参照されたい）、または、
４）第１の電子装置が電力受信状態にあり、第２の電子装置が電力受信状態にあるとき、プロセス全体が終了する。
【００５４】
特に、当該充電ステータス情報は、対応する電子装置が電力受信状態にあるかどうかを判定するために使用される充電識別子を含み、或る電子装置が電力受信状態にあり、かつ、その他の電子装置が電力受信状態にないとき、電力受信状態にある電子装置が充電装置であると第１の電子装置が判定し、充電装置のＮＦＣ無線充電サービスを有効にして当該ピア電子装置の充電に備え、両方の電子装置の何れも電力受信状態にないとき、第１の電子装置は、一方の電子装置が充電装置であるとランダムに判定してもよく、または、第１の電子装置および第２の電子装置の出力電力情報、残余電気量情報等を取得することによって第１の電子装置または第２の電子装置が充電装置としての役割を果たすかどうかを判定してもよく（詳細については、以下の関連する実装方式を参照されたい）、または、両方の電子装置が電力受信状態にあるとき、プロセス全体が終了する。
【００５５】
方式２：当該充電基準情報は第１の電子装置の出力電力情報を含む。
【００５６】
次いで、第１の電子装置は以下のように当該充電基準情報に従って判定を行う。
１）第１の電子装置の出力電力値が事前設定電力閾値以上であるか、または、出力電力レベルが事前設定電力レベル以上であるとき、第１の電子装置が充電装置であると判定されるか、または、
２）第１の電子装置の出力電力が事前設定電力閾値未満であるとき、第２の電子装置が充電装置であると判定してもよく、または、第２の電子装置の出力電力および／または両者の充電ステータス情報および／または両者の残余電気量情報を取得することによって第１の電子装置または第２の電子装置が充電装置としての役割を果たすかどうかを判定してもよい（詳細については、以下の関連する実装方式を参照されたい）。
【００５７】
特に、当該出力電力情報が出力電力値を含んでもよく、当該事前設定電力閾値は実際の状況に従って事前に設定された閾値であり、当該出力電力情報が出力電力レベルを含んでもよく、当該事前設定電力レベルは実際の状況に従って事前に設定された閾値レベルである。例えば、第１の電子装置の出力電力が十分に大きい（例えば、第１の電子装置が高電力装置である）とき、第１の電子装置がデフォルトで充電装置であってもよい。
【００５８】
方式３：当該充電基準情報は、第１の電子装置の出力電力情報および第２の電子装置の出力電力情報を含む。
【００５９】
次いで、第１の電子装置は以下のように当該充電基準情報に従って判定を行う。
１）第１の電子装置が出力電力の大きい電子装置であるとき、第１の電子装置が充電装置であると判定されるか、
２）第２の電子装置が出力電力の大きい電子装置であるとき、第２の電子装置が充電装置であると判定されるか、または、
３）第１の電子装置および第２の電子装置が、出力電力が等しい電子装置であるとき、一方の電子装置が充電装置であるとランダムに判定してもよく、または、プロセス全体が終了してもよく、または、両方の電子装置の充電ステータス情報および／または第１の電子装置または両方の電子装置の残余電気量情報を取得することによって第１の電子装置または第２の電子装置が充電装置としての役割を果たすかどうかを判定してもよい（詳細については、以下の関連する実装方式を参照されたい）。
【００６０】
特に、当該出力電力情報が、高レベル、中間レベル、および低レベルのような出力電力レベルを含んでもよく、この場合、第１の電子装置が両方の電子装置の出力電力レベルを比較することによって出力電力の大きい電子装置を決定し、出力電力の大きい電子装置が充電装置であると判定し、例えば、両方の電子装置の出力電力レベルが少なくとも１レベルだけ異なるとき、レベルの大きい電子装置は出力電力の大きい電子装置であり、当該出力電力情報がまた出力電力値を含んでもよく、この場合、両方の電子装置の出力電力値の差分が事前設定電力差分閾値より大きいと判定したとき、出力電力値が大きい電子装置が充電装置であると第１の電子装置が判定し、例えば、第１の電子装置の出力電力値および第２の電子装置の出力電力値はそれぞれＰ１およびＰ２であり、当該事前設定電力差分閾値はΔＰであり、したがってＰ１＞Ｐ２かつ｜Ｐ１−Ｐ２｜＞ΔＰである場合、第１の電子装置は出力電力の大きい電子装置である。
【００６１】
当該出力電力情報が出力電力レベルと出力電力値の両方を含んでもよく、両方の電子装置の出力電力レベルが同一であるとき、第１の電子装置は、以上の方法を用いることにより、即ち、両方の電子装置の出力電力値の差分を当該事前設定電力差分閾値と比較することにより、出力電力の大きい電子装置を決定してもよいことに留意すべきである。さらに、第１の電子装置は、出力電流および出力電圧を取得することによって当該出力電力値を間接的に取得してもよい。
【００６２】
方式４：当該充電基準情報は、第１の電子装置の出力電力情報、第１の電子装置の充電ステータス情報および／または第２の電子装置の充電ステータス情報を含む。
【００６３】
次いで、第１の電子装置は以下のように当該充電基準情報に従って判定を行う。
１）第１の電子装置の出力電力値が事前設定電力閾値以上であるか、または、出力電力レベルが事前設定電力レベル以上であり、かつ、第１の電子装置が電力受信状態にありかつ／または第２の電子装置が電力受信状態にないとき、第１の電子装置が充電装置であると判定されるか、
２）第１の電子装置の出力電力値が事前設定電力閾値以上であるか、または、出力電力レベルが事前設定電力レベル以上であり、第２の電子装置が電力受信状態にあるとき、第２の電子装置が充電装置であると判定してもよく、または、プロセス全体が終了してもよいか、
３）第１の電子装置の出力電力値が事前設定電力閾値未満であるか、または、出力電力レベルが事前設定電力レベルより低く、かつ、第１の電子装置が電力受信状態にないとき、第２の電子装置が充電装置であると判定してもよく、または当該プロセスが終了してもよく、または第２の電子装置の出力電力情報および／または両方の電子装置の残余電気量情報を取得することによって第１の電子装置または第２の電子装置が充電装置としての役割を果たすかどうかを判定してもよく（詳細については、他の実装方式を参照されたい）、または、
４）第１の電子装置の出力電力値が事前設定電力閾値未満であるか、または、出力電力レベルが事前設定電力レベルより低く、かつ、第１の電子装置が電力受信状態にあるとき、第１の電子装置が充電装置であると判定してもよく、または当該プロセスが終了してもよい。
【００６４】
本方式で説明した充電ステータス情報、出力電力情報、事前設定電力閾値、および事前設定電力レベルの機能は上述の他の関連する実装方式におけるものと同一であり、詳細についてはここでは再度説明しないことに留意すべきである。さらに、第１の電子装置がまず当該出力電力情報に従う決定を実施してもよく、または、まず両方の電子装置の充電ステータス情報に従う決定を実施してもよく、当該情報の決定順序は当該方式では限定されない。
【００６５】
方式５：当該充電基準情報は、第１の電子装置の出力電力情報、第２の電子装置の出力電力情報、第１の電子装置の充電ステータス情報および第２の電子装置の充電ステータス情報を含む。
【００６６】
次いで、第１の電子装置は以下のように当該充電基準情報に従って判定を行う。
１）第１の電子装置が出力電力の大きい電子装置であり、第２の電子装置が電力受信状態にないとき、第１の電子装置が充電装置であると判定されるか、
２）第１の電子装置が出力電力の大きい電子装置であり、第２の電子装置が電力受信状態にあるとき、第２の電子装置が充電装置であると判定してもよく、または、プロセス全体が終了してもよいか、
３）第２の電子装置が出力電力の大きい電子装置であり、第１の電子装置が電力受信状態にないとき、第２の電子装置が充電装置であると判定されるか、または、
４）第２の電子装置が出力電力の大きい電子装置であり、第１の電子装置が電力受信状態にあるとき、第１の電子装置が充電装置であると判定してもよく、または、プロセス全体が終了してもよい。
【００６７】
本方式で説明した充電ステータス情報および出力電力情報の機能は上述の他の関連する実装方式におけるものと同一であり、詳細についてはここでは再度説明しないことに留意すべきである。出力電力の大きい電子装置を決定するための方法については、上述の方式３における具体的な説明を参照されたい。詳細についてはここでは再度説明しない。さらに、第１の電子装置がまず両方の電子装置の出力電力情報に従う決定を実施してもよく、または、まず両方の電子装置の充電ステータス情報に従う決定を実施してもよく、当該情報の決定順序は当該方式では限定されない。
【００６８】
方式６：当該充電基準情報は、第１の電子装置の充電ステータス情報、第２の電子装置の充電ステータス情報および第１の電子装置の残余電気量情報を含む。
【００６９】
次いで、第１の電子装置は以下のように当該充電基準情報に従って判定を行う。
１）第１の電子装置の残余電気量値が第１の電気量閾値以上であり、第２の電子装置が電力受信状態にないとき、第１の電子装置が充電装置であると判定されるか、
２）第１の電子装置の残余電気量値が第１の電気量閾値以上であり、第２の電子装置が電力受信状態にあるとき、第２の電子装置が充電装置であると判定してもよく、または、プロセス全体が終了してもよいか、
３）第１の電子装置の残余電気量値が第１の電気量閾値未満であり、第１の電子装置が電力受信状態にあるとき、第１の電子装置が充電装置であると判定してもよく、または、プロセス全体が終了してもよく、または、
４）第１の電子装置の残余電気量値が第１の電気量閾値未満であり、第１の電子装置が電力受信状態にないとき、第２の電子装置が充電装置であると判定してもよく、または、プロセス全体が終了してもよい。
【００７０】
特に、第１の電気量閾値が、事前設定電気量閾値、または第１の電子装置が第２の電子装置の残余電気量情報を取得した後に両方の電子装置の残余電気量情報に従って第１の電子装置により設定された電気量閾値であってもよい。
【００７１】
例示的に、第１の電子装置がバッテリ情報要求を第２の電子装置に送信し、当該バッテリ情報要求に従って第２の電子装置により送信されたバッテリ情報応答を受信し、次いで、第１の電子装置が両方の電子装置の残余電気量情報に従って第１の電気量閾値を決定する。当該バッテリ情報要求は第２の電子装置のバッテリの残余電気量情報を学習するために使用される。
【００７２】
当該残余電気量情報は、残余電気量値および／または総バッテリ量、および／または残余電気量パーセンテージおよび総バッテリ量を含み、当該残余電気量情報が充電需要指示および／または最大放電電流または閾値放電電流のような他の関連パラメータを含んでもよいことに留意すべきである。
【００７３】
例示的に、第１の電子装置の残余電気量値は５００ｍＡｈであり、装置の通常使用に影響する最小電気量値は３００ｍＡｈであり、バッテリ情報要求を第２の電子装置に送信した後、第１の電子装置が第２の電子装置により送信されたバッテリ情報応答に従って、第２の電子装置の総バッテリ量が１５０ｍＡｈであり、第２の電子装置の残余電気量値が１０ｍＡｈであると判定した場合、第１の電子装置が４００ｍＡｈのような第２の電子装置を充電できる第１の電気量閾値を設定してもよく、第１の電子装置が、第２の電子装置の総バッテリ量が２０００ｍＡｈであり、第２の電子装置の残余電気量値が１００ｍＡｈであり、第２の電子装置の最大放電電流が２Ａであると判定した場合、第１の電子装置が第２の電子装置を２００ｍＡｈの電気量だけ充電した後、第２の電子装置の推定通常使用時間は約１０分であり、この場合、第１の電子装置が第２の電子装置に対して５００ｍＡｈの第１の電気量閾値を設定してもよい。
【００７４】
本方式で説明した充電ステータス情報の機能は上述の他の関連する実装方式におけるものと同一であり、詳細についてはここでは再度説明しないことに留意すべきである。さらに、第１の電子装置がまず第１の電子装置の残余電気量情報に従う決定を実施してもよく、または、まず両方の電子装置の充電ステータス情報に従う決定を実施してもよく、当該情報の決定順序は当該方式では限定されない。
【００７５】
方式７：当該充電基準情報は第１の電子装置の出力電力情報と第１の電子装置の残余電気量情報を含む。
【００７６】
次いで、第１の電子装置は以下のように当該充電基準情報に従って判定を行う。
【００７７】
１）第１の電子装置の出力電力値が事前設定電力閾値以上であるか、または、出力電力レベルが事前設定電力レベル以上であり、かつ、第１の電子装置の残余電気量値が第１の電気量閾値以上であるとき、第１の電子装置が充電装置であると判定されるか、
２）第１の電子装置の出力電力値が事前設定電力閾値以上であるか、または、出力電力レベルが事前設定電力レベル以上であり、第１の電子装置の残余電気量値が第１の電気量閾値未満であるとき、第２の電子装置が充電装置であると判定してもよく、または、プロセス全体が終了してもよく、または、両方の電子装置の充電ステータスおよび／または第２の電子装置の残余電気量および／または第２の電子装置の出力電力情報を取得することによって第１の電子装置または第２の電子装置が充電装置としての役割を果たすかどうかを判定してもよいか（詳細については、他の関連する実装方式を参照されたい）、
３）第１の電子装置の出力電力値が事前設定電力閾値未満であるか、または、出力電力レベルが事前設定電力レベルより低く、第１の電子装置の残余電気量値が第１の電気量閾値以上であるとき、第１の電子装置が充電装置であると判定してもよく、または、プロセス全体が終了してもよく、または、両方の電子装置の充電ステータスおよび／または第２の電子装置の残余電気量および／または第２の電子装置の出力電力情報を取得することによって第１の電子装置または第２の電子装置が充電装置としての役割を果たすかどうかを判定してもよく（詳細については、他の関連する実装方式を参照されたい）、または、
４）第１の電子装置の出力電力値が事前設定電力閾値未満であるか、または、出力電力レベルが事前設定電力レベルより低く、第１の電子装置の残余電気量値が第１の電気量閾値未満であるとき、第２の電子装置が充電装置であると判定してもよく、または、プロセス全体が終了してもよく、または、両方の電子装置の充電ステータスおよび／または第２の電子装置の残余電気量および／または第２の電子装置の出力電力情報を取得することによって第１の電子装置または第２の電子装置が充電装置としての役割を果たすかどうかを判定してもよい（詳細については、他の関連する実装方式を参照されたい）。
【００７８】
本方式で説明した出力電力情報、事前設定電力閾値、事前設定電力レベル、残余電気量情報、第１の電気量閾値、および充電ステータス情報の機能は上述の他の関連する実装方式におけるものと同一であり、詳細についてはここでは再度説明しないことに留意すべきである。さらに、第１の電子装置がまず第１の電子装置の出力電力情報に従う決定を実施してもよいか、または、まず第１の電子装置の残余電気量情報に従う決定を実施してもよく、当該情報の決定順序は当該方式では限定されない。
【００７９】
方式８：当該充電基準情報は、第２の電子装置の出力電力情報、第１の電子装置の出力電力情報、および第１の電子装置の残余電気量情報を含む。
【００８０】
次いで、第１の電子装置は以下のように当該充電基準情報に従って判定を行う。
１）第１の電子装置が出力電力の大きい電子装置であり、第１の電子装置の残余電気量値が第１の電気量閾値以上であるとき、第１の電子装置が充電装置であると判定されるか、
２）第２の電子装置が出力電力の大きい電子装置であり、第１の電子装置の残余電気量値が第１の電気量閾値未満であるとき、第２の電子装置が充電装置であると判定されるか、
３）第１の電子装置が出力電力の大きい電子装置であり、第１の電子装置の残余電気量が第１の電気量閾値未満であるとき、第２の電子装置が充電装置であると判定してもよく、または、プロセス全体が終了してもよく、または、両者の充電ステータス情報および／または第２の電子装置の残余電気量情報を取得することによって第１の電子装置または第２の電子装置が充電装置としての役割を果たすかどうかを判定してもよく（詳細については、他の関連する実装方式を参照されたい）、または、
４）第２の電子装置が出力電力の大きい電子装置であり、第１の電子装置の残余電気量が第１の電気量閾値より大きいとき、第１の電子装置が充電装置であると判定してもよく、または、プロセス全体が終了してもよく、または、両者の充電ステータス情報および／または第２の電子装置の残余電気量情報を取得することによって第１の電子装置または第２の電子装置が充電装置としての役割を果たすかどうかを判定してもよい（詳細については、他の関連する実装方式を参照されたい）。
【００８１】
本方式で説明した出力電力情報、残余電気量情報、第１の電気量閾値、および充電ステータス情報の機能は上述の他の関連する実装方式におけるものと同一であり、詳細についてはここでは再度説明しないことに留意すべきである。さらに、第１の電子装置がまず両方の電子装置の出力電力情報に従う決定を実施してもよいか、または、まず第１の電子装置の残余電気量情報に従う決定を実施してもよく、当該情報の決定順序は当該方式では限定されない。
【００８２】
方式９：当該充電基準情報は、第１の電子装置の出力電力情報、第２の電子装置の出力電力情報、第１の電子装置の残余電気量情報および第２の電子装置の残余電気量情報を含む。
【００８３】
次いで、第１の電子装置は以下のように当該充電基準情報に従って判定を行う。
１）第１の電子装置が出力電力の大きい電子装置であり、第１の電子装置の残余電気量値が第１の電気量閾値以上であるとき、第１の電子装置が充電装置であると判定されるか、
２）第２の電子装置が出力電力の大きい電子装置であり、第２の電子装置の残余電気量値が第２の電気量閾値以上であるとき、第２の電子装置が充電装置であると判定されるか、
３）第２の電子装置が出力電力の大きい電子装置であり、第１の電子装置の残余電気量値が第１の電気量閾値以上であり、第２の電子装置の残余電気量が第２の電気量閾値未満であるとき、第１の電子装置が充電装置であると判定してもよく、または、プロセス全体が終了してもよく、または、両者の充電ステータス情報を取得することによって第１の電子装置または第２の電子装置が充電装置としての役割を果たすかどうかを判定してもよいか（詳細については、他の関連する実装方式を参照されたい）、
４）第１の電子装置が出力電力の大きい電子装置であり、第１の電子装置の残余電気量値が第１の電気量閾値未満であり、第２の電子装置の残余電気量が第２の電気量閾値以上であるとき、第２の電子装置が充電装置であると判定してもよく、または、プロセス全体が終了してもよく、または、両者の充電ステータス情報を取得することによって第１の電子装置または第２の電子装置が充電装置としての役割を果たすかどうかを判定してもよく（詳細については、他の関連する実装方式を参照されたい）、または、
５）他のケースでは、プロセス全体が終了してもよく、または、両者の充電ステータス情報を取得することによって第１の電子装置または第２の電子装置が充電装置としての役割を果たすかどうかを判定してもよい（詳細については、他の関連する実装方式を参照されたい）。
【００８４】
本方式で説明した出力電力情報、残余電気量情報、第１の電気量閾値、第２の電気量閾値、および充電ステータス情報の機能は上述の他の関連する実装方式におけるものと同一であり、詳細についてはここでは再度説明しないことに留意すべきである。第２の電気量閾値は第１の電気量閾値と同様であり、両方の電子装置の残余電気量情報に従って事前に設定してもよく、または、設定してもよく、具体的な方法については、上述の方式６における具体的な説明を参照されたい。詳細についてはここでは再度説明しない。さらに、第１の電子装置がまず両方の電子装置の出力電力情報に従う決定を実施してもよく、または、まず両方の電子装置の残余電気量情報に従う決定を実施してもよく、当該情報の決定順序は当該方式では限定されない。
【００８５】
方式１０：当該充電基準情報は、第１の電子装置の充電ステータス情報、第２の電子装置の充電ステータス情報、第１の電子装置の出力電力情報、第１の電子装置の残余電気量情報および／または第２の電子装置の残余電気量情報を含む。
【００８６】
次いで、第１の電子装置は以下のように当該充電基準情報に従って判定を行う。
１）第１の電子装置の出力電力値が事前設定電力閾値以上であるか、または、出力電力レベルが事前設定電力レベル以上であり、両方の電子装置が電力受信状態になく、第１の電子装置の残余電気量が第１の電気量閾値以上であり、かつ／または第２の電子装置の残余電気量が第２の電気量閾値未満であるとき、第１の電子装置が充電装置であると判定されるか、
２）第１の電子装置の出力電力値が事前設定電力閾値以上であるか、または、出力電力レベルが事前設定電力レベル以上であり、両方の電子装置が電力受信状態になく、第１の電子装置の残余電気量が第１の電気量閾値未満であり、かつ／または第２の電子装置の残余電気量が第２の電気量閾値以上であるとき、第２の電子装置が充電装置であると判定してもよく、または、プロセス全体が終了してもよく、
３）第１の電子装置の出力電力値が事前設定電力閾値以上であるか、または、出力電力レベルが事前設定電力レベル以上であり、第１の電子装置のみが電力受信状態にあるとき、第１の電子装置が充電装置であると判定されるか、
４）第１の電子装置の出力電力値が事前設定電力閾値以上であるか、または、出力電力レベルが事前設定電力レベル以上であり、第２の電子装置のみが電力受信状態にあるとき、第２の電子装置が充電装置であると判定してもよく、または、プロセス全体が終了してもよいか、
５）第１の電子装置の出力電力値が事前設定電力閾値未満であるか、または、出力電力レベルが事前設定電力レベル以下であり、両方の電子装置が電力受信状態になく、第１の電子装置の残余電気量が第１の電気量閾値以上であり、かつ／または第２の電子装置の残余電気量が第２の電気量閾値未満であるとき、第１の電子装置が充電装置であると判定してもよく、または、プロセス全体が終了してもよいか、
６）第１の電子装置の出力電力値が事前設定電力閾値未満であるか、または、出力電力レベルが事前設定電力レベル以下であり、両方の電子装置が電力受信状態になく、第１の電子装置の残余電気量が第１の電気量閾値未満であり、かつ／または第２の電子装置の残余電気量が第２の電気量閾値以上であるとき、第２の電子装置が充電装置であると判定してもよく、または、プロセス全体が終了してもよいか、
７）第１の電子装置の出力電力値が事前設定電力閾値未満であるか、または、出力電力レベルが事前設定電力レベルより低く、第１の電子装置のみが電力受信状態にあるとき、第１の電子装置が充電装置であると判定してもよく、または、プロセス全体が終了してもよいか、
８）第１の電子装置の出力電力値が事前設定電力閾値未満であるか、または、出力電力レベルが事前設定電力レベルより低く、第２の電子装置のみが電力受信状態にあるとき、第１の電子装置が充電装置であると判定してもよく、または、プロセス全体が終了してもよく、または
９）両方の電子装置が電気量受信状態にないとき、プロセス全体が終了する。
【００８７】
例示的に、第１の電子装置は第１の電子装置の出力電力情報を開始判定条件として使用する。第１の電子装置の出力電力値が事前設定電力閾値以上であるか、または出力電力レベルが事前設定電力レベル以上である場合、両方の電子装置の充電ステータス情報および／または残余電気量情報に従って判定を実施する。即ち、
１）両方の電子装置が電力受信状態にあるとき、プロセス全体が終了するか、
２）両方の電子装置の何れもが電力受信状態になく、第１の電子装置の残余電気量値が第１の電気量閾値以上であるか、または、第１の電子装置のみが電力受信状態にあるとき、第１の電子装置が充電装置であると判定されるか、または、
３）第２の電子装置のみが電力受信状態にあるとき、プロセス全体が終了する（この場合、第２の電子装置が充電装置であると判定してもよいが、充電がその後開始される場合には、充電効果は理想的でないかもしれないことに留意すべきである）。
【００８８】
第１の電子装置の出力電力値が事前設定電力閾値未満であるか、または出力電力レベルが事前設定電力レベル以下である場合、プロセス全体が終了してもよいか、または、両方の電子装置の充電ステータス情報および／または残余電気量情報に従って判定を実施してもよい。即ち、
１）両方の電子装置が電力受信状態にあるとき、プロセス全体が終了するか、
２）両方の電子装置の何れもが電力受信状態になく、第１の電子装置の残余電気量値が第１の電気量閾値未満であり、かつ／または第２の電子装置の残余電気量値が第２の電気量閾値以上であるとき、第２の電子装置が充電装置であると判定してもよく、または、プロセス全体が終了してもよいか、
３）両方の電子装置の何れもが電力受信状態になく、第１の電子装置の残余電気量値が第１の電気量閾値以上であり、かつ／または第２の電子装置の残余電気量値が第２の電気量閾値未満であるとき、第１の電子装置が充電装置であると判定してもよく、または、プロセス全体が終了してもよいか、
４）第１の電子装置のみが電力受信状態にあるとき、第１の電子装置が充電装置であると判定してもよく、または、プロセス全体が終了してもよく、または、
５）第２の電子装置のみが電力受信状態にあるとき、第１の電子装置が充電装置であると判定してもよく、または、プロセス全体が終了してもよい。
【００８９】
本方式で説明した出力電力情報、残余電気量情報、第１の電気量閾値、第２の電気量閾値、および充電ステータス情報の機能は上述の他の関連する実装方式におけるものと同一であり、詳細についてはここでは再度説明しないことに留意すべきである。第２の電気量閾値は第１の電気量閾値と同様であり、両方の電子装置の残余電気量情報に従って事前に設定してもよく、または、設定してもよく、具体的な方法については、上述の方式６における具体的な説明を参照されたい。詳細についてはここでは再度説明しない。さらに、第１の電子装置がまず両方の電子装置の充電ステータス情報に従う決定を実施してもよく、または、まず第１の電子装置の出力電力情報に従う決定を実施してもよく、または、まず両方の電子装置の残余電気量情報に従う決定を実施してもよく、当該情報の決定順序は当該方式では限定されない。
【００９０】
方式１１：当該充電基準情報は、第１の電子装置の充電ステータス情報、第２の電子装置の充電ステータス情報、第１の電子装置の出力電力情報、第２の電子装置の出力電力情報、第１の電子装置の残余電気量情報および／または第２の電子装置の残余電気量情報を含む。
【００９１】
次いで、第１の電子装置は以下のように当該充電基準情報に従って判定を行う。
１）両方の電子装置の何れもが電力受信状態になく、第１の電子装置が出力電力の大きい電子装置であり、第１の電子装置の残余電気量値が第１の電気量閾値以上であるとき、第１の電子装置が充電装置であると判定され、そうでなく、両方の電子装置の何れもが電力受信状態になく、第２の電子装置が出力電力の大きい電子装置であり、第２の電子装置の残余電気量値が第２の電気量閾値以上である場合、第２の電子装置が充電装置であると判定されるか、
２）第１の電子装置のみが電力受信状態にあり、第１の電子装置が出力電力の大きい電子装置であるとき、第１の電子装置が充電装置であると判定され、そうでなく、第２の電子装置のみが電力受信状態にあり、第２の電子装置が出力電力の大きい電子装置である場合、第２の電子装置が充電装置であると判定されるか、
３）両方の電子装置の何れもが電力受信状態になく、第１の電子装置が出力電力の大きい電子装置であり、第１の電子装置の残余電気量値が第１の電気量閾値未満であるとき、プロセス全体が終了する（この場合、第２の電子装置の残余電気量が第２の電気量閾値以上である場合、第２の電子装置が充電装置であると判定してもよいが、充電がその後実施される場合には、充電効果は理想的でないかもしれないことに留意すべきである）、そうでなく、両方の電子装置の何れもが電力受信状態になく、第２の電子装置が出力電力の大きい電子装置であり、第２の電子装置の残余電気量値が第１の電気量閾値より小さい場合、プロセス全体が終了する（この場合、第１の電子装置が充電装置であると判定してもよく、その理由は上述したものと同じであることに留意すべきである）か、または、
４）第１の電子装置のみが電力受信状態にあり、第２の電子装置が出力電力の大きい電子装置であるとき、プロセス全体は終了し（この場合、第１の電子装置が充電装置であると判定してもよいが、充電がその後開始される場合には、充電効果は理想的でないかもしれないことに留意すべきである）、そうでなく、第２の電子装置のみが電力受信状態にあり、第１の電子装置が出力電力の大きい電子装置である場合、プロセス全体が終了する（この場合、第２の電子装置が充電装置であると判定してもよく、その理由は上述したものと同じであることに留意すべきである）か、または、
５）両方の電子装置が電力受信状態にあるとき、プロセス全体が終了する。
【００９２】
例示的に、第１の電子装置は両方の電子装置の充電ステータス情報を開始判定条件として使用する。両方の電子装置が電力受信状態にある場合、プロセス全体が終了する。両方の電子装置の何れもが電力受信状態にない場合、第１の電子装置は次いで、両方の電子装置の出力電力情報および残余電気量情報に従って、出力電力がより大きく残余電気量値が電気量閾値（即ち、第１の電気量閾値または第２の電気量閾値）以上である両方の電子装置のうち１つの電子装置が充電装置であると判定する。第１の電子装置のみが電力受信状態にある場合には、両方の電子装置の出力電力情報に従って第１の電子装置が出力電力の大きい電子装置であると判定されるとき、第１の電子装置が充電装置の役割を果たすと判定されるか、または、第２の電子装置のみが電力受信状態にある場合には、両方の電子装置の出力電力情報に従って第２の電子装置が出力電力の大きい電子装置であると判定されるとき、第２の電子装置が充電装置としての役割を果たすと判定される。
【００９３】
例示的に、第１の電子装置は両方の電子装置の出力電力情報を開始判定条件として使用する。第１の電子装置が出力電力の大きい電子装置である場合には、両方の電子装置の充電ステータス情報および／または残余電気量情報に従って以下のように判定される。
１）両方の電子装置の何れもが電力受信状態になく、第１の電子装置の残余電気量値が第１の電気量閾値以上であるか、または、第１の電子装置が電力受信状態にあり、第２の電子装置が電力受信状態にないとき、第１の電子装置が充電装置であると判定されるか、
２）第１の電子装置が電力受信状態になく第２の電子装置が電力受信状態にあるとき、または、両方の電子装置の何れもが電力受信状態になく、第１の電子装置の残余電気量値が第１の電気量閾値未満であるとき、プロセス全体が終了する（この場合、第２の電子装置が充電装置であると判定してもよいが、充電がその後開始される場合には、充電効果は理想的でないかもしれないことに留意すべきである）か、または、
３）両方の電子装置が電力受信状態にあるとき、プロセス全体が終了する。
【００９４】
第２の電子装置が出力電力の大きい電子装置である場合、両方の電子装置の充電ステータス情報および／または残余電気量情報に従って以下のように判定される。
１）両方の電子装置の何れもが電力受信状態になく、第２の電子装置の残余電気量値が第２の電気量閾値以上であるとき、または、第２の電子装置が電力受信状態にあり第１の電子装置が電力受信状態にないとき、第２の電子装置が充電装置であると判定されるか、
２）第２の電子装置が電力受信状態になく第１の電子装置が電力受信状態にあるとき、または、両方の電子装置の何れもが電力受信状態になく第２の電子装置の残余電気量値が第１の電気量閾値未満であるとき、プロセス全体が終了する（この場合、第１の電子装置が充電装置であると判定してもよいが、充電がその後開始される場合には、充電効果は理想的でないかもしれないことに留意すべきである）か、または、
３）両方の電子装置が電力受信状態にあるとき、プロセス全体が終了する。第１の電子装置および第２の電子装置が、出力電力が等しい電子装置である場合（即ち、両者の出力電力レベルが同一であるか、または、両者の出力電力値の差分の絶対値が電力差分閾値未満であるとき）、プロセス全体が終了する。
【００９５】
両方の電子装置の出力電力が等しい、即ち、両方の電子装置の出力電力レベルが同一であり、かつ／または両方の電子装置の出力電力の差分の絶対値が事前設定電力差分閾値未満である場合、プロセス全体が終了してもよく、または両方の電子装置の充電ステータス情報および／または残余電気量情報に従って第１の電子装置または第２の電子装置が充電装置としての役割を果たすかどうかを判定してもよく、具体的な判定方法は以上の２つの例示されたケースにおけるものと同一であり、詳細についてはここでは再度説明しない。
【００９６】
例示的に、第１の電子装置は両方の電子装置の残余電気量情報を開始判定条件として使用する。第１の電子装置の残余電気量値が第１の電気量閾値以上であり第２の電子装置の残余電気量値が第２の電気量閾値以上である場合、両方の電子装置の出力電力情報および充電ステータス情報に従って以下のように判定される。
１）出力電力の大きい電子装置のピア電子装置が電力受信状態にないとき、出力電力が大きい両方の電子装置のうち１つの電子装置が充電装置であると判定されるか、または、
２）出力電力の大きい電子装置のピア電子装置が電力受信状態にあるとき、プロセス全体が終了する。
【００９７】
第１の電子装置の残余電気量値が第１の電気量閾値未満であり第２の電子装置の残余電気量値が第２の電気量閾値未満である場合、両方の電子装置の出力電力情報および充電ステータス情報に従って以下のように判定される。
１）当該電子装置が電力受信状態にありピア電子装置が電力受信状態にないとき、出力電力が充電装置より大きい両方の電子装置のうち１つの電子装置が充電装置であるか、または、
２）出力電力の大きい電子装置が電力受信状態にないか、または、出力電力の大きい電子装置のピア装置が電力受信状態にあるとき、プロセス全体が終了する。
【００９８】
第１の電子装置の残余電気量値が第１の電気量閾値以上であり、第２の電子装置の残余電気量値が第２の電気量閾値未満である場合、両方の電子装置の出力電力情報および充電ステータス情報に従って以下のように判定される。
１）第１の電子装置が出力電力の大きい電子装置であり、第２の電子装置が電力受信状態にないとき、第１の電子装置が充電装置であると判定されるか、
２）第２の電子装置が出力電力の大きい電子装置であり、第２の電子装置のみが電力受信状態にあるとき、第２の電子装置が充電装置であると判定されるか、
３）第１の電子装置が出力電力の大きい電子装置であり、第２の電子装置が電力受信状態にあるとき、プロセス全体が終了するか、または、
４）第２の電子装置が出力電力の大きい電子装置であり、第２の電子装置が電力受信状態にないか、または、第１の電子装置が電力受信状態にあるとき、プロセス全体が終了する。
【００９９】
第１の電子装置の残余電気量値が第１の電気量閾値未満であり、第２の電子装置の残余電気量値が第２の電気量閾値以上である場合、両方の電子装置の出力電力情報および充電ステータス情報に従って以下のように判定される。
１）第２の電子装置が出力電力の大きい電子装置であり、第１の電子装置が電力受信状態にないとき、第２の電子装置が充電装置であると判定されるか、
２）第１の電子装置が出力電力の大きい電子装置であり第１の電子装置のみが電力受信状態にあるとき、第１の電子装置が充電装置であると判定されるか、
３）第２の電子装置が出力電力の大きい電子装置であり、第１の電子装置が電力受信状態にあるとき、プロセス全体が終了するか、または、
４）第１の電子装置が出力電力の大きい電子装置であり、かつ、第１の電子装置が電力受信状態にないか、または、第２の電子装置が電力受信状態にあるとき、プロセス全体が終了する。
【０１００】
本方式で説明した出力電力情報、残余電気量情報、第１の電気量閾値、第２の電気量閾値、および充電ステータス情報の機能は上述の他の関連する実装方式におけるものと同一であり、詳細についてはここでは再度説明しないことに留意すべきである。第２の電気量閾値は第１の電気量閾値と同様であり、両方の電子装置の残余電気量情報に従って事前に設定してもよく、または、設定してもよく、具体的な方法については、上述の方式６における具体的な説明を参照されたい。詳細についてはここでは再度説明しない。さらに、第１の電子装置がまず両方の電子装置の充電ステータス情報に従う決定を実施してもよく、または、まず両方の電子装置の出力電力情報に従う決定を実施してもよく、または、まず両方の電子装置の残余電気量情報に従う決定を実施してもよく、当該情報の決定順序は当該方式では限定されない。
【０１０１】
Ｓ１０２：充電装置が第１の電子装置であると判定された場合、第１の電子装置のＮＦＣ無線充電サービスを有効にして第２の電子装置の充電に備えるか、または、充電装置が第２の電子装置である場合には、第１の電子装置が、ＮＦＣ無線充電サービスを有効にして第１の電子装置の充電に備えるように第２の電子装置に指示する。
【０１０２】
特に、充電装置であると既に判定された電子装置は、当該電子装置のＮＦＣ無線充電サービスを有効にして、充電サービスをピア電子装置に提供するのに備える。
【０１０３】
従来のＮＦＣ無線充電プロセスはＮＦＣ無線充電制御段階およびＮＦＣ無線電気エネルギ伝送段階を含み、したがって、充電電子装置がＮＦＣ無線充電サービスを有効にした後、当該充電電子装置は、ＮＦＣ通信を用いることによって当該ＮＦＣ無線充電プロセスを開始し、当該ＮＦＣ無線充電制御段階を用いることによって検証情報、技術情報等を充電すべき電子装置と交換してＮＦＣ無線充電方式または他の無線充電方式を選択し、次いで当該ＮＦＣ無線充電電気エネルギ伝送段階を用いることによって当該充電すべき電子装置を充電することに留意すべきである。
【０１０４】
さらに、以上の他の無線充電方式は、３つの現在主要な無線充電アライアンス、即ち、ＷＰＣ（Ｗｉｒｅｌｅｓｓ  Ｐｏｗｅｒ  Ｃｏｎｓｏｒｔｉｕｍ）、ＰＭＡ（Ｐｏｗｅｒ  Ｍａｔｔｅｒｓ  Ａｌｌｉａｎｃｅ）およびＡ４ＷＰ（Ａｌｌｉａｎｃｅ  ｆｏｒ  Ｗｉｒｅｌｅｓｓ  Ｐｏｗｅｒ）により別々に制定された無線充電技術を含むがこれらに限定されない。
【０１０５】
以上の方法を用いることにより、第１の電子装置は、充電装置が第１の電子装置であるか第２の電子装置であるかを充電基準情報に従って判定し、充電装置が第１の電子装置であると判定されたとき、第１の電子装置が第１の電子装置のＮＦＣ無線充電サービスを有効にするか、または、充電装置が第２の電子装置であると判定されたとき、第１の電子装置はＮＦＣ無線充電サービスを有効にするように第２の電子装置に指示する。このように、第１の電子装置および第２の電子装置がＮＦＣ通信の有効範囲内に配置されるとき、両方の電子装置は充電装置を当該充電基準メッセージに従って決定し、充電装置のＮＦＣ無線充電サービスを自動的に有効にすることができ、より細分化された時間がピア電子装置を充電するために十分に利用され、ユーザのアクティブな操作に起因する時間消費および労力消費が回避され、ユーザ・エクスペリエンスが高まる。
【０１０６】
本発明の１実施形態ではＮＦＣ無線充電サービスを有効にするための方法を提供する。図２に示すように、当該方法は以下を含む。
【０１０７】
Ｓ２０１：第２の電子装置が、第２の電子装置が充電装置であると第１の電子装置が判定したとき、第１の電子装置により送信された通知を受信し、第２の電子装置のＮＦＣ無線充電サービスを当該通知に従って有効にして、第１の電子装置の充電に備えるか、または、第１の電子装置が充電装置の役割を果たすと第１の電子装置が判定したとき、第１の電子装置により送信された充電制御メッセージを第２の電子装置が受信して、被充電装置として応答するように第２の電子装置に指示する。
【０１０８】
場合によっては、第２の電子装置が当該通知または当該充電制御メッセージを受信する前に、第２の電子装置が第２の電子装置の充電ステータス情報、第２の電子装置の出力電力情報および第２の電子装置の残余電気量情報のうち少なくとも１つを第１の電子装置に送信するか、または、第２の電子装置が第１の電子装置の要求メッセージを受信し、第２の電子装置の充電ステータス情報、第２の電子装置の出力電力情報および第２の電子装置の残余電気量情報のうち少なくとも１つを第１の電子装置の当該要求メッセージに従って第１の電子装置に送信する。
【０１０９】
前述の実施形態を参照して、第１の電子装置は、充電装置が第１の電子装置であるか第２の電子装置であるかを充電基準情報に従って判定することに留意すべきである。当該充電基準情報は、第２の電子装置の充電ステータス情報、第２の電子装置の出力電力情報および第２の電子装置の残余電気量情報のうち少なくとも１つを含む。
【０１１０】
特に、第２の電子装置が充電装置であると充電基準メッセージに従って判定するとき、第１の電子装置は当該通知を第２の電子装置に送信し、その結果、第２の電子装置は当該通知に従って第２の電子装置のＮＦＣ無線充電サービスを有効にし、当該ＮＦＣ無線充電サービスを有効にした後、第２の電子装置は充電制御メッセージを第１の電子装置に送信してＮＦＣ無線充電制御段階に入り、第２の電子装置は、当該ＮＦＣ無線充電制御段階を用いることによって検証情報、技術情報等を第１の電子装置と交換してＮＦＣ無線充電方式または他の無線充電方式を選択し、次いでＮＦＣ無線充電電気エネルギ伝送段階を使用することによって第１の電子装置を充電し、第１の電子装置が当該充電基準メッセージに従って第１の電子装置が充電装置であると判定したとき、第１の電子装置はＮＦＣ無線充電サービスを有効にし、第２の電子装置は第１の電子装置により送信された当該充電制御メッセージを受信し、当該充電制御メッセージに従って応答し、当該ＮＦＣ無線充電制御段階に入る。
【０１１１】
両方の電子装置は、３つの現在主要な無線充電アライアンス、即ち、ＷＰＣ（Ｗｉｒｅｌｅｓｓ  Ｐｏｗｅｒ  Ｃｏｎｓｏｒｔｉｕｍ）、ＰＭＡ（Ｐｏｗｅｒ  Ｍａｔｔｅｒｓ  Ａｌｌｉａｎｃｅ）およびＡ４ＷＰ（Ａｌｌｉａｎｃｅ  ｆｏｒ  Ｗｉｒｅｌｅｓｓ  Ｐｏｗｅｒ）により別々に制定された無線充電技術のような、他の無線充電技術をＮＦＣ無線充電制御段階において情報交換および交渉により選択して充電を行ってもよいことに留意すべきである。
【０１１２】
以上の方法を用いることにより、第２の電子装置が、第２の電子装置が充電装置であると第１の電子装置が判定したとき、第１の電子装置により送信された通知を受信し、第２の電子装置のＮＦＣ無線充電サービスを当該通知に従って有効にして、第１の電子装置の充電に備えるか、または、第１の電子装置が充電装置の役割を果たすと第１の電子装置が判定したとき、第１の電子装置により送信された充電制御メッセージを第２の電子装置が受信して、被充電装置として応答するように第２の電子装置に指示する。このように、第１の電子装置および第２の電子装置がＮＦＣ通信の有効範囲内に配置されるとき、両方の電子装置は充電装置を当該充電基準メッセージに従って決定し、充電装置のＮＦＣ無線充電サービスを自動的に有効にすることができ、より細分化された時間がピア電子装置を充電するために十分に利用され、ユーザのアクティブな操作に起因する時間消費および労力消費が回避され、ユーザ・エクスペリエンスが高まる。
【０１１３】
本発明の１実施形態では、図３に示すように、ＮＦＣ無線充電を有効にするための別の方法を提供する。当該実施形態では、充電基準情報は、両方の電子装置の充電ステータス情報、両方の電子装置の出力電力情報および第１の電子装置の残余電気量情報を含む。
【０１１４】
さらに、説明の便宜上、第１の電子装置を充電装置として用いることによって以下のステップを説明する。当該方法は以下を含む。
【０１１５】
Ｓ３０１：第１の電子装置が出力電力要求メッセージを第２の電子装置に送信し、当該出力電力要求メッセージに従って第２の電子装置により送信される出力電力応答メッセージを受信する。
【０１１６】
特に、第１の電子装置および第２の電子装置がＮＦＣ通信範囲内に配置され、両方の電子装置の間のＮＦＣ通信がない期間が事前設定時間閾値に到達したとき、第１の電子装置は当該出力電力要求メッセージを第２の電子装置に送信する。第１の電子装置により送信された出力電力要求メッセージは第２の電子装置の出力電力情報を学習するために使用される。
【０１１７】
当該実施形態を、第１の電子装置が現在のＮＦＣ通信の開始者である１例を用いることによって説明することに留意すべきである。実際には、第２の電子装置も現在のＮＦＣ通信の開始者であってもよく、この場合、出力電力要求メッセージを第２の電子装置により第１の電子装置に送信すべきであり、以下の判定も第２の電子装置により完了すべきである。
【０１１８】
Ｓ３０２：第１の電子装置が、両方の電子装置の出力電力情報に従って、第１の電子装置が出力電力の大きい電子装置であると判定する。
【０１１９】
特に、ステップＳ３０２には２つの実装方式がある。
【０１２０】
方式１：当該出力電力情報は出力電力値を含む。
【０１２１】
特に、第１の電子装置が、第２の電子装置により送信された出力電力応答メッセージに従って第２の電子装置の出力電力値を取得し、第１の電子装置の出力電力値と第２の電子装置の出力電力値の間の差分の絶対値が事前設定電力差分閾値より大きく、かつ、第１の電子装置の出力電力値が第２の電子装置の出力電力値より大きい場合には、第１の電子装置が出力電力の大きい電子装置であると判定される。
【０１２２】
第１の電子装置の出力電力値と第２の電子装置の出力電力値の間の差分の絶対値が第２の事前設定電力差分閾値未満である場合、第１の電子装置および第２の電子装置の何れも充電装置の役割を果たすことができず、この場合、プロセス全体が終了してもよい。
【０１２３】
第１の電子装置が第２の電子装置により送信された当該出力電力応答メッセージを受信することによって第２の電子装置の出力電力情報を取得してもよく、第２の電子装置の出力電力情報が第２の電子装置の出力電力値、または第２の電子装置の出力電流値および出力電圧値であってもよく、または当該出力電力値、および第２の電子装置の出力電流値および／または出力電圧値であってもよく、即ち、第１の電子装置が、当該出力電力情報を用いることによって第２の電子装置の出力電力値を直接的または間接的に取得できることに留意すべきである。
【０１２４】
例示的に、第１の電子装置の出力電力値はＰｏ１であり、第２の電子装置の出力電力値はＰｏ２であり、出力電力差分閾値はΔＰｏであり、出力電力要求メッセージを第２の電子装置に送信した後、第１の電子装置は当該出力電力要求メッセージに従って第２の電子装置により送信される出力電力応答メッセージを受信する。当該出力電力応答メッセージが第２の電子装置の出力電力値Ｐｏ２を運搬し、次いで第１の電子装置と第２の電子装置の出力電力値の間の差分の絶対値が｜Ｐｏ１−Ｐｏ２｜であると第１の電子装置が判定し、出力電力差分閾値ΔＰｏに対して、当該出力電力値の差分の絶対値｜Ｐｏ１−Ｐｏ２｜が出力電力差分閾値ΔＰｏより大きくＰｏ１＞Ｐｏ２であると第１の電子装置が判定した場合、第１の電子装置が出力電力の大きい電子装置であると第１の電子装置が判定する。
【０１２５】
方式２：当該出力電力情報は出力電力レベルである。
【０１２６】
電子装置の出力電力を高レベル、中間レベル、および低レベルに分類してもよく、例えば、出力電力が５ｗ以下である電子装置の装置電力レベルは低であり、出力電力が５ｗより大きく２０ｗ以下である電子装置の装置電力レベルは中間であり、出力電力が２０ｗより大きい電子装置の装置電力レベルは高であることに留意すべきである。
【０１２７】
特に、第１の電子装置は第２の電子装置の出力電力レベルを第２の電子装置の出力電力応答メッセージに従って取得し、第１の電子装置の出力電力レベルが第２の電子装置の出力電力レベルより高い場合、第１の電子装置が出力電力の大きい電子装置であると判定される。
【０１２８】
例示的に、第１の電子装置の出力電力レベルは中間であり、第２の電子装置の出力電力レベルは低であり、出力電力要求メッセージを第２の電子装置に送信した後、第１の電子装置は、当該出力電力要求メッセージに従って第２の電子装置により送信される出力電力応答メッセージを受信する。当該出力電力応答メッセージは第２の電子装置の出力電力レベルを運搬し、当該出力電力応答メッセージに従って、第１の電子装置の出力電力レベルが第２の電子装置の出力電力レベルより高いと第１の電子装置が判定した場合、第１の電子装置が出力電力の大きい電子装置であると第１の電子装置が判定する。
【０１２９】
第２の電子装置の出力電力レベルが第１の電子装置の出力電力レベルと同じであると判定されたとき、第１の電子装置は、両方の電子装置の出力電力値に従って、第１の電子装置が出力電力の大きい電子装置であると判定してもよいことに留意すべきである。詳細については、上述の方式１の説明を参照されたい。
【０１３０】
Ｓ３０３：第１の電子装置が充電ステータス要求メッセージを第２の電子装置に送信し、当該充電ステータス要求メッセージに従って第２の電子装置により送信された充電ステータス応答メッセージを受信する。
【０１３１】
当該充電ステータス応答メッセージは充電ステータス情報を含み、第１の電子装置は、当該充電ステータス情報に従って、第２の電子装置が電力受信状態にあるかどうかを判定することができる。
【０１３２】
Ｓ３０４：第１の電子装置が、両方の電子装置の充電ステータス情報に従って、第１の電子装置および第２の電子装置の何れも電力受信状態にないと判定する。
【０１３３】
そうである場合には、ステップＳ３０５が実施され、そうでない場合には、ステップＳ３０６が実施される。
【０１３４】
Ｓ３０５：第１の電子装置が、第１の電子装置の残余電気量値が第１の電気量閾値以上であると判定する。
【０１３５】
第１の電気量閾値は、総バッテリ量のような第１の電子装置のパラメータに従って第１の電子装置により事前に設定される。
【０１３６】
特に、第１の電子装置は、第１の電子装置の残余電気量情報を用いることによって、第１の電子装置の現在の残余電気量値を決定し、当該残余電気量値を第１の電気量閾値と比較する。第１の電子装置の残余電気量値が第１の電気量閾値以上であると第１の電子装置が判定したとき、第１の電子装置はさらに、第１の電子装置が具体的に第２の電子装置を充電できる電気量をユーザに通知してもよい。例えば、ＮＦＣ無線充電機能を有効にする前に、第１の電子装置は、ユーザに画面表示または音声により「電子装置をＸＸｍＡｈの電気量だけ充電してもよい」と通知してもよい。本明細書では例を用いてのみ説明を行い、ユーザに通知する具体的な方式は本発明では限定されない。
【０１３７】
本発明の別の可能な実装方式では、第１の電気量閾値をさらに、両方の電子装置の残余電気量情報に従って第１の電子装置によって決定してもよい。
【０１３８】
例示的に、第１の電子装置がバッテリ情報要求を第２の電子装置に送信し、当該バッテリ情報要求に従って第２の電子装置により送信されたバッテリ情報応答を受信し、次いで、第１の電子装置が両方の電子装置の残余電気量情報に従って第１の電気量閾値を決定する。当該バッテリ情報要求は第２の電子装置のバッテリの残余電気量情報を学習するために使用される。
【０１３９】
当該残余電気量情報は、残余電気量値および／または総バッテリ量、および／または残余電気量パーセンテージおよび総バッテリ量を含み、当該残余電気量情報が充電需要指示および／または最大放電電流または閾値放電電流のような他の関連パラメータを含んでもよいことに留意すべきである。
【０１４０】
例示的に、第１の電子装置の残余電気量値は５００ｍＡｈであり、装置の通常使用に影響する最小電気量値は３００ｍＡｈであり、バッテリ情報要求を第２の電子装置に送信した後、第１の電子装置が第２の電子装置により送信されたバッテリ情報応答に従って、第２の電子装置の総バッテリ量が１５０ｍＡｈであり、第２の電子装置の残余電気量値が１０ｍＡｈであると判定した場合、第１の電子装置が４００ｍＡｈのような第２の電子装置を充電できる第１の電気量閾値を設定してもよく、第１の電子装置が、第２の電子装置の総バッテリ量が２０００ｍＡｈであり、第２の電子装置の残余電気量値が１００ｍＡｈであり、第２の電子装置の最大放電電流が２Ａであると判定した場合、第１の電子装置が第２の電子装置を２００ｍＡｈの電気量だけ充電した後、第２の電子装置の推定通常使用時間は約１０分であり、この場合、第１の電子装置が第２の電子装置に対して５００ｍＡｈの第１の電気量閾値を設定してもよい。
【０１４１】
さらに、第１の電子装置の残余電気量値が第１の電気量閾値より大きいと第１の電子装置が判定した後、ステップＳ３０７が実施される。
【０１４２】
Ｓ３０６：第１の電子装置が、第１の電子装置のみが電力受信状態にあると判定する。
【０１４３】
特に、第１の電子装置の充電ステータス情報は第１の電子装置が電力受信状態にあることを示し、第２の電子装置の充電ステータス情報は第２の電子装置が電力受信状態にないことを示す。
【０１４４】
Ｓ３０７：第１の電子装置がＮＦＣ無線充電サービスを有効にして第２の電子装置の充電に備える。
【０１４５】
ＮＦＣ無線充電サービスを有効にした後、第１の電子装置がさらに無線充電が既に有効にされているとユーザに通知してもよく、確かにユーザ確認のプロンプトをさらに追加してもよく、例えば、ＮＦＣ無線充電サービスを有効にした後、第１の電子装置は、スクリーンまたは音声を用いることによって「ＮＦＣ無線充電サービスが既に有効にされている」または「ＮＦＣ無線充電サービスを有効にするのに同意するか」をユーザに通知し、「確認」および「キャンセル」のオプションを設定し、本明細書では例を用いてのみ説明を行い、ユーザに通知する具体的な方式は本発明では限定されないことに留意すべきである。
【０１４６】
当該実施形態では、第１の電子装置により第２の電子装置に送信された出力電力要求メッセージおよび充電ステータス要求メッセージおよび必要でありうるバッテリ要求メッセージは当該方式で何回か送信され、当該実施形態では、それが含まれるが限定されないことに留意すべきである。確かに、当該メッセージを他の方式で送信してもよい。例えば、出力電力情報、充電ステータス情報、および／または残余電気量情報は要求メッセージを用いることによって第２の電子装置から要求され、確かに２つの要求メッセージを用いることによって全ての必要な情報をさらに取得してもよく、本明細書では１つずつ説明は行わない。
【０１４７】
このように、第１の電子装置および第２の電子装置がＮＦＣ通信の有効範囲内に配置されるとき、第１の電子装置が充電装置の役割を果たすと充電基準情報に従って判定した後、第１の電子装置はＮＦＣ無線充電サービスを自動的に有効にする。これは、第２の電子装置を充電するためのより断片的な時間を十分に利用し、ユーザのアクティブな操作に起因する時間消費および労力消費が回避され、ユーザ・エクスペリエンスが高まる。
【０１４８】
説明の簡単さのため、以上の方法の実施形態は全て一連の動作の組合せとして表現されることに留意すべきである。しかし、本発明は説明した動作の順序に限定されないことは当業者にはさらに理解されるべきである。説明した実施形態は全て例示的な実施形態に属し、必要な動作およびモジュールは必ずしも本発明により要求されないことは当業者にはさらに理解されるべきである。
【０１４９】
本発明の１実施形態では、図４に示すようにＮＦＣ無線充電サービスを有効にするための別の方法を提供する。当該実施形態では、充電基準情報は、両方の電子装置の充電ステータス情報、第１の電子装置の出力電力情報および両方の電子装置の残余電気量情報を含む。
【０１５０】
さらに、説明の便宜上、第１の電子装置を充電装置として用いることによって以下のステップを説明する。当該方法は以下を含む。
【０１５１】
Ｓ４０１：第１の電子装置が充電ステータス要求メッセージを第２の電子装置に送信し、当該充電ステータス要求メッセージに従って第２の電子装置により送信された充電ステータス応答メッセージを受信する。
【０１５２】
当該充電ステータス要求メッセージは第２の電子装置の現在の充電ステータス情報を取得するために使用される。第１の電子装置は当該充電ステータス情報に従って、第２の電子装置が電力受信状態にあるかどうかを判定することができる。
【０１５３】
特に、第１の電子装置および第２の電子装置がＮＦＣ通信範囲内に配置され、両方の電子装置の間のＮＦＣ通信がない期間が事前設定時間閾値に到達したとき、第１の電子装置が第１の電子装置の出力電力情報を取得する。当該出力電力情報が出力電力値を含んでもよく、したがって当該出力電力値が事前設定電力閾値以上であると判定したとき、第１の電子装置は充電ステータス要求メッセージを第２の電子装置に送信し、当該事前設定電力閾値は実際の状況に従って事前に設定された閾値であり、当該出力電力情報がさらに出力電力レベルを含んでもよく、したがって当該出力電力レベルが事前設定電力レベルより高いと判定されたとき、第１の電子装置は充電ステータス要求メッセージを第２の電子装置に送信する。当該事前設定電力レベルは実際の状況に従って事前に設定された閾値レベルである。
【０１５４】
第２の電子装置の出力電力値も出力電力閾値以上である場合、第２の電子装置はまた、充電ステータス要求メッセージを第１の電子装置に送信してもよく、このように、第１の電子装置が第２の電子装置により送信された充電ステータス要求メッセージを受信した場合、第１の電子装置は出力電力要求メッセージを第２の電子装置に送信するか、または、第２の電子装置により送信された出力電力要求メッセージを受信し、最終的に、両方の電子装置の出力電力レベルまたは出力電力値を用いることによって、第１の電子装置または第２の電子装置が充電装置としての役割を果たすかどうかを判定することに留意すべきである。詳細については、前述の実施形態におけるステップ３０１乃至ステップ３０３に対応する説明を参照されたい。
【０１５５】
第１の電子装置が出力電力要求メッセージを第２の電子装置に送信するかまたは第２の電子装置が当該出力電力要求メッセージを第１の電子装置に送信するかは、夫々の充電ステータス要求メッセージにおいて夫々の乱数を設定し、これらの２つの乱数を比較することによって、両者により判定してもよい。例えば、第１の電子装置により送信された充電ステータス要求メッセージ内の乱数が第２の電子装置の乱数より大きい場合、第１の電子装置が当該出力電力要求メッセージを送信する。
【０１５６】
例示的に、事前設定電力閾値はＰｏであり、第１の電子装置の出力電力値はＰｏ１であり、第２の電子装置の出力電力値はＰｏ２であり、Ｐｏ１はＰｏより大きく、Ｐｏ２はＰｏより大きく、したがって第１の電子装置は第１の充電ステータス要求メッセージを第２の電子装置に送信し、第２の電子装置により送信された第２の充電ステータス要求メッセージを受信する。第１の充電ステータス要求メッセージは乱数Ｒ１を含み、第２の充電ステータス要求メッセージは乱数Ｒ２を含み、乱数Ｒ１が乱数Ｒ２より大きいと第１の電子装置が判定した場合には、第１の電子装置は出力電力要求メッセージを第２の電子装置に送信し、または、乱数Ｒ１が乱数Ｒ２未満であると第１の電子装置が判定した場合、第１の電子装置は第２の電子装置により送信された出力電力要求メッセージを受信する。
【０１５７】
Ｓ４０２：第１の電子装置が、第２の電子装置の充電ステータス情報に従って、第２の電子装置が電力受信状態にないと判定する。
【０１５８】
電力を受信する方式が有線または無線であってもよい。
【０１５９】
第１の電子装置が当該充電ステータス情報に従って、第２の電子装置が電力受信状態にあると判定した場合、ＮＦＣ無線充電サービスを有効にするプロセス全体が終了することに留意すべきである。
【０１６０】
Ｓ４０３：第１の電子装置が、第１の電子装置の充電ステータス情報に従って、第１の電子装置が電力受信状態にあるかどうかを判定する。
【０１６１】
第１の電子装置が現在電力受信状態にない場合、ステップＳ４０４乃至ステップＳ４０６が実施され、または、第１の電子装置が現在電力受信状態にある場合、ステップＳ４０７が実施される。
【０１６２】
Ｓ４０４：第１の電子装置がバッテリ情報要求を第２の電子装置に送信し、当該バッテリ情報要求に従って第２の電子装置により送信されたバッテリ情報応答を受信する。
【０１６３】
当該ステップは任意であることに留意すべきである。
【０１６４】
当該バッテリ情報応答は、第２の電子装置の残余電気量情報を含む。
【０１６５】
Ｓ４０５：第１の電子装置が両方の電子装置の残余電気量情報に従って第１の電気量閾値を決定する。
【０１６６】
当該ステップは任意であり、ステップＳ４０４と一貫することに留意すべきである。即ち、ステップＳ４０４がない場合、ステップＳ４０５はなく、ステップＳ４０４がある場合は、ステップＳ４０５がある。
【０１６７】
残余電気量情報は、残余電気量値および／または総バッテリ量、および／または残余電気量パーセンテージおよび総バッテリ量を含み、当該残余電気量情報が充電需要指示および／または最大放電電流または閾値放電電流のような他の関連パラメータを含んでもよいことに留意すべきである。
【０１６８】
例示的に、第１の電子装置の残余電気量値は５００ｍＡｈであり、装置の通常使用に影響する最小電気量値は３００ｍＡｈであり、バッテリ情報要求を第２の電子装置に送信した後、第１の電子装置が第２の電子装置により送信されたバッテリ情報応答に従って、第２の電子装置の総バッテリ量が１５０ｍＡｈであり、第２の電子装置の残余電気量値が１０ｍＡｈであると判定した場合、第１の電子装置が４００ｍＡｈのような第２の電子装置を充電できる第１の電気量閾値を設定してもよく、第１の電子装置が、第２の電子装置の総バッテリ量が２０００ｍＡｈであり、第２の電子装置の残余電気量値が１００ｍＡｈであり、第２の電子装置の最大放電電流が２Ａであると判定した場合、第１の電子装置が第２の電子装置を２００ｍＡｈの電気量だけ充電した後、第２の電子装置の推定通常使用時間は約１０分であり、この場合、第１の電子装置が第２の電子装置に対して５００ｍＡｈの第１の電気量閾値を設定してもよい。
【０１６９】
Ｓ４０６：第１の電子装置が、第１の電子装置の残余電気量値が第１の電気量閾値以上であると判定する。
【０１７０】
第１の電気量閾値を総バッテリ量のような第１の電子装置のパラメータに従って事前に設定してもよく、第１の電子装置が充電ステータス応答メッセージに従って、第２の電子装置が未充電状態にあり第１の電子装置も現在未充電状態にあると判定するとき、第１の電子装置は第１の電子装置の残余電気量値が事前設定電気量閾値より大きいかどうかを直接判定してもよく、当該ステップは図４の点線により示されることに留意すべきである。
【０１７１】
Ｓ４０７：第１の電子装置がＮＦＣ無線充電サービスを有効にして第２の電子装置の充電に備える。
【０１７２】
当該ＮＦＣ無線充電サービスを有効にした後、第１の電子装置は無線充電サービスが既に有効にされていることをユーザに通知してもよく、確かにユーザ確認のプロンプトをさらに追加してもよく、例えば、当該ＮＦＣ無線充電サービスを有効にした後、第１の電子装置は、「ＮＦＣ無線充電サービスが既に有効にされている」または「ＮＦＣ無線充電サービスを有効にするのに同意するか」を画面表示または音声によりユーザに通知し、「確認」および「キャンセル」のオプションを設定し、本明細書では例を用いてのみ説明を行い、ユーザに通知する具体的な方式は本発明では限定されないことに留意すべきである。
【０１７３】
当該実施形態では、第１の電子装置により第２の電子装置に送信された出力電力要求メッセージおよび充電ステータス要求メッセージおよび必要でありうるバッテリ要求メッセージを送信する方式は図３に対応する実施形態で説明した方式と同じであり、詳細についてはここでは再度説明しないことに留意すべきである。
【０１７４】
このように、第１の電子装置および第２の電子装置がＮＦＣ通信の有効範囲内に配置されるとき、第１の電子装置が充電装置の役割を果たすと充電基準情報に従って判定した後、第１の電子装置はＮＦＣ無線充電サービスを自動的に有効にし、これにより第２の電子装置を充電するためのより断片的な時間を十分に利用し、ユーザのアクティブな操作に起因する時間消費および労力消費が回避され、ユーザ・エクスペリエンスが高まる。
【０１７５】
説明の簡単さのため、以上の方法の実施形態は全て一連の動作の組合せとして表現されることに留意すべきである。しかし、本発明は説明した動作の順序に限定されないことは当業者にはさらに理解されるべきである。説明した実施形態は全て例示的な実施形態に属し、必要な動作およびモジュールは必ずしも本発明により要求されないことは当業者にはさらに理解されるべきである。
【０１７６】
本発明の１実施形態では電子装置５０を提供する。図５に示すように、電子装置５０は、プロセッサ（プロセッサ）５１、ＮＦＣ無線充電コントローラ５２、送受信器５３および通信バス５４を備える。プロセッサ５１、ＮＦＣ無線充電コントローラ５２および送受信器５３は通信バス５４を用いることによって相互通信を実現する。
【０１７７】
プロセッサ５１が、マルチコア中央演算装置ＣＰＵ、または特殊用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、または本発明の当該実施形態を実装するように構成された１つまたは複数の集積回路であってもよい。
【０１７８】
プロセッサ５１は、当該電子装置が充電装置であるか第２の電子装置が充電装置であるかを充電基準情報に従って判定し、当該電子装置が充電装置であると判定された場合には、ＮＦＣ無線充電サービスを有効にして第２の電子装置の充電に備えるようにＮＦＣ無線充電コントローラ５２を制御するか、または、第２の電子装置が充電装置であると判定された場合には、通知を第２の電子装置に送信するように送受信器５３を制御するように構成される。
【０１７９】
ＮＦＣ無線充電コントローラ５２は、プロセッサ５１の制御に従ってＮＦＣ無線充電サービスを有効にして、第２の電子装置の充電に備えるように構成される。
【０１８０】
送受信器５３は、第２の電子装置が第２の電子装置のＮＦＣ無線充電サービスを当該通知に従って有効にして当該電子装置の充電に備えるように、プロセッサ５１の制御に従って当該通知を第２の電子装置に送信するように構成される。
【０１８１】
場合によっては、プロセッサ５１はさらに、当該電子装置が充電装置であるか第２の電子装置が充電装置であるかが当該充電基準情報に従って判定される前に、当該電子装置と第２の電子装置がＮＦＣ通信の有効距離内に保たれ、両方の電子装置の間でＮＦＣ通信が発生していない時間が事前設定時間閾値を超えると判定するように構成される。
【０１８２】
当該充電基準情報に含まれる情報が異なる場合、当該電子装置が充電装置であるか第２の電子装置が充電装置であるかをプロセッサ５１が判定する方式も異なり、特に以下を含む。
【０１８３】
方式１：当該充電基準情報は、当該電子装置の充電ステータス情報と第２の電子装置の充電ステータス情報を含む。
【０１８４】
次いで、当該電子装置は以下のように当該充電基準情報に従って判定を行う。
１）当該電子装置が電力受信状態になく、第２の電子装置が電力受信状態にあるとき、第２の電子装置が充電装置であると判定されるか、
２）当該電子装置が電力受信状態にあり、第２の電子装置が電力受信状態にないとき、当該電子装置が充電装置であると判定されるか、
３）当該電子装置が電力受信状態になく、第２の電子装置が電力受信状態にないとき、当該電子装置または第２の電子装置が充電装置であるかどうかをランダムに判定してもよく、または、プロセス全体が終了してもよく、または、当該電子装置および第２の電子装置の出力電力情報、残余電気量情報等を取得することによって当該電子装置または第２の電子装置が充電装置としての役割を果たすかどうかを判定してもよく（詳細については、以下の関連する実装方式を参照されたい）、または、
４）当該電子装置が電力受信状態にあり、第２の電子装置が電力受信状態にあるとき、プロセス全体が終了する。
【０１８５】
特に、当該充電ステータス情報は、対応する電子装置が電力受信状態にあるかどうかを示すために使用される充電識別子を含み、或る電子装置が電力受信状態にあり、かつ、その他の電子装置が電力受信状態にないとき、電力受信状態にある電子装置が充電装置であると当該電子装置が判定し、充電装置のＮＦＣ無線充電サービスを有効にして当該ピア電子装置の充電に備え、両方の電子装置の何れも電力受信状態にないとき、当該電子装置は、一方の電子装置が充電装置であるとランダムに判定してもよく、または当該電子装置および第２の電子装置の出力電力情報、残余電気量情報等を取得することによって当該電子装置または第２の電子装置が充電装置としての役割を果たすかどうかを判定してもよく（詳細については、以下の関連する実装方式を参照されたい）、または、両方の電子装置が電力受信状態にあるとき、プロセス全体が終了する。
【０１８６】
方式２：当該充電基準情報は当該電子装置の出力電力情報を含む。
【０１８７】
次いで、当該電子装置は以下のように当該充電基準情報に従って判定を行う。
１）当該電子装置の出力電力値が事前設定電力閾値以上であるか、または、出力電力レベルが事前設定電力レベル以上であるとき、当該電子装置が充電装置であると判定されるか、または、
２）当該電子装置の出力電力が事前設定電力閾値未満であるとき、第２の電子装置が充電装置であると判定してもよいか、または、第２の電子装置の出力電力および／または両者の充電ステータス情報および／または両者の残余電気量情報を取得することによって当該電子装置または第２の電子装置が充電装置としての役割を果たすかどうかを判定してもよい（詳細については、以下の関連する実装方式を参照されたい）。
【０１８８】
特に、当該出力電力情報が出力電力値を含んでもよく、当該事前設定電力閾値は実際の状況に従って事前に設定された閾値であり、当該出力電力情報が出力電力レベルを含んでもよく、当該事前設定電力レベルは実際の状況に従って事前に設定された閾値レベルである。例えば、当該電子装置の出力電力が十分に大きいとき（例えば、当該電子装置が高電力装置である）、当該電子装置がデフォルトで充電装置であってもよい。
【０１８９】
方式３：当該充電基準情報は当該電子装置の出力電力情報および第２の電子装置の出力電力情報を含む。
【０１９０】
次いで、当該電子装置は以下のように当該充電基準情報に従って判定を行う。
１）当該電子装置が出力電力の大きい電子装置であるとき、当該電子装置が充電装置であると判定されるか、
２）第２の電子装置が出力電力の大きい電子装置であるとき、第２の電子装置が充電装置であると判定されるか、または、
３）当該電子装置および第２の電子装置が、出力電力が等しい電子装置であるとき、一方の電子装置が充電装置であるとランダムに判定してもよく、または、プロセス全体が終了してもよく、または、両方の電子装置の充電ステータス情報および／または当該電子装置または両方の電子装置の残余電気量情報を取得することによって当該電子装置または第２の電子装置が充電装置としての役割を果たすかどうかを判定してもよい（詳細については、以下の関連する実装方式を参照されたい）。
【０１９１】
特に、当該出力電力情報が、高レベル、中間レベル、および低レベルのような出力電力レベルを含んでもよく、この場合、当該電子装置が両方の電子装置の出力電力レベルを比較することによって出力電力の大きい電子装置を決定し、出力電力の大きい電子装置が充電装置であると判定し、例えば、両方の電子装置の出力電力レベルが少なくとも１レベルだけ異なるとき、レベルの大きい電子装置は出力電力の大きい電子装置であり、当該出力電力情報がまた出力電力値を含んでもよく、この場合、両方の電子装置の出力電力値の差分が事前設定電力差分閾値より大きいと判定したとき、出力電力値が大きい電子装置が充電装置であると当該電子装置が判定する。例えば、当該電子装置の出力電力値および第２の電子装置の出力電力値はそれぞれＰ１およびＰ２であり、当該事前設定電力差分閾値はΔＰであり、したがってＰ１＞Ｐ２かつ｜Ｐ１−Ｐ２｜＞ΔＰである場合、当該電子装置は出力電力の大きい電子装置である。
【０１９２】
当該出力電力情報が出力電力レベルと出力電力値の両方を含んでもよく、両方の電子装置の出力電力レベルが同一であるとき、当該電子装置は、以上の方法を用いることにより、即ち、両方の電子装置の出力電力値の差分を当該事前設定電力差分閾値と比較することにより、出力電力の大きい電子装置を決定してもよいことに留意すべきである。さらに、当該電子装置は、出力電流および出力電圧を取得することによって当該出力電力値を間接的に取得してもよい。
【０１９３】
方式４：当該充電基準情報は当該電子装置の出力電力情報、当該電子装置の充電ステータス情報および／または第２の電子装置の充電ステータス情報を含む。
【０１９４】
次いで、当該電子装置は以下のように当該充電基準情報に従って判定を行う。
１）当該電子装置の出力電力値が事前設定電力閾値以上であるか、または、出力電力レベルが事前設定電力レベル以上であり、当該電子装置が電力受信状態にあり、かつ／または、第２の電子装置が電力受信状態にないとき、当該電子装置が充電装置であると判定されるか、
２）当該電子装置の出力電力値が事前設定電力閾値以上であるか、または、出力電力レベルが事前設定電力レベル以上であり、第２の電子装置が電力受信状態にあるとき、第２の電子装置が充電装置であると判定してもよく、または、プロセス全体が終了してもよいか、
３）当該電子装置の出力電力値が事前設定電力閾値未満であるか、または、出力電力レベルが事前設定電力レベルより低く、当該電子装置が電力受信状態にないとき、第２の電子装置が充電装置であると判定してもよいか、または、当該プロセスが終了してもよいか、または、第２の電子装置の出力電力情報および／または両方の電子装置の残余電気量情報を取得することによって当該電子装置または第２の電子装置が充電装置としての役割を果たすかどうかを判定してもよく（詳細については、他の実装方式を参照されたい）、または、
４）当該電子装置の出力電力値が事前設定電力閾値未満であるか、または、出力電力レベルが事前設定電力レベルより低く、当該電子装置が電力受信状態にあるとき、当該電子装置が充電装置であると判定してもよいか、または、当該プロセスが終了してもよい。
【０１９５】
本方式で説明した充電ステータス情報、出力電力情報、事前設定電力閾値、および事前設定電力レベルの機能は上述の他の関連する実装方式におけるものと同一であり、詳細についてはここでは再度説明しないことに留意すべきである。さらに、当該電子装置がまず当該出力電力情報に従う決定を実施してもよく、または、まず両方の電子装置の充電ステータス情報に従う決定を実施してもよく、当該情報の決定順序は当該方式では限定されない。
【０１９６】
方式５：当該充電基準情報は、当該電子装置の出力電力情報、第２の電子装置の出力電力情報、当該電子装置の充電ステータス情報と第２の電子装置の充電ステータス情報を含む。
【０１９７】
次いで、当該電子装置は以下のように当該充電基準情報に従って判定を行う。
１）当該電子装置は出力電力の大きい電子装置であり、第２の電子装置が電力受信状態にないとき、当該電子装置が充電装置であると判定されるか、
２）当該電子装置は出力電力の大きい電子装置であり、第２の電子装置が電力受信状態にあるとき、第２の電子装置が充電装置であると判定してもよく、または、プロセス全体が終了してもよいか、
３）第２の電子装置が出力電力の大きい電子装置であり、当該電子装置が電力受信状態にないとき、第２の電子装置が充電装置であると判定されるか、または、
４）第２の電子装置が出力電力の大きい電子装置であり、当該電子装置が電力受信状態にあるとき、当該電子装置が充電装置であると判定してもよく、または、プロセス全体が終了してもよい。
【０１９８】
本方式で説明した充電ステータス情報および出力電力情報の機能は上述の他の関連する実装方式におけるものと同一であり、詳細についてはここでは再度説明しないことに留意すべきである。出力電力の大きい電子装置を決定するための方法については、上述の方式３における具体的な説明を参照されたい。詳細についてはここでは再度説明しない。さらに、当該電子装置がまず両方の電子装置の出力電力情報に従う決定を実施してもよく、または、まず両方の電子装置の充電ステータス情報に従う決定を実施してもよく、当該情報の決定順序は当該方式では限定されない。
【０１９９】
方式６：当該充電基準情報は、当該電子装置の充電ステータス情報、第２の電子装置の充電ステータス情報および当該電子装置の残余電気量情報を含む。
【０２００】
次いで、当該電子装置は以下のように当該充電基準情報に従って判定を行う。
１）当該電子装置の残余電気量値が第１の電気量閾値以上であり、第２の電子装置が電力受信状態にないとき、当該電子装置が充電装置であると判定されるか、
２）当該電子装置の残余電気量値が第１の電気量閾値以上であり、第２の電子装置が電力受信状態にあるとき、第２の電子装置が充電装置であると判定してもよく、または、プロセス全体が終了してもよいか、
３）当該電子装置の残余電気量値が第１の電気量閾値未満であり、当該電子装置が電力受信状態にあるとき、当該電子装置が充電装置であると判定してもよく、または、プロセス全体が終了してもよく、または、
４）当該電子装置の残余電気量値が第１の電気量閾値未満であり、当該電子装置が電力受信状態にないとき、第２の電子装置が充電装置であると判定してもよく、または、プロセス全体が終了してもよい。
【０２０１】
特に、第１の電気量閾値が、事前設定電気量閾値、または第１の電子装置が第２の電子装置の残余電気量情報を取得した後に両方の電子装置の残余電気量情報に従って当該電子装置により設定された電気量閾値であってもよい。
【０２０２】
例示的に、当該電子装置がバッテリ情報要求を第２の電子装置に送信し、当該バッテリ情報要求に従って第２の電子装置により送信されたバッテリ情報応答を受信し、当該電子装置が両方の電子装置の残余電気量情報に従って第１の電気量閾値を決定する。バッテリ情報要求は第２の電子装置のバッテリの残余電気量情報を学習するために使用される。
【０２０３】
当該残余電気量情報は、残余電気量値および／または総バッテリ量、および／または残余電気量パーセンテージおよび総バッテリ量を含み、当該残余電気量情報が充電需要指示および／または最大放電電流または閾値放電電流のような他の関連パラメータを含んでもよいことに留意すべきである。
【０２０４】
例示的に、当該電子装置の残余電気量値は５００ｍＡｈであり、装置の通常使用に影響する最小電気量値は３００ｍＡｈであり、バッテリ情報要求を第２の電子装置に送信した後、当該電子装置が第２の電子装置により送信されたバッテリ情報応答に従って、第２の電子装置の総バッテリ量が１５０ｍＡｈであり、第２の電子装置の残余電気量値が１０ｍＡｈであると判定した場合、当該電子装置が４００ｍＡｈのような第２の電子装置を充電できる第１の電気量閾値を設定してもよく、当該電子装置が、第２の電子装置の総バッテリ量が２０００ｍＡｈであり、第２の電子装置の残余電気量値が１００ｍＡｈであり、第２の電子装置の最大放電電流が２Ａであると判定した場合、当該電子装置が第２の電子装置を２００ｍＡｈの電気量だけ充電した後、第２の電子装置の推定通常使用時間は約１０分であり、この場合、当該電子装置が第２の電子装置に対して５００ｍＡｈの第１の電気量閾値を設定してもよい。
【０２０５】
本方式で説明した充電ステータス情報の機能は上述の他の関連する実装方式におけるものと同一であり、詳細についてはここでは再度説明しないことに留意すべきである。さらに、当該電子装置がまず当該電子装置の残余電気量情報に従う決定を実施してもよく、または、まず両方の電子装置の充電ステータス情報に従う決定を実施してもよく、当該情報の決定順序は当該方式では限定されない。
【０２０６】
方式７：当該充電基準情報は当該電子装置の出力電力情報および当該電子装置の残余電気量情報を含む。
【０２０７】
次いで、当該電子装置は以下のように当該充電基準情報に従って判定を行う。
１）当該電子装置の出力電力値が事前設定電力閾値以上であるか、または、出力電力レベルが事前設定電力レベル以上であり、当該電子装置の残余電気量値が第１の電気量閾値以上であるとき、当該電子装置が充電装置であると判定されるか、
２）当該電子装置の出力電力値が事前設定電力閾値以上であるか、または、出力電力レベルが事前設定電力レベル以上であり、当該電子装置の残余電気量値が第１の電気量閾値未満であるとき、第２の電子装置が充電装置であると判定してもよく、または、プロセス全体が終了してもよく、または、両方の電子装置の充電ステータスおよび／または第２の電子装置の残余電気量および／または第２の電子装置の出力電力情報を取得することによって当該電子装置または第２の電子装置が充電装置としての役割を果たすかどうかを判定してもよい（詳細については、他の関連する実装方式を参照されたい）
３）当該電子装置の出力電力値が事前設定電力閾値未満であるか、または、出力電力レベルが事前設定電力レベルより低く、当該電子装置の残余電気量値が第１の電気量閾値以上であるとき、当該電子装置が充電装置であると判定してもよく、または、プロセス全体が終了してもよく、または、両方の電子装置の充電ステータスおよび／または第２の電子装置の残余電気量および／または第２の電子装置の出力電力情報を取得することによって当該電子装置または第２の電子装置が充電装置としての役割を果たすかどうかを判定してもよく（詳細については、他の関連する実装方式を参照されたい）、または、
４）当該電子装置の出力電力値が事前設定電力閾値未満であるか、または、出力電力レベルが事前設定電力レベルより低く、当該電子装置の残余電気量値が第１の電気量閾値未満であるとき、第２の電子装置が充電装置であると判定してもよく、または、プロセス全体が終了してもよく、または、両方の電子装置の充電ステータスおよび／または第２の電子装置の残余電気量および／または第２の電子装置の出力電力情報を取得することによって当該電子装置または第２の電子装置が充電装置としての役割を果たすかどうかを判定してもよい（詳細については、他の関連する実装方式を参照されたい）。
【０２０８】
本方式で説明した出力電力情報、事前設定電力閾値、事前設定電力レベル、残余電気量情報、第１の電気量閾値、および充電ステータス情報の機能は上述の他の関連する実装方式におけるものと同一であり、詳細についてはここでは再度説明しないことに留意すべきである。さらに、当該電子装置がまず当該電子装置の出力電力情報に従う決定を実施してもよく、または、まず当該電子装置の残余電気量情報に従う決定を実施してもよく、当該情報の決定順序は当該方式では限定されない。
【０２０９】
方式８：当該充電基準情報は、第２の電子装置の出力電力情報、当該電子装置の出力電力情報および当該電子装置の残余電気量情報を含む。
【０２１０】
次いで、当該電子装置は以下のように当該充電基準情報に従って判定を行う。
１）当該電子装置は出力電力の大きい電子装置であり、当該電子装置の残余電気量値が第１の電気量閾値以上であるとき、当該電子装置が充電装置であると判定されるか、
２）第２の電子装置が出力電力の大きい電子装置であり、当該電子装置の残余電気量値が第１の電気量閾値未満であるとき、第２の電子装置が充電装置であると判定されるか、
３）当該電子装置は出力電力の大きい電子装置であり、当該電子装置の残余電気量が第１の電気量閾値未満であるとき、第２の電子装置が充電装置であると判定してもよく、または、プロセス全体が終了してもよく、または、両者の充電ステータス情報および／または第２の電子装置の残余電気量情報を取得することによって当該電子装置または第２の電子装置が充電装置としての役割を果たすかどうかを判定してもよく（詳細については、他の関連する実装方式を参照されたい）、または、
４）第２の電子装置が出力電力の大きい電子装置であり、当該電子装置の残余電気量が第１の電気量閾値より大きいとき、当該電子装置が充電装置であると判定してもよく、または、プロセス全体が終了してもよく、または、両者の充電ステータス情報および／または第２の電子装置の残余電気量情報を取得することによって当該電子装置または第２の電子装置が充電装置としての役割を果たすかどうかを判定してもよい（詳細については、他の関連する実装方式を参照されたい）。
【０２１１】
本方式で説明した出力電力情報、残余電気量情報、第１の電気量閾値、および充電ステータス情報の機能は上述の他の関連する実装方式におけるものと同一であり、詳細についてはここでは再度説明しないことに留意すべきである。さらに、当該電子装置がまず両方の電子装置の出力電力情報に従う決定を実施してもよく、または、まず当該電子装置の残余電気量情報に従う決定を実施してもよく、当該情報の決定順序は当該方式では限定されない。
【０２１２】
方式９：当該充電基準情報は当該電子装置の出力電力情報、第２の電子装置の出力電力情報、当該電子装置の残余電気量情報および第２の電子装置の残余電気量情報を含む、。
【０２１３】
次いで、当該電子装置は以下のように当該充電基準情報に従って判定を行う。
１）当該電子装置は出力電力の大きい電子装置であり、当該電子装置の残余電気量値が第１の電気量閾値以上であるとき、当該電子装置が充電装置であると判定されるか、
２）第２の電子装置が出力電力の大きい電子装置であり、第２の電子装置の残余電気量値が第２の電気量閾値以上であるとき、第２の電子装置が充電装置であると判定されるか、
３）第２の電子装置が出力電力の大きい電子装置であり、当該電子装置の残余電気量値が第１の電気量閾値以上であり、第２の電子装置の残余電気量が第２の電気量閾値未満であるとき、当該電子装置が充電装置であると判定してもよく、または、プロセス全体が終了してもよく、または、両者の充電ステータス情報を取得することによって当該電子装置または第２の電子装置が充電装置としての役割を果たすかどうかを判定してもよく（詳細については、他の関連する実装方式を参照されたい）、
４）当該電子装置は出力電力の大きい電子装置であり、当該電子装置の残余電気量値が第１の電気量閾値未満であり、第２の電子装置の残余電気量が第２の電気量閾値以上であるとき、第２の電子装置が充電装置であると判定してもよく、または、プロセス全体が終了してもよく、または、両者の充電ステータス情報を取得することによって当該電子装置または第２の電子装置が充電装置としての役割を果たすかどうかを判定してもよく（詳細については、他の関連する実装方式を参照されたい）、または、
５）他のケースでは、プロセス全体が終了してもよく、または、両者の充電ステータス情報を取得することによって当該電子装置または第２の電子装置が充電装置としての役割を果たすかどうかを判定してもよい（詳細については、他の関連する実装方式を参照されたい）。
【０２１４】
本方式で説明した出力電力情報、残余電気量情報、第１の電気量閾値、第２の電気量閾値、および充電ステータス情報の機能は上述の他の関連する実装方式におけるものと同一であり、詳細についてはここでは再度説明しないことに留意すべきである。第２の電気量閾値は第１の電気量閾値と同様であり、両方の電子装置の残余電気量情報に従って事前に設定してもよく、または、設定してもよく、具体的な方法については、上述の方式６における具体的な説明を参照されたい。詳細についてはここでは再度説明しない。さらに、当該電子装置がまず両方の電子装置の出力電力情報に従う決定を実施してもよく、または、まず両方の電子装置の残余電気量情報に従う決定を実施してもよく、当該情報の決定順序は当該方式では限定されない。
【０２１５】
方式１０：当該充電基準情報は、当該電子装置の充電ステータス情報、第２の電子装置の充電ステータス情報、当該電子装置の出力電力情報、当該電子装置の残余電気量情報および／または第２の電子装置の残余電気量情報を含む。
【０２１６】
次いで、当該電子装置は以下のように当該充電基準情報に従って判定を行う。
１）当該電子装置の出力電力値が事前設定電力閾値以上であるか、または、出力電力レベルが事前設定電力レベル以上であり、両方の電子装置が電力受信状態になく、当該電子装置の残余電気量が第１の電気量閾値以上であり、かつ／または第２の電子装置の残余電気量が第２の電気量閾値未満であるとき、当該電子装置が充電装置であると判定されるか、
２）当該電子装置の出力電力値が事前設定電力閾値以上であるか、または、出力電力レベルが事前設定電力レベル以上であり、両方の電子装置が電力受信状態になく、当該電子装置の残余電気量が第１の電気量閾値未満であり、かつ／または第２の電子装置の残余電気量が第２の電気量閾値以上であるとき、第２の電子装置が充電装置であると判定してもよく、または、プロセス全体が終了してもよいか、
３）当該電子装置の出力電力値が事前設定電力閾値以上であるか、または、出力電力レベルが事前設定電力レベル以上であり、当該電子装置のみが電力受信状態にあるとき、当該電子装置が充電装置であると判定されるか、
４）当該電子装置の出力電力値が事前設定電力閾値以上であるか、または、出力電力レベルが事前設定電力レベル以上であり、第２の電子装置のみが電力受信状態にあるとき、第２の電子装置が充電装置であると判定してもよく、または、プロセス全体が終了してもよいか、
５）当該電子装置の出力電力値が事前設定電力閾値未満であるか、または、出力電力レベルが事前設定電力レベル以下であり、両方の電子装置が電力受信状態になく、当該電子装置の残余電気量が第１の電気量閾値以上であり、かつ／または第２の電子装置の残余電気量が第２の電気量閾値未満であるとき、当該電子装置が充電装置であると判定してもよく、または、プロセス全体が終了してもよいか、
６）当該電子装置の出力電力値が事前設定電力閾値未満であるか、または、出力電力レベルが事前設定電力レベル以下であり、両方の電子装置が電力受信状態になく、当該電子装置の残余電気量が第１の電気量閾値未満であり、かつ／または第２の電子装置の残余電気量が第２の電気量閾値以上であるとき、第２の電子装置が充電装置であると判定してもよく、または、プロセス全体が終了してもよいか、
７）当該電子装置の出力電力値が事前設定電力閾値未満であるか、または、出力電力レベルが事前設定電力レベルより低く、当該電子装置のみが電力受信状態にあるとき、当該電子装置が充電装置であると判定してもよく、または、プロセス全体が終了してもよいか、
８）当該電子装置の出力電力値が事前設定電力閾値未満であるか、または、出力電力レベルが事前設定電力レベルより低く、第２の電子装置のみが電力受信状態にあるとき、当該電子装置が充電装置であると判定してもよく、または、プロセス全体が終了してもよいか、または
９）両方の電子装置が電気量受信状態にないとき、プロセス全体が終了する。
【０２１７】
例示的に、当該電子装置は当該電子装置の出力電力情報を開始判定条件として使用する。当該電子装置の出力電力値が事前設定電力閾値以上であるか、または出力電力レベルが事前設定電力レベル以上である場合、両方の電子装置の充電ステータス情報および／または残余電気量情報に従って判定を実施する。
１）両方の電子装置が電力受信状態にあるとき、プロセス全体が終了するか、
２）両方の電子装置の何れもが電力受信状態になく、第１の電子装置の残余電気量値が第１の電気量閾値以上であるか、または、当該電子装置のみが電力受信状態にあるとき、当該電子装置が充電装置であると判定されるか、または、
３）第２の電子装置のみが電力受信状態にあるとき、プロセス全体が終了する（この場合、第２の電子装置が充電装置であると判定してもよいが、充電がその後開始される場合には、充電効果は理想的でないかもしれないことに留意すべきである）。
【０２１８】
当該電子装置の出力電力値が事前設定電力閾値未満であるか、または、出力電力レベルが事前設定電力レベル以下である場合、プロセス全体が終了してもよいか、または、両方の電子装置の充電ステータス情報および／または残余電気量情報に従って判定を実施してもよい。即ち、
１）両方の電子装置が電力受信状態にあるとき、プロセス全体が終了するか、
２）両方の電子装置の何れもが電力受信状態になく、当該電子装置の残余電気量値が第１の電気量閾値未満であり、かつ／または第２の電子装置の残余電気量値が第２の電気量閾値以上であるとき、第２の電子装置が充電装置であると判定してもよく、または、プロセス全体が終了してもよいか、
３）両方の電子装置の何れもが電力受信状態になく、当該電子装置の残余電気量値が第１の電気量閾値以上であり、かつ／または第２の電子装置の残余電気量値が第２の電気量閾値未満であるとき、当該電子装置が充電装置であると判定してもよく、または、プロセス全体が終了してもよいか、
４）当該電子装置のみが電力受信状態にあるとき、当該電子装置が充電装置であると判定してもよく、または、プロセス全体が終了してもよいか、または、
５）第２の電子装置のみが電力受信状態にあるとき、当該電子装置が充電装置であると判定してもよく、または、プロセス全体が終了してもよい。
【０２１９】
本方式で説明した出力電力情報、残余電気量情報、第１の電気量閾値、第２の電気量閾値、および充電ステータス情報の機能は上述の他の関連する実装方式におけるものと同一であり、詳細についてはここでは再度説明しないことに留意すべきである。第２の電気量閾値は第１の電気量閾値と同様であり、両方の電子装置の残余電気量情報に従って事前に設定してもよく、または、設定してもよく、具体的な方法については、上述の方式６における具体的な説明を参照されたい。詳細についてはここでは再度説明しない。さらに、当該電子装置がまず両方の電子装置の充電ステータス情報に従う決定を実施してもよく、または、まず当該電子装置の出力電力情報に従う決定を実施してもよく、または、まず両方の電子装置の残余電気量情報に従う決定を実施してもよく、当該情報の決定順序は当該方式では限定されない。
【０２２０】
方式１１：当該充電基準情報は、当該電子装置の充電ステータス情報、第２の電子装置の充電ステータス情報、当該電子装置の出力電力情報、第２の電子装置の出力電力情報、当該電子装置の残余電気量情報および／または第２の電子装置の残余電気量情報を含む。
【０２２１】
次いで、当該電子装置は以下のように当該充電基準情報に従って判定を行う。
１）両方の電子装置の何れもが電力受信状態になく、当該電子装置は出力電力の大きい電子装置であり、当該電子装置の残余電気量値が第１の電気量閾値以上であるとき、当該電子装置が充電装置であると判定され、そうでなく、両方の電子装置の何れもが電力受信状態になく、第２の電子装置が出力電力の大きい電子装置であり、第２の電子装置の残余電気量値が第２の電気量閾値以上である場合、第２の電子装置が充電装置であると判定されるか、
２）当該電子装置のみが電力受信状態にあり、当該電子装置が出力電力の大きい電子装置であるとき、当該電子装置が充電装置であると判定され、そうでなく、第２の電子装置のみが電力受信状態にあり、第２の電子装置が出力電力の大きい電子装置である場合には、第２の電子装置が充電装置であると判定されるか、
３）両方の電子装置の何れもが電力受信状態になく、当該電子装置は出力電力の大きい電子装置であり、当該電子装置の残余電気量値が第１の電気量閾値未満であるとき、プロセス全体が終了する（この場合、第２の電子装置の残余電気量が第２の電気量閾値以上である場合、第２の電子装置が充電装置であると判定してもよいが、充電がその後実施される場合には、充電効果は理想的でないかもしれないことに留意すべきである）そうでなければ、両方の電子装置の何れもが電力受信状態になく、第２の電子装置が出力電力の大きい電子装置であり、第２の電子装置の残余電気量値が第１の電気量閾値より小さい場合、プロセス全体が終了するか（この場合、当該電子装置が充電装置であると判定してもよいことに留意すべきである。その理由は上述したものと同じである）、
４）当該電子装置のみが電力受信状態にあり、第２の電子装置が出力電力の大きい電子装置であるとき、プロセス全体が終了する（この場合、当該電子装置が充電装置であると判定してもよいが、充電がその後開始される場合には、充電効果は理想的でないかもしれないことに留意すべきである）、そうでなく、第２の電子装置のみが電力受信状態にあり、当該電子装置が出力電力の大きい電子装置である場合には、プロセス全体が終了するか（この場合、第２の電子装置が充電装置であると判定してもよく、その理由は上述したものと同じであることに留意すべきである）、または
５）両方の電子装置が電力受信状態にあるとき、プロセス全体が終了する。
【０２２２】
例示的に、当該電子装置は両方の電子装置の充電ステータス情報を開始判定条件として使用する。両方の電子装置が電力受信状態にある場合、プロセス全体が終了し、両方の電子装置の何れもが電力受信状態にない場合、当該電子装置は次いで、両方の電子装置の出力電力情報および残余電気量情報に従って、出力電力がより大きく残余電気量値が電気量閾値（即ち、第１の電気量閾値または第２の電気量閾値）以上である両方の電子装置のうち１つの電子装置が充電装置であると判定し、当該電子装置のみが電力受信状態にある場合、両方の電子装置の出力電力情報に従って当該電子装置が出力電力の大きい電子装置であると判定されるとき、当該電子装置は充電装置の役割を果たすと判定され、または、第２の電子装置のみが電力受信状態にある場合には、両方の電子装置の出力電力情報に従って第２の電子装置が出力電力の大きい電子装置であると判定されるとき、第２の電子装置が充電装置としての役割を果たすと判定される。
【０２２３】
例示的に、当該電子装置は両方の電子装置の出力電力情報を開始判定条件として使用する。当該電子装置が出力電力の大きい電子装置である場合、両方の電子装置の充電ステータス情報および／または残余電気量情報に従って以下のように判定される。
１）両方の電子装置の何れもが電力受信状態になく、当該電子装置の残余電気量値が第１の電気量閾値以上であるか、または、当該電子装置が電力受信状態にあり第２の電子装置が電力受信状態にないとき、当該電子装置が充電装置であると判定されるか、
２）当該電子装置が電力受信状態になく、第２の電子装置が電力受信状態にあるとき、または、両方の電子装置の何れもが電力受信状態になく、当該電子装置の残余電気量値が第１の電気量閾値未満であるとき、プロセス全体が終了する（この場合、第２の電子装置が充電装置であると判定してもよいが、充電がその後開始される場合には、充電効果は理想的でないかもしれないことに留意すべきである）、または、
３）両方の電子装置が電力受信状態にあるとき、プロセス全体が終了する。
【０２２４】
第２の電子装置が出力電力の大きい電子装置である場合、両方の電子装置の充電ステータス情報および／または残余電気量情報に従って以下のように判定される。
１）両方の電子装置の何れもが電力受信状態になく、第２の電子装置の残余電気量値が第２の電気量閾値以上であるとき、または第２の電子装置が電力受信状態にあり、当該電子装置が電力受信状態にないとき、第２の電子装置が充電装置であると判定されるか、
２）第２の電子装置が電力受信状態になく、当該電子装置が電力受信状態にあるとき、または、両方の電子装置の何れもが電力受信状態になく、第２の電子装置の残余電気量値が第１の電気量閾値未満であるとき、プロセス全体が終了するか（この場合、当該電子装置が充電装置であると判定してもよいが、充電がその後開始される場合には、充電効果は理想的でないかもしれないことに留意すべきである）、または、
３）両方の電子装置が電力受信状態にあるとき、プロセス全体が終了する。当該電子装置および第２の電子装置が、出力電力が等しい電子装置である場合（即ち、両者の出力電力レベルが同一であるか、または、両者の出力電力値の差分の絶対値が電力差分閾値未満であるとき）、プロセス全体が終了する。
【０２２５】
両方の電子装置の出力電力が等しい、即ち、両方の電子装置の出力電力レベルが同一であり、かつ／または両方の電子装置の出力電力の差分の絶対値が事前設定電力差分閾値未満である場合、プロセス全体が終了してもよく、または、両方の電子装置の充電ステータス情報および／または残余電気量情報に従って当該電子装置または第２の電子装置が充電装置としての役割を果たすかどうかを判定してもよく、具体的な判定方法は以上の２つの例示されたケースにおけるものと同一であり、詳細についてはここでは再度説明しない。
【０２２６】
例示的に、当該電子装置は両方の電子装置の残余電気量情報を開始判定条件として使用する。当該電子装置の残余電気量値が第１の電気量閾値以上であり、第２の電子装置の残余電気量値が第２の電気量閾値以上である場合、両方の電子装置の出力電力情報および充電ステータス情報に従って以下のように判定される。
１）出力電力の大きい電子装置のピア電子装置が電力受信状態にないとき、出力電力が大きい両方の電子装置のうち１つの電子装置が充電装置であると判定されるか、または、
２）出力電力の大きい電子装置のピア電子装置が電力受信状態にあるとき、プロセス全体が終了する。
【０２２７】
当該電子装置の残余電気量値が第１の電気量閾値未満であり、第２の電子装置の残余電気量値が第２の電気量閾値未満である場合、両方の電子装置の出力電力情報および充電ステータス情報に従って以下のように判定される。
１）当該電子装置が電力受信状態にあり、ピア電子装置が電力受信状態にないとき、出力電力が大きい両方の電子装置のうち１つの電子装置が充電装置であるか、または、
２）出力電力の大きい電子装置が電力受信状態にないか、または、出力電力の大きい電子装置のピア装置が電力受信状態にあるとき、プロセス全体が終了する。
【０２２８】
当該電子装置の残余電気量値が第１の電気量閾値以上であり、かつ、第２の電子装置の残余電気量値が第２の電気量閾値未満である場合、両方の電子装置の出力電力情報および充電ステータス情報に従って以下のように判定される。
１）当該電子装置は出力電力の大きい電子装置であり、第２の電子装置が電力受信状態にないとき、当該電子装置が充電装置であると判定されるか、
２）第２の電子装置が出力電力の大きい電子装置であり、第２の電子装置のみが電力受信状態にあるとき、第２の電子装置が充電装置であると判定されるか、
３）当該電子装置が出力電力の大きい電子装置であり、第２の電子装置が電力受信状態にあるとき、プロセス全体が終了するか、または、
４）第２の電子装置が出力電力の大きい電子装置であり、第２の電子装置が電力受信状態にないか、または、当該電子装置が電力受信状態にあるとき、プロセス全体が終了する。
【０２２９】
当該電子装置の残余電気量値が第１の電気量閾値未満であり、かつ、第２の電子装置の残余電気量値が第２の電気量閾値以上である場合、両方の電子装置の出力電力情報および充電ステータス情報に従って以下のように判定される。
１）第２の電子装置が出力電力の大きい電子装置であり、当該電子装置が電力受信状態にないとき、第２の電子装置が充電装置であると判定されるか、または、
２）当該電子装置が出力電力の大きい電子装置であり、当該電子装置のみが電力受信状態にあるとき、当該電子装置が充電装置であると判定されるか、
３）第２の電子装置が出力電力の大きい電子装置であり、当該電子装置が電力受信状態にあるとき、プロセス全体が終了するか、または、
４）当該電子装置は出力電力の大きい電子装置であり、当該電子装置が電力受信状態にないか、または、第２の電子装置が電力受信状態にあるとき、プロセス全体が終了する。
【０２３０】
本方式で説明した出力電力情報、残余電気量情報、第１の電気量閾値、第２の電気量閾値、および充電ステータス情報の機能は上述の他の関連する実装方式におけるものと同一であり、詳細についてはここでは再度説明しないことに留意すべきである。第２の電気量閾値は第１の電気量閾値と同様であり、両方の電子装置の残余電気量情報に従って事前に設定してもよく、または、設定してもよく、具体的な方法については、上述の方式６における具体的な説明を参照されたい。詳細についてはここでは再度説明しない。さらに、当該電子装置がまず両方の電子装置の充電ステータス情報に従う決定を実施してもよく、または、まず両方の電子装置の出力電力情報に従う決定を実施してもよく、または、まず両方の電子装置の残余電気量情報に従う決定を実施してもよく、当該情報の決定順序は当該方式では限定されない。
【０２３１】
さらに、充電装置であると既に判定された電子装置は、当該電子装置のＮＦＣ無線充電サービスを有効にして、充電サービスをピア電子装置に提供するのに備える。
【０２３２】
従来のＮＦＣ無線充電プロセスはＮＦＣ無線充電制御段階およびＮＦＣ無線電気エネルギ伝送段階を含み、したがって、充電電子装置がＮＦＣ無線充電サービスを有効にした後、当該充電電子装置は、ＮＦＣ通信を用いることによって当該ＮＦＣ無線充電プロセスを開始し、当該ＮＦＣ無線充電制御段階を用いることによって検証情報、技術情報等を充電すべき電子装置と交換してＮＦＣ無線充電方式または他の無線充電方式を選択し、次いで当該ＮＦＣ無線充電電気エネルギ伝送段階を用いることによって当該充電すべき電子装置を充電することに留意すべきである。
【０２３３】
さらに、以上の他の無線充電方式は、３つの現在主要な無線充電アライアンス、即ち、ＷＰＣ（Ｗｉｒｅｌｅｓｓ  Ｐｏｗｅｒ  Ｃｏｎｓｏｒｔｉｕｍ）、ＰＭＡ（Ｐｏｗｅｒ  Ｍａｔｔｅｒｓ  Ａｌｌｉａｎｃｅ）およびＡ４ＷＰ（Ａｌｌｉａｎｃｅ  ｆｏｒ  Ｗｉｒｅｌｅｓｓ  Ｐｏｗｅｒ）により別々に制定された無線充電技術を含むがこれらに限定されない。
【０２３４】
以上の電子装置を用いることにより、当該電子装置は、充電装置が当該電子装置であるかまたは第２の電子装置であるかを充電基準情報に従って判定し、充電装置が当該電子装置であると判定されたとき、当該電子装置は当該電子装置のＮＦＣ無線充電サービスを有効にするか、または、充電装置が第２の電子装置であると判定されたとき、当該電子装置はＮＦＣ無線充電サービスを有効にするように第２の電子装置に指示する。このように、当該電子装置および第２の電子装置がＮＦＣ通信の有効範囲内に配置されるとき、両方の電子装置は充電装置を当該充電基準メッセージに従って決定し、充電装置のＮＦＣ無線充電サービスを自動的に有効にすることができ、これにより、より細分化された時間がピア電子装置を充電するために十分に利用され、ユーザのアクティブな操作に起因する時間消費および労力消費が回避され、ユーザ・エクスペリエンスが高まる。
【０２３５】
本発明の１実施形態では別の電子装置６０を提供する。図６に示すように、電子装置６０は、プロセッサ（ｐｒｏｃｅｓｓｏｒ）６１、ＮＦＣ無線充電コントローラ６２、送受信器６３および通信バス６４を備える。プロセッサ６１、ＮＦＣ無線充電コントローラ６２および送受信器６３は、通信バス６４を用いることによって相互通信を実現する。
【０２３６】
プロセッサ６１が、マルチコア中央演算装置ＣＰＵ、または特殊用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、または本発明の当該実施形態を実装するように構成された１つまたは複数の集積回路であってもよい。
【０２３７】
送受信器６３は当該電子装置が充電装置であると第１の電子装置が判定したとき、第１の電子装置により送信された通知を受信するように構成され、プロセッサ６１は、当該通知に従ってＮＦＣ無線充電コントローラ６２を制御して、当該電子装置のＮＦＣ無線充電サービスを有効にするように構成され、ＮＦＣ無線充電コントローラ６２は、当該プロセッサの制御に従って当該ＮＦＣ無線充電サービスを有効にして、第１の電子装置の充電に備えるように構成される。
【０２３８】
あるいは、送受信器６３は、第１の電子装置が充電装置であると第１の電子装置が判定したとき、第１の電子装置により送信された充電制御メッセージを受信するように構成され、プロセッサ６１は、当該充電制御メッセージに従って、被充電装置として応答するように当該電子装置に指示するように構成される。
【０２３９】
具体的な実装では、ＮＦＣ無線充電コントローラ６２を独立なモジュールとして使用し、プロセッサ６１と別個に配置してもよく、または、プロセッサ６１の一部として使用し、プロセッサ６１内部に統合してもよいことに留意すべきである。
【０２４０】
場合によっては、送受信器６３はさらに、当該通知または当該充電制御メッセージが受信される前に、当該電子装置の充電ステータス情報、当該電子装置の出力電力情報および当該電子装置の残余電気量情報のうち少なくとも１つを第１の電子装置に送信するか、または、第１の電子装置の要求メッセージを受信し、第１の電子装置の当該要求メッセージに従って、当該電子装置の充電ステータス情報、当該電子装置の出力電力情報および当該電子装置の残余電気量情報のうち少なくとも１つを第１の電子装置に送信するように構成される。
【０２４１】
場合によっては、プロセッサ６１はさらに、送受信器６３が当該電子装置の充電ステータス情報、当該電子装置の出力電力情報および当該電子装置の残余電気量情報のうち少なくとも１つを第１の電子装置に送信する前に、当該電子装置および第１の電子装置がＮＦＣ通信の有効距離内に保たれ、両方の電子装置の間でＮＦＣ通信が発生していない時間が事前設定時間閾値を超えると判定するように構成される。
【０２４２】
説明の都合および簡単さのため、以上の電子装置の詳細な動作プロセスおよび説明については、以上の方法の実施形態の対応するプロセスを参照し、詳細についてはここでは再度説明しないことは当業者により明らかに理解されうる。
【０２４３】
以上の電子装置を用いることにより、当該電子装置は、当該電子装置が充電装置であると第１の電子装置が判定したとき、第１の電子装置により送信された通知を受信し、当該通知に従って当該電子装置のＮＦＣ無線充電サービスを有効にして、第１の電子装置の充電に備えるか、または、当該電子装置が、第１の電子装置が充電装置の役割を果たすと第１の電子装置が判定したとき、第１の電子装置により送信された充電制御メッセージを受信して、被充電装置として応答するように当該電子装置に指示する。このように、第１の電子装置および当該電子装置がＮＦＣ通信の有効範囲内に配置されるとき、両方の電子装置は充電装置を当該充電基準メッセージに従って決定し、充電装置のＮＦＣ無線充電サービスを自動的に有効にすることができ、これにより、より細分化された時間がピア電子装置を充電するために十分に利用され、ユーザのアクティブな操作に起因する時間消費および労力消費が回避され、ユーザ・エクスペリエンスが高まる。
【０２４４】
本発明の１実施形態では別の電子装置７０を提供する。図７に示すように、電子装置７０は、充電装置が当該電子装置であるか第２の電子装置であるかを充電基準情報に従って判定し、充電装置が当該電子装置であると判定されたとき、当該電子装置のＮＦＣ無線充電サービスを有効にして第２の電子装置の充電に備えるように構成された処理ユニット７１と、充電装置が第２の電子装置であると処理ユニット７１が判定したとき、ＮＦＣ無線充電サービスを有効にして当該電子装置の充電に備えるように第２の電子装置に指示するように構成された送信ユニット７２とを備える。
【０２４５】
当該電子装置が携帯電話、タブレット・コンピュータ、ノートブック・コンピュータ等であってもよく、第２の電子装置がＢｌｕｅｔｏｏｔｈ（登録商標）ヘッドセット、歩数計、携帯電話等、および当該電子装置および第２の電子装置の両方はＮＦＣ通信機能を有してもよいことに留意すべきである。
【０２４６】
場合によっては、処理ユニット７１はさらに、充電装置が当該電子装置であるか第２の電子装置であるかが当該充電基準情報に従って判定される前に、当該電子装置と第２の電子装置がＮＦＣ通信の有効距離内に保たれ、両方の電子装置の間でＮＦＣ通信が発生していない時間が事前設定時間閾値を超えると判定するように構成される。
【０２４７】
さらに、当該充電基準情報は、第２の電子装置により当該電子装置にアクティブに送信された情報または当該電子装置の要求メッセージに従って第２の電子装置により当該電子装置に送信された情報を含む。当該電子装置は、複数回または１回当該要求メッセージを送信することによって当該充電基準情報を取得してもよく、本発明では限定されない。
【０２４８】
当該充電基準情報に含まれる情報が異なる場合、処理ユニット７１が当該電子装置は充電装置であるかまたは第２の電子装置が充電装置であるかを判定する方式も異なり、特に以下を含む。
【０２４９】
方式１：当該充電基準情報は当該電子装置の充電ステータス情報と第２の電子装置の充電ステータス情報を含む。
【０２５０】
次いで、当該電子装置は以下のように当該充電基準情報に従って判定を行う。
１）当該電子装置が電力受信状態になく、第２の電子装置が電力受信状態にあるとき、第２の電子装置が充電装置であると判定されるか、
２）当該電子装置が電力受信状態にあり第２の電子装置が電力受信状態にないとき、当該電子装置が充電装置であると判定されるか、
３）当該電子装置が電力受信状態になく第２の電子装置が電力受信状態にないとき、当該電子装置または第２の電子装置が充電装置であるかどうかをランダムに判定してもよく、または、プロセス全体が終了してもよく、または、当該電子装置および第２の電子装置の出力電力情報、残余電気量情報等を取得することによって当該電子装置または第２の電子装置が充電装置としての役割を果たすかどうかを判定してもよく（詳細については、以下の関連する実装方式を参照されたい）、または、
４）当該電子装置が電力受信状態にあり第２の電子装置が電力受信状態にあるとき、プロセス全体が終了する。
【０２５１】
特に、当該充電ステータス情報は、対応する電子装置が電力受信状態にあるかどうかを示すために使用される充電識別子を含み、或る電子装置が電力受信状態にあり、かつ、その他の電子装置が電力受信状態にないとき、電力受信状態にある電子装置が充電装置であると当該電子装置が判定し、充電装置のＮＦＣ無線充電サービスを有効にして当該ピア電子装置の充電に備え、両方の電子装置の何れも電力受信状態にないとき、当該電子装置は、一方の電子装置が充電装置であるとランダムに判定してもよく、または、当該電子装置および第２の電子装置の出力電力情報、残余電気量情報等を取得することによって当該電子装置または第２の電子装置が充電装置としての役割を果たすかどうかを判定してもよく（詳細については、以下の関連する実装方式を参照されたい）、または、両方の電子装置が電力受信状態にあるとき、プロセス全体が終了する。
【０２５２】
方式２：当該充電基準情報は当該電子装置の出力電力情報を含む。
【０２５３】
次いで、当該電子装置は以下のように当該充電基準情報に従って判定を行う。
１）当該電子装置の出力電力値が事前設定電力閾値以上であるか、または、出力電力レベルが事前設定電力レベル以上であるとき、当該電子装置が充電装置であると判定されるか、または、
２）当該電子装置の出力電力が事前設定電力閾値未満であるとき、第２の電子装置が充電装置であると判定してもよいか、または、第２の電子装置の出力電力および／または両者の充電ステータス情報および／または両者の残余電気量情報を取得することによって当該電子装置または第２の電子装置が充電装置としての役割を果たすかどうかを判定してもよい（詳細については、以下の関連する実装方式を参照されたい）。
【０２５４】
特に、当該出力電力情報が出力電力値を含んでもよく、当該事前設定電力閾値は実際の状況に従って事前に設定された閾値であり、当該出力電力情報が出力電力レベルを含んでもよく、当該事前設定電力レベルは実際の状況に従って事前に設定された閾値レベルである。例えば、当該電子装置の出力電力が十分に大きいとき（例えば、当該電子装置が高電力装置である）、当該電子装置がデフォルトで充電装置であってもよい。
【０２５５】
方式３：当該充電基準情報は当該電子装置の出力電力情報および第２の電子装置の出力電力情報を含む。
【０２５６】
次いで、当該電子装置は以下のように当該充電基準情報に従って判定を行う。
１）当該電子装置が出力電力の大きい電子装置であるとき、当該電子装置が充電装置であると判定されるか、
２）第２の電子装置が出力電力の大きい電子装置であるとき、第２の電子装置が充電装置であると判定されるか、または、
３）当該電子装置および第２の電子装置が、出力電力が等しい電子装置であるとき、一方の電子装置が充電装置であるとランダムに判定してもよく、または、プロセス全体が終了してもよく、または、両方の電子装置の充電ステータス情報および／または当該電子装置または両方の電子装置の残余電気量情報を取得することによって当該電子装置または第２の電子装置が充電装置としての役割を果たすかどうかを判定してもよい（詳細については、以下の関連する実装方式を参照されたい）。
【０２５７】
特に、当該出力電力情報が、高レベル、中間レベル、および低レベルのような出力電力レベルを含んでもよく、この場合、当該電子装置が両方の電子装置の出力電力レベルを比較することによって出力電力の大きい電子装置を決定し、出力電力の大きい電子装置が充電装置であると判定し、例えば、両方の電子装置の出力電力レベルが少なくとも１レベルだけ異なるとき、レベルの大きい電子装置は出力電力の大きい電子装置であり、当該出力電力情報がまた出力電力値を含んでもよく、この場合、両方の電子装置の出力電力値の差分が事前設定電力差分閾値より大きいと判定したとき、出力電力値が大きい電子装置が充電装置であると当該電子装置が判定する。例えば、当該電子装置の出力電力値および第２の電子装置の出力電力値はそれぞれＰ１およびＰ２であり、当該事前設定電力差分閾値はΔＰであり、したがってＰ１＞Ｐ２かつ｜Ｐ１−Ｐ２｜＞ΔＰである場合、当該電子装置は出力電力の大きい電子装置である。
【０２５８】
当該出力電力情報が出力電力レベルと出力電力値の両方を含んでもよく、両方の電子装置の出力電力レベルが同一であるとき、当該電子装置は、以上の方法を用いることにより、即ち、両方の電子装置の出力電力値の差分を当該事前設定電力差分閾値と比較することにより、出力電力の大きい電子装置を決定してもよいことに留意すべきである。さらに、当該電子装置は、出力電流および出力電圧を取得することによって当該出力電力値を間接的に取得してもよい。
【０２５９】
方式４：当該充電基準情報は当該電子装置の出力電力情報、当該電子装置の充電ステータス情報および／または第２の電子装置の充電ステータス情報を含む。
【０２６０】
次いで、当該電子装置は以下のように当該充電基準情報に従って判定を行う。
１）当該電子装置の出力電力値が事前設定電力閾値以上であるか、または、出力電力レベルが事前設定電力レベル以上であり、当該電子装置が電力受信状態にあり、かつ／または、第２の電子装置が電力受信状態にないとき、当該電子装置が充電装置であると判定されるか、
２）当該電子装置の出力電力値が事前設定電力閾値以上であるか、または、出力電力レベルが事前設定電力レベル以上であり、第２の電子装置が電力受信状態にあるとき、第２の電子装置が充電装置であると判定してもよく、または、プロセス全体が終了してもよいか、
３）当該電子装置の出力電力値が事前設定電力閾値未満であるか、または、出力電力レベルが事前設定電力レベルより低く、当該電子装置が電力受信状態にないとき、第２の電子装置が充電装置であると判定してもよいか、または、当該プロセスが終了してもよいか、または、第２の電子装置の出力電力情報および／または両方の電子装置の残余電気量情報を取得することによって当該電子装置または第２の電子装置が充電装置としての役割を果たすかどうかを判定してもよく（詳細については、他の実装方式を参照されたい）、または、
４）当該電子装置の出力電力値が事前設定電力閾値未満であるか、または、出力電力レベルが事前設定電力レベルより低く、当該電子装置が電力受信状態にあるとき、当該電子装置が充電装置であると判定してもよいか、または、当該プロセスが終了してもよい。
【０２６１】
本方式で説明した充電ステータス情報、出力電力情報、事前設定電力閾値、および事前設定電力レベルの機能は上述の他の関連する実装方式におけるものと同一であり、詳細についてはここでは再度説明しないことに留意すべきである。さらに、当該電子装置がまず当該出力電力情報に従う決定を実施してもよく、または、まず両方の電子装置の充電ステータス情報に従う決定を実施してもよく、当該情報の決定順序は当該方式では限定されない。
【０２６２】
方式５：当該充電基準情報は、当該電子装置の出力電力情報、第２の電子装置の出力電力情報、当該電子装置の充電ステータス情報と第２の電子装置の充電ステータス情報を含む。
【０２６３】
次いで、当該電子装置は以下のように当該充電基準情報に従って判定を行う。
１）当該電子装置は出力電力の大きい電子装置であり、第２の電子装置が電力受信状態にないとき、当該電子装置が充電装置であると判定されるか、
２）当該電子装置は出力電力の大きい電子装置であり、第２の電子装置が電力受信状態にあるとき、第２の電子装置が充電装置であると判定してもよく、または、プロセス全体が終了してもよいか、
３）第２の電子装置が出力電力の大きい電子装置であり、当該電子装置が電力受信状態にないとき、第２の電子装置が充電装置であると判定されるか、または、
４）第２の電子装置が出力電力の大きい電子装置であり、当該電子装置が電力受信状態にあるとき、当該電子装置が充電装置であると判定してもよく、または、プロセス全体が終了してもよい。
【０２６４】
本方式で説明した充電ステータス情報および出力電力情報の機能は上述の他の関連する実装方式におけるものと同一であり、詳細についてはここでは再度説明しないことに留意すべきである。出力電力の大きい電子装置を決定するための方法については、上述の方式３における具体的な説明を参照されたい。詳細についてはここでは再度説明しない。さらに、当該電子装置がまず両方の電子装置の出力電力情報に従う決定を実施してもよく、または、まず両方の電子装置の充電ステータス情報に従う決定を実施してもよく、当該情報の決定順序は当該方式では限定されない。
【０２６５】
方式６：当該充電基準情報は、当該電子装置の充電ステータス情報、第２の電子装置の充電ステータス情報および当該電子装置の残余電気量情報を含む。
【０２６６】
次いで、当該電子装置は以下のように当該充電基準情報に従って判定を行う。
１）当該電子装置の残余電気量値が第１の電気量閾値以上であり、第２の電子装置が電力受信状態にないとき、当該電子装置が充電装置であると判定されるか、
２）当該電子装置の残余電気量値が第１の電気量閾値以上であり、第２の電子装置が電力受信状態にあるとき、第２の電子装置が充電装置であると判定してもよく、または、プロセス全体が終了してもよいか、
３）当該電子装置の残余電気量値が第１の電気量閾値未満であり、当該電子装置が電力受信状態にあるとき、当該電子装置が充電装置であると判定してもよく、または、プロセス全体が終了してもよいか、または、
４）当該電子装置の残余電気量値が第１の電気量閾値未満であり、当該電子装置が電力受信状態にないとき、第２の電子装置が充電装置であると判定してもよく、または、プロセス全体が終了してもよい。
【０２６７】
特に、第１の電気量閾値が、事前設定電気量閾値、または第１の電子装置が第２の電子装置の残余電気量情報を取得した後に両方の電子装置の残余電気量情報に従って当該電子装置により設定された電気量閾値であってもよい。
【０２６８】
例示的に、当該電子装置がバッテリ情報要求を第２の電子装置に送信し、当該バッテリ情報要求に従って第２の電子装置により送信されたバッテリ情報応答を受信し、当該電子装置が両方の電子装置の残余電気量情報に従って第１の電気量閾値を決定する。バッテリ情報要求は第２の電子装置のバッテリの残余電気量情報を学習するために使用される。
【０２６９】
当該残余電気量情報は、残余電気量値および／または総バッテリ量、および／または残余電気量パーセンテージおよび総バッテリ量を含み、当該残余電気量情報が充電需要指示および／または最大放電電流または閾値放電電流のような他の関連パラメータを含んでもよいことに留意すべきである。
【０２７０】
例示的に、当該電子装置の残余電気量値は５００ｍＡｈであり、装置の通常使用に影響する最小電気量値は３００ｍＡｈであり、バッテリ情報要求を第２の電子装置に送信した後、当該電子装置が第２の電子装置により送信されたバッテリ情報応答に従って、第２の電子装置の総バッテリ量が１５０ｍＡｈであり、第２の電子装置の残余電気量値が１０ｍＡｈであると判定した場合、当該電子装置が４００ｍＡｈのような第２の電子装置を充電できる第１の電気量閾値を設定してもよく、当該電子装置が、第２の電子装置の総バッテリ量が２０００ｍＡｈであり、第２の電子装置の残余電気量値が１００ｍＡｈであり、第２の電子装置の最大放電電流が２Ａであると判定した場合、当該電子装置が第２の電子装置を２００ｍＡｈの電気量だけ充電した後、第２の電子装置の推定通常使用時間は約１０分であり、この場合、当該電子装置が第２の電子装置に対して５００ｍＡｈの第１の電気量閾値を設定してもよい。
【０２７１】
本方式で説明した充電ステータス情報の機能は上述の他の関連する実装方式におけるものと同一であり、詳細についてはここでは再度説明しないことに留意すべきである。さらに、当該電子装置がまず当該電子装置の残余電気量情報に従う決定を実施してもよく、または、まず両方の電子装置の充電ステータス情報に従う決定を実施してもよく、当該情報の決定順序は当該方式では限定されない。
【０２７２】
方式７：当該充電基準情報は当該電子装置の出力電力情報および当該電子装置の残余電気量情報を含む。
【０２７３】
次いで、当該電子装置は以下のように当該充電基準情報に従って判定を行う。
１）当該電子装置の出力電力値が事前設定電力閾値以上であるか、または、出力電力レベルが事前設定電力レベル以上であり、当該電子装置の残余電気量値が第１の電気量閾値以上であるとき、当該電子装置が充電装置であると判定されるか、
２）当該電子装置の出力電力値が事前設定電力閾値以上であるか、または、出力電力レベルが事前設定電力レベル以上であり、当該電子装置の残余電気量値が第１の電気量閾値未満であるとき、第２の電子装置が充電装置であると判定してもよく、または、プロセス全体が終了してもよく、または、両方の電子装置の充電ステータスおよび／または第２の電子装置の残余電気量および／または第２の電子装置の出力電力情報を取得することによって当該電子装置または第２の電子装置が充電装置としての役割を果たすかどうかを判定してもよく（詳細については、他の関連する実装方式を参照されたい）、
３）当該電子装置の出力電力値が事前設定電力閾値未満であるか、または、出力電力レベルが事前設定電力レベルより低く、当該電子装置の残余電気量値が第１の電気量閾値以上であるとき、当該電子装置が充電装置であると判定してもよく、または、プロセス全体が終了してもよく、または、両方の電子装置の充電ステータスおよび／または第２の電子装置の残余電気量および／または第２の電子装置の出力電力情報を取得することによって当該電子装置または第２の電子装置が充電装置としての役割を果たすかどうかを判定してもよく（詳細については、他の関連する実装方式を参照されたい）、または、
４）当該電子装置の出力電力値が事前設定電力閾値未満であるか、または、出力電力レベルが事前設定電力レベルより低く、当該電子装置の残余電気量値が第１の電気量閾値未満であるとき、第２の電子装置が充電装置であると判定してもよく、または、プロセス全体が終了してもよく、または、両方の電子装置の充電ステータスおよび／または第２の電子装置の残余電気量および／または第２の電子装置の出力電力情報を取得することによって当該電子装置または第２の電子装置が充電装置としての役割を果たすかどうかを判定してもよい（詳細については、他の関連する実装方式を参照されたい）。
【０２７４】
本方式で説明した出力電力情報、事前設定電力閾値、事前設定電力レベル、残余電気量情報、第１の電気量閾値、および充電ステータス情報の機能は上述の他の関連する実装方式におけるものと同一であり、詳細についてはここでは再度説明しないことに留意すべきである。さらに、当該電子装置がまず当該電子装置の出力電力情報に従う決定を実施してもよく、または、まず当該電子装置の残余電気量情報に従う決定を実施してもよく、当該情報の決定順序は当該方式では限定されない。
【０２７５】
方式８：当該充電基準情報は、第２の電子装置の出力電力情報、当該電子装置の出力電力情報および当該電子装置の残余電気量情報を含む。
【０２７６】
次いで、当該電子装置は以下のように当該充電基準情報に従って判定を行う。
１）当該電子装置は出力電力の大きい電子装置であり、当該電子装置の残余電気量値が第１の電気量閾値以上であるとき、当該電子装置が充電装置であると判定されるか、
２）第２の電子装置が出力電力の大きい電子装置であり、当該電子装置の残余電気量値が第１の電気量閾値未満であるとき、第２の電子装置が充電装置であると判定されるか、
３）当該電子装置は出力電力の大きい電子装置であり、当該電子装置の残余電気量が第１の電気量閾値未満であるとき、第２の電子装置が充電装置であると判定してもよく、または、プロセス全体が終了してもよく、または、両者の充電ステータス情報および／または第２の電子装置の残余電気量情報を取得することによって当該電子装置または第２の電子装置が充電装置としての役割を果たすかどうかを判定してもよく（詳細については、他の関連する実装方式を参照されたい）、または、
４）第２の電子装置が出力電力の大きい電子装置であり、当該電子装置の残余電気量が第１の電気量閾値より大きいとき、当該電子装置が充電装置であると判定してもよく、または、プロセス全体が終了してもよく、または、両者の充電ステータス情報および／または第２の電子装置の残余電気量情報を取得することによって当該電子装置または第２の電子装置が充電装置としての役割を果たすかどうかを判定してもよい（詳細については、他の関連する実装方式を参照されたい）。
【０２７７】
本方式で説明した出力電力情報、残余電気量情報、第１の電気量閾値、および充電ステータス情報の機能は上述の他の関連する実装方式におけるものと同一であり、詳細についてはここでは再度説明しないことに留意すべきである。さらに、当該電子装置がまず両方の電子装置の出力電力情報に従う決定を実施してもよく、または、まず当該電子装置の残余電気量情報に従う決定を実施してもよく、当該情報の決定順序は当該方式では限定されない。
【０２７８】
方式９：当該充電基準情報は当該電子装置の出力電力情報、第２の電子装置の出力電力情報、当該電子装置の残余電気量情報および第２の電子装置の残余電気量情報を含む。
【０２７９】
次いで、当該電子装置は以下のように当該充電基準情報に従って判定を行う。
１）当該電子装置は出力電力の大きい電子装置であり、当該電子装置の残余電気量値が第１の電気量閾値以上であるとき、当該電子装置が充電装置であると判定されるか、
２）第２の電子装置が出力電力の大きい電子装置であり、第２の電子装置の残余電気量値が第２の電気量閾値以上であるとき、第２の電子装置が充電装置であると判定されるか、
３）第２の電子装置が出力電力の大きい電子装置であり、当該電子装置の残余電気量値が第１の電気量閾値以上であり、第２の電子装置の残余電気量が第２の電気量閾値未満であるとき、当該電子装置が充電装置であると判定してもよく、または、プロセス全体が終了してもよく、または、両者の充電ステータス情報を取得することによって当該電子装置または第２の電子装置が充電装置としての役割を果たすかどうかを判定してもよいか（詳細については、他の関連する実装方式を参照されたい）、
４）当該電子装置は出力電力の大きい電子装置であり、当該電子装置の残余電気量値が第１の電気量閾値未満であり、かつ、第２の電子装置の残余電気量が第２の電気量閾値以上であるとき、第２の電子装置が充電装置であると判定してもよく、または、プロセス全体が終了してもよく、または、両者の充電ステータス情報を取得することによって当該電子装置または第２の電子装置が充電装置としての役割を果たすかどうかを判定してもよく（詳細については、他の関連する実装方式を参照されたい）、または、
５）他のケースでは、プロセス全体が終了してもよく、または、両者の充電ステータス情報を取得することによって当該電子装置または第２の電子装置が充電装置としての役割を果たすかどうかを判定してもよい（詳細については、他の関連する実装方式を参照されたい）。
【０２８０】
本方式で説明した出力電力情報、残余電気量情報、第１の電気量閾値、第２の電気量閾値、および充電ステータス情報の機能は上述の他の関連する実装方式におけるものと同一であり、詳細についてはここでは再度説明しないことに留意すべきである。第２の電気量閾値は第１の電気量閾値と同様であり、両方の電子装置の残余電気量情報に従って事前に設定してもよく、または、設定してもよく、具体的な方法については、上述の方式６における具体的な説明を参照されたい。詳細についてはここでは再度説明しない。さらに、当該電子装置がまず両方の電子装置の出力電力情報に従う決定を実施してもよく、または、まず両方の電子装置の残余電気量情報に従う決定を実施してもよく、当該情報の決定順序は当該方式では限定されない。
【０２８１】
方式１０：当該充電基準情報は、当該電子装置の充電ステータス情報、第２の電子装置の充電ステータス情報、当該電子装置の出力電力情報、当該電子装置の残余電気量情報および／または第２の電子装置の残余電気量情報を含む。
【０２８２】
次いで、当該電子装置は以下のように当該充電基準情報に従って判定を行う。
１）当該電子装置の出力電力値が事前設定電力閾値以上であるか、または、出力電力レベルが事前設定電力レベル以上であり、両方の電子装置が電力受信状態になく、当該電子装置の残余電気量が第１の電気量閾値以上であり、かつ／または第２の電子装置の残余電気量が第２の電気量閾値未満であるとき、当該電子装置が充電装置であると判定されるか、
２）当該電子装置の出力電力値が事前設定電力閾値以上であるか、または、出力電力レベルが事前設定電力レベル以上であり、両方の電子装置が電力受信状態になく、当該電子装置の残余電気量が第１の電気量閾値未満であり、かつ／または第２の電子装置の残余電気量が第２の電気量閾値以上であるとき、第２の電子装置が充電装置であると判定してもよく、または、プロセス全体が終了してもよいか、
３）当該電子装置の出力電力値が事前設定電力閾値以上であるか、または、出力電力レベルが事前設定電力レベル以上であり、当該電子装置のみが電力受信状態にあるとき、当該電子装置が充電装置であると判定されるか、
４）当該電子装置の出力電力値が事前設定電力閾値以上であるか、または、出力電力レベルが事前設定電力レベル以上であり、第２の電子装置のみが電力受信状態にあるとき、第２の電子装置が充電装置であると判定してもよく、または、プロセス全体が終了してもよいか、
５）当該電子装置の出力電力値が事前設定電力閾値未満であるか、または、出力電力レベルが事前設定電力レベル以下であり、両方の電子装置が電力受信状態になく、当該電子装置の残余電気量が第１の電気量閾値以上であり、かつ／または第２の電子装置の残余電気量が第２の電気量閾値未満であるとき、当該電子装置が充電装置であると判定してもよく、または、プロセス全体が終了してもよいか、
６）当該電子装置の出力電力値が事前設定電力閾値未満であるか、または、出力電力レベルが事前設定電力レベル以下であり、両方の電子装置が電力受信状態になく、当該電子装置の残余電気量が第１の電気量閾値未満であり、かつ／または第２の電子装置の残余電気量が第２の電気量閾値以上であるとき、第２の電子装置が充電装置であると判定してもよく、または、プロセス全体が終了してもよいか、
７）当該電子装置の出力電力値が事前設定電力閾値未満であるか、または、出力電力レベルが事前設定電力レベルより低く、当該電子装置のみが電力受信状態にあるとき、当該電子装置が充電装置であると判定してもよく、または、プロセス全体が終了してもよいか、
８）当該電子装置の出力電力値が事前設定電力閾値未満であるか、または、出力電力レベルが事前設定電力レベルより低く、第２の電子装置のみが電力受信状態にあるとき、当該電子装置が充電装置であると判定してもよく、または、プロセス全体が終了してもよいか、または、
９）両方の電子装置が電気量受信状態にないとき、プロセス全体が終了する。
【０２８３】
例示的に、当該電子装置は当該電子装置の出力電力情報を開始判定条件として使用する。当該電子装置の出力電力値が事前設定電力閾値以上であるか、または出力電力レベルが事前設定電力レベル以上である場合、両方の電子装置の充電ステータス情報および／または残余電気量情報に従って判定を実施する。即ち、
１）両方の電子装置が電力受信状態にあるとき、プロセス全体が終了するか、
２）両方の電子装置の何れもが電力受信状態になく、第１の電子装置の残余電気量値が第１の電気量閾値以上であるか、または、当該電子装置のみが電力受信状態にある場合、当該電子装置が充電装置であると判定されるか、または、
３）第２の電子装置のみが電力受信状態にあるとき、プロセス全体が終了する（この場合、第２の電子装置が充電装置であると判定してもよいが、充電がその後開始される場合には、充電効果は理想的でないかもしれないことに留意すべきである）。
【０２８４】
当該電子装置の出力電力値が事前設定電力閾値未満であるか、または出力電力レベルが事前設定電力レベル以下である場合、プロセス全体が終了してもよいか、または、両方の電子装置の充電ステータス情報および／または残余電気量情報に従って判定を実施してもよい。即ち、
１）両方の電子装置が電力受信状態にあるとき、プロセス全体が終了するか、
２）両方の電子装置の何れもが電力受信状態になく、当該電子装置の残余電気量値が第１の電気量閾値未満であり、かつ／または第２の電子装置の残余電気量値が第２の電気量閾値以上であるとき、第２の電子装置が充電装置であると判定してもよく、または、プロセス全体が終了してもよいか、
３）両方の電子装置の何れもが電力受信状態になく、当該電子装置の残余電気量値が第１の電気量閾値以上であり、かつ／または第２の電子装置の残余電気量値が第２の電気量閾値未満であるとき、当該電子装置が充電装置であると判定してもよく、または、プロセス全体が終了してもよいか、
４）当該電子装置のみが電力受信状態にあるとき、当該電子装置が充電装置であると判定してもよく、または、プロセス全体が終了してもよいか、または、
５）第２の電子装置のみが電力受信状態にあるとき、当該電子装置が充電装置であると判定してもよく、または、プロセス全体が終了してもよい。
【０２８５】
本方式で説明した出力電力情報、残余電気量情報、第１の電気量閾値、第２の電気量閾値、および充電ステータス情報の機能は上述の他の関連する実装方式におけるものと同一であり、詳細についてはここでは再度説明しないことに留意すべきである。第２の電気量閾値は第１の電気量閾値と同様であり、両方の電子装置の残余電気量情報に従って事前に設定してもよく、または、設定してもよく、具体的な方法については、上述の方式６における具体的な説明を参照されたい。詳細についてはここでは再度説明しない。さらに、当該電子装置がまず両方の電子装置の充電ステータス情報に従う決定を実施してもよく、または、まず当該電子装置の出力電力情報に従う決定を実施してもよく、または、まず両方の電子装置の残余電気量情報に従う決定を実施してもよく、当該情報の決定順序は当該方式では限定されない。
【０２８６】
方式１１：当該充電基準情報は、当該電子装置の充電ステータス情報、第２の電子装置の充電ステータス情報、当該電子装置の出力電力情報、第２の電子装置の出力電力情報、当該電子装置の残余電気量情報および／または第２の電子装置の残余電気量情報を含む。
【０２８７】
次いで、当該電子装置は以下のように当該充電基準情報に従って判定を行う。
１）両方の電子装置の何れもが電力受信状態になく、当該電子装置は出力電力の大きい電子装置であり、当該電子装置の残余電気量値が第１の電気量閾値以上であるとき、当該電子装置が充電装置であると判定され、そうでなく、両方の電子装置の何れもが電力受信状態になく、第２の電子装置が出力電力の大きい電子装置であり、第２の電子装置の残余電気量値が第２の電気量閾値以上である場合、第２の電子装置が充電装置であると判定されるか、
２）当該電子装置のみが電力受信状態にあり、当該電子装置が出力電力の大きい電子装置であるとき、当該電子装置が充電装置であると判定され、そうでなく、第２の電子装置のみが電力受信状態にあり、第２の電子装置が出力電力の大きい電子装置である場合には、第２の電子装置が充電装置であると判定されるか、
３）両方の電子装置の何れもが電力受信状態になく、当該電子装置は出力電力の大きい電子装置であり、当該電子装置の残余電気量値が第１の電気量閾値未満であるとき、プロセス全体が終了する（この場合、第２の電子装置の残余電気量が第２の電気量閾値以上である場合、第２の電子装置が充電装置であると判定してもよいが、充電がその後実施される場合には、充電効果は理想的でないかもしれないことに留意すべきである）、そうでなく、両方の電子装置の何れもが電力受信状態になく、第２の電子装置が出力電力の大きい電子装置であり、第２の電子装置の残余電気量値が第１の電気量閾値より小さい場合、プロセス全体が終了するか（この場合、当該電子装置が充電装置であると判定してもよいことに留意すべきであり、その理由は上述したものと同じである）、
４）当該電子装置のみが電力受信状態にあり、第２の電子装置が出力電力の大きい電子装置であるとき、プロセス全体が終了する（この場合、当該電子装置が充電装置であると判定してもよいが、充電がその後開始される場合には、充電効果は理想的でないかもしれないことに留意すべきである）、そうでなく、第２の電子装置のみが電力受信状態にあり、当該電子装置が出力電力の大きい電子装置である場合には、プロセス全体が終了するか（この場合、第２の電子装置が充電装置であると判定してもよく、その理由は上述したものと同じであることに留意すべきである）、または、
５）両方の電子装置が電力受信状態にあるとき、プロセス全体が終了する。
【０２８８】
例示的に、当該電子装置は両方の電子装置の充電ステータス情報を開始判定条件として使用する。両方の電子装置が電力受信状態にある場合、プロセス全体が終了し、両方の電子装置の何れもが電力受信状態にない場合、当該電子装置は次いで、両方の電子装置の出力電力情報および残余電気量情報に従って、出力電力がより大きく残余電気量値が電気量閾値（即ち、第１の電気量閾値または第２の電気量閾値）以上である両方の電子装置のうち１つの電子装置が充電装置であると判定し、当該電子装置のみが電力受信状態にある場合、両方の電子装置の出力電力情報に従って当該電子装置が出力電力の大きい電子装置であると判定されたとき、当該電子装置が充電装置の役割を果たすと判定され、または第２の電子装置のみが電力受信状態にある場合には、両方の電子装置の出力電力情報に従って第２の電子装置が出力電力の大きい電子装置であると判定されるとき、第２の電子装置が充電装置としての役割を果たすと判定される。
【０２８９】
例示的に、当該電子装置は両方の電子装置の出力電力情報を開始判定条件として使用する。当該電子装置が出力電力の大きい電子装置である場合、両方の電子装置の充電ステータス情報および／または残余電気量情報に従って以下のように判定される。即ち、
１）両方の電子装置の何れもが電力受信状態になく、当該電子装置の残余電気量値が第１の電気量閾値以上であるか、または、当該電子装置が電力受信状態にあり第２の電子装置が電力受信状態にないとき、当該電子装置が充電装置であると判定されるか、
２）当該電子装置が電力受信状態になく、第２の電子装置が電力受信状態にあるとき、または、両方の電子装置の何れもが電力受信状態になく、当該電子装置の残余電気量値が第１の電気量閾値未満であるとき、プロセス全体が終了するか（この場合、第２の電子装置が充電装置であると判定してもよいが、充電がその後開始される場合には、充電効果は理想的でないかもしれないことに留意すべきである）、または、
３）両方の電子装置が電力受信状態にあるとき、プロセス全体が終了する。
【０２９０】
第２の電子装置が出力電力の大きい電子装置である場合、両方の電子装置の充電ステータス情報および／または残余電気量情報に従って以下のように判定される。
１）両方の電子装置の何れもが電力受信状態になく、第２の電子装置の残余電気量値が第２の電気量閾値以上であるとき、または、第２の電子装置が電力受信状態にあり、当該電子装置が電力受信状態にないとき、第２の電子装置が充電装置であると判定されるか、
２）第２の電子装置が電力受信状態になく、当該電子装置が電力受信状態にあるとき、または、両方の電子装置の何れもが電力受信状態になく、第２の電子装置の残余電気量値が第１の電気量閾値未満であるとき、プロセス全体が終了するか（この場合、当該電子装置が充電装置であると判定してもよいが、充電がその後開始される場合には、充電効果は理想的でないかもしれないことに留意すべきである）、または、
３）両方の電子装置が電力受信状態にあるとき、プロセス全体が終了する。当該電子装置および第２の電子装置が、出力電力が等しい電子装置である場合（即ち、両者の出力電力レベルが同一であるか、または、両者の出力電力値の差分の絶対値が電力差分閾値未満であるとき）、プロセス全体が終了する。
【０２９１】
両方の電子装置の出力電力が等しい、即ち、両方の電子装置の出力電力レベルが同一であり、かつ／または両方の電子装置の出力電力の差分の絶対値が事前設定電力差分閾値未満である場合、プロセス全体が終了してもよく、または、両方の電子装置の充電ステータス情報および／または残余電気量情報に従って当該電子装置または第２の電子装置が充電装置としての役割を果たすかどうかを判定してもよく、具体的な判定方法は以上の２つの例示されたケースにおけるものと同一であり、詳細についてはここでは再度説明しない。
【０２９２】
例示的に、当該電子装置は両方の電子装置の残余電気量情報を開始判定条件として使用する。当該電子装置の残余電気量値が第１の電気量閾値以上であり、第２の電子装置の残余電気量値が第２の電気量閾値以上である場合、両方の電子装置の出力電力情報および充電ステータス情報に従って以下のように判定される。
１）出力電力の大きい電子装置のピア電子装置が電力受信状態にないとき、出力電力が大きい両方の電子装置のうち１つの電子装置が充電装置であると判定されるか、または、
２）出力電力の大きい電子装置のピア電子装置が電力受信状態にあるとき、プロセス全体が終了する。
【０２９３】
当該電子装置の残余電気量値が第１の電気量閾値未満であり、第２の電子装置の残余電気量値が第２の電気量閾値未満である場合、両方の電子装置の出力電力情報および充電ステータス情報に従って以下のように判定される。
１）当該電子装置が電力受信状態にありピア電子装置が電力受信状態にないとき、出力電力が大きい両方の電子装置のうち１つの電子装置が充電装置であるか、または、
２）出力電力の大きい電子装置が電力受信状態にないか、または、出力電力の大きい電子装置のピア装置が電力受信状態にあるとき、プロセス全体が終了する。
【０２９４】
当該電子装置の残余電気量値が第１の電気量閾値以上であり、第２の電子装置の残余電気量値が第２の電気量閾値未満である場合、両方の電子装置の出力電力情報および充電ステータス情報に従って以下のように判定される。
１）当該電子装置は出力電力の大きい電子装置であり、第２の電子装置が電力受信状態にないとき、当該電子装置が充電装置であると判定されるか、
２）第２の電子装置が出力電力の大きい電子装置であり、第２の電子装置のみが電力受信状態にあるとき、第２の電子装置が充電装置であると判定されるか、
３）当該電子装置は出力電力の大きい電子装置であり、第２の電子装置が電力受信状態にあるとき、プロセス全体が終了するか、または、
４）第２の電子装置が出力電力の大きい電子装置であり、第２の電子装置が電力受信状態にないかまたは当該電子装置が電力受信状態にあるとき、プロセス全体が終了する。
【０２９５】
当該電子装置の残余電気量値が第１の電気量閾値未満であり、かつ、第２の電子装置の残余電気量値が第２の電気量閾値以上である場合、両方の電子装置の出力電力情報および充電ステータス情報に従って以下のように判定される。
１）第２の電子装置が出力電力の大きい電子装置であり、当該電子装置が電力受信状態にないとき、第２の電子装置が充電装置であると判定されるか、または、
２）当該電子装置は出力電力の大きい電子装置であり、当該電子装置のみが電力受信状態にあるとき、当該電子装置が充電装置であると判定されるか、
３）第２の電子装置が出力電力の大きい電子装置であり、当該電子装置が電力受信状態にあるとき、プロセス全体が終了するか、または、
４）当該電子装置は出力電力の大きい電子装置であり、当該電子装置が電力受信状態にないか、または、第２の電子装置が電力受信状態にあるとき、プロセス全体が終了する。
【０２９６】
本方式で説明した出力電力情報、残余電気量情報、第１の電気量閾値、第２の電気量閾値、および充電ステータス情報の機能は上述の他の関連する実装方式におけるものと同一であり、詳細についてはここでは再度説明しないことに留意すべきである。第２の電気量閾値は第１の電気量閾値と同様であり、両方の電子装置の残余電気量情報に従って事前に設定してもよく、または、設定してもよく、具体的な方法については、上述の方式６における具体的な説明を参照されたい。詳細についてはここでは再度説明しない。さらに、当該電子装置がまず両方の電子装置の充電ステータス情報に従う決定を実施してもよく、または、まず両方の電子装置の出力電力情報に従う決定を実施してもよく、または、まず両方の電子装置の残余電気量情報に従う決定を実施してもよく、当該情報の決定順序は当該方式では限定されない。
【０２９７】
さらに、充電装置であると既に判定された電子装置は当該電子装置のＮＦＣ無線充電サービスを有効にして、充電サービスをピア電子装置に提供する。
【０２９８】
従来のＮＦＣ無線充電プロセスはＮＦＣ無線充電制御段階およびＮＦＣ無線電気エネルギ伝送段階を含み、したがって、充電電子装置がＮＦＣ無線充電サービスを有効にした後、当該充電電子装置は、ＮＦＣ通信を用いることによってＮＦＣ無線充電プロセスを開始し、当該ＮＦＣ無線充電制御段階を用いることによって検証情報、技術情報等を充電すべき電子装置と交換してＮＦＣ無線充電方式または他の無線充電方式を選択し、次いで当該ＮＦＣ無線充電電気エネルギ伝送段階を用いることによって当該充電すべき電子装置を充電することに留意すべきである。
【０２９９】
さらに、以上の他の無線充電方式は、３つの現在主要な無線充電アライアンス、即ち、ＷＰＣ（Ｗｉｒｅｌｅｓｓ  Ｐｏｗｅｒ  Ｃｏｎｓｏｒｔｉｕｍ）、ＰＭＡ（Ｐｏｗｅｒ  Ｍａｔｔｅｒｓ  Ａｌｌｉａｎｃｅ）およびＡ４ＷＰ（Ａｌｌｉａｎｃｅ  ｆｏｒ  Ｗｉｒｅｌｅｓｓ  Ｐｏｗｅｒ）により別々に制定された無線充電技術を含むがこれらに限定されない。
【０３００】
以上の電子装置を用いることにより、当該電子装置は、充電装置が当該電子装置であるかまたは第２の電子装置であるかを充電基準情報に従って判定し、充電装置が当該電子装置であると判定されたとき、当該電子装置は当該電子装置のＮＦＣ無線充電サービスを有効にし、または充電装置が第２の電子装置であると判定されたとき、当該電子装置はＮＦＣ無線充電サービスを有効にするように第２の電子装置に指示する。このように、当該電子装置および第２の電子装置がＮＦＣ通信の有効範囲内に配置されるとき、両方の電子装置は充電装置を充電基準メッセージに従って決定し、充電装置のＮＦＣ無線充電サービスを自動的に有効にすることができ、これにより、より細分化された時間がピア電子装置を充電するために十分に利用され、ユーザのアクティブな操作に起因する時間消費および労力消費が回避され、ユーザ・エクスペリエンスが高まる。
【０３０１】
本発明の１実施形態では別の電子装置８０を提供する。図８に示すように、電子装置８０は、当該電子装置が充電装置であると第１の電子装置が判定したとき、第１の電子装置により送信された通知を受信するように構成された受信ユニット８１と、当該電子装置のＮＦＣ無線充電サービスを受信ユニット８１により受信された当該通知に従って有効にして、第１の電子装置の充電に備えるように構成された処理ユニット８２とを備える。
【０３０２】
あるいは、受信ユニット８１は、第１の電子装置が充電装置であると第１の電子装置が判定したとき、第１の電子装置により送信された充電制御メッセージを受信するように構成され、処理ユニット８２は、受信ユニット８１により受信された充電制御メッセージに従って、被充電装置として応答するように当該電子装置に指示するように構成される。
【０３０３】
場合によっては、当該電子装置は送信ユニット８３をさらに備える。送信ユニット８３は特に、当該受信ユニットが当該通知または当該充電制御メッセージを受信する前に、当該電子装置の充電ステータス情報、当該電子装置の出力電力情報および当該電子装置の残余電気量情報のうち少なくとも１つを第１の電子装置に送信するか、または、第１の電子装置の要求メッセージを受信し、第１の電子装置の当該要求メッセージに従って、当該電子装置の充電ステータス情報、当該電子装置の出力電力情報および当該電子装置の残余電気量情報のうち少なくとも１つを第１の電子装置に送信するように構成される。
【０３０４】
場合によっては、処理ユニット８２はさらに、送信ユニット８３が当該電子装置の充電ステータス情報、当該電子装置の出力電力情報および当該電子装置の残余電気量情報のうち少なくとも１つを第１の電子装置に送信する前に、当該電子装置および第１の電子装置がＮＦＣ通信の有効距離内に保たれ、両方の電子装置の間でＮＦＣ通信が発生していない時間が事前設定時間閾値を超えると判定するように構成される。
【０３０５】
以上の電子装置を用いることにより、当該電子装置は、当該電子装置が充電装置であると第１の電子装置が判定したとき、第１の電子装置により送信された通知を受信し、当該通知に従って当該電子装置のＮＦＣ無線充電サービスを有効にして、第１の電子装置の充電に備えるか、または、第１の電子装置が充電装置の役割を果たすと第１の電子装置が判定したとき、第１の電子装置により送信された充電制御メッセージを当該電子装置が受信して、被充電装置として応答するように当該電子装置に指示する。このように、第１の電子装置および当該電子装置がＮＦＣ通信の有効範囲内に配置されるとき、両方の電子装置は充電装置を充電基準メッセージに従って決定し、充電装置のＮＦＣ無線充電サービスを自動的に有効にすることができ、これにより、より細分化された時間がピア電子装置を充電するために十分に利用され、ユーザのアクティブな操作に起因する時間消費および労力消費が回避され、ユーザ・エクスペリエンスが高まる。
【０３０６】
説明の都合および簡単さのため、以上の機能モジュールの分割を説明のための例としたことは当業者により明らかに理解されうる。実際の適用では、以上の機能を異なる機能モジュールに割り当て、要件に従って実装することができる。即ち、電子装置の内部構造は、上述の機能の全部または一部を実装するために異なる機能モジュールに分割される。以上の電子装置の詳細な動作プロセスについては、以上の方法の実施形態の対応するプロセスを参照し、詳細についてはここでは再度説明しない。
【０３０７】
本願で提供した幾つかの実施形態では、開示された電子装置を他の方式で実装してもよいことは理解されるべきである。例えば、当該説明した電子装置は例示的なものにすぎない。例えば、当該モジュールまたはユニット分割は論理的な機能分割にすぎず、実際の実装では他の分割であってもよい。例えば、複数のユニットまたはコンポーネントを組み合わせるかまたは別のシステムに統合してもよく、または、幾つかの機能を無視するかまたは実装しなくてもよい。さらに、表示または説明した相互接続または直接接続または通信接続を、幾つかのインタフェースを通じて実装してもよい。装置またはユニット間の間接接続または通信接続を電気的、機械的、または他の形態で実装してもよい。
【０３０８】
別個の部分として説明したユニットが物理的に別個であってもなくてもよく、ユニットとして表示した部分が物理ユニットであってもなくてもよく、１つの位置に配置してもよく、または、複数のネットワーク・ユニットに分散させてもよい。当該ユニットの一部または全部を、当該諸実施形態の解決策の目的を実現するための実際のニーズに従って選択してもよい。
【０３０９】
さらに、本願の実施形態における機能ユニットを１つの処理ユニットに統合してもよく、または当該ユニットの各々が物理的に単体で存在してもよく、または複数のユニットが１つのユニットに統合される。
【０３１０】
以上の説明は本発明の特定の実施形態にすぎず、本発明の保護範囲を限定しようとするものではない。本発明で開示された技術範囲内で当業者により容易想到な任意の変形または再配置は本発明の保護範囲に入るものとする。したがって、本発明の保護範囲は特許請求の範囲の保護範囲に支配される。
【符号の説明】
【０３１１】
５０  電子装置
５１  プロセッサ
５２  ＮＦＣ無線充電コントローラ
５３  送受信器
５４  通信バス
６０  電子装置
６１  プロセッサ
６２  ＮＦＣ無線充電コントローラ
６３  送受信器
６４  通信バス
７０  電子装置
７１  処理ユニット
７２  送信ユニット
８０  電子装置
８１  受信ユニット
８２  処理ユニット
８３  送信ユニット
【図１】
0006377166.tif 000002
【図２】
0006377166.tif 000003
【図３】
0006377166.tif 000004
【図４】
0006377166.tif 000005
【図５】
0006377166.tif 000006
【図６】
0006377166.tif 000007
【図７】
0006377166.tif 000008
【図８】
0006377166.tif 000009